【事件の表示】
　本件特許第３６００１４９号「テレビジョン番組リストのユーザーインタフェース」に係る上記当事者間の特許無効審判事件について特許庁がした「特許第３６００１４９号の請求項１、２、４、５、９ないし１３、１５ないし２２、２５ないし２７，２９ないし３４に係る発明についての特許を無効とする。特許第３６００１４９号の請求項３、６、７、８、１４、２３、２４、２８に係る発明についての審判請求は、成り立たない。」旨の審決（平成２１年６月１０日付け）を不服として、
　請求人が同審決のうち「請求項３、６、７、８、１４、２３、２４、２８に係る発明についての審判請求は、成り立たない。」とした部分の取消しを求めて求めて知的財産高等裁判所に提起した訴え（甲事件）および、
　被請求人が同審決のうち「請求項１、２、４、５、９ないし１３、１５ないし２２、２５ないし２７，２９ないし３４に係る発明についての特許を無効とする。」とした部分の取消しを求めて知的財産高等裁判所に提起した訴え（乙事件）について、
　同裁判所において、「特許庁が無効２００８−８０００２１号事件について平成２１年６月１０日にした審決を取り消す。」旨の決定（平成２１年（行ケ）第１０１８８号（甲事件）、平成２１年（行ケ）第１０３１５号（乙事件）平成２１年１２月１日）があったので、さらに審理をした結果、次のとおり改めて審決する。
【結　論】
　訂正を認める。
　特許第３６００１４９号の訂正後の請求項１および請求項２に係る発明についての審判請求は、成り立たない。
　審判費用は、その６３分の１０を請求人の負担とし、６３分の５３を被請求人の負担とする。
【理　由】
【第１】経緯等
　
［１］本件特許
　本件特許第３６００１４９号は、平成３年９月１０日（パリ条約による優先権主張：平成２年９月１０日、米国）を国際出願日とする出願である特願平３−５１６６９１号（以下、「原出願」ともいう。）の一部を、拒絶査定不服審判請求の日から明細書について補正ができる期間内である平成１２年１０月２０日に新たな特許出願（特願２０００−３２１３９１号）として出願され、
　平成１５年９月２４日の手続補正を経て、平成１６年９月２４日に設定登録されたものであり、登録時の請求項の数は３４である。
　
　平成１２年１０月２０日　本件（分割）出願
　　　　（特願２０００−３２１３９１号、
　　　　　原出願：特願平３−５１６６９１号（平成３年９月１０日出願、
　　　　　優先権主張　平成２年９月１０日） 
　平成１５年　９月２４日手続補正　　　　　　　　　　　
　平成１６年　９月２４日　設定登録（請求項の数３４）　　 
　
［２］本件無効審判の手続きの経緯
　
　〈第１次審決まで〉
　本件無効審判は、本件特許第３６００１４９号に対し、請求人より、「本件特許請求の範囲の請求項１ないし請求項３４に係る特許は、特許法第１２３条第１項の規定に該当し無効とすべきものである。審判費用は被請求人の負担とする。」ことを趣旨としてなされた無効審判の請求であり、平成２１年６月１０日、「特許第３６００１４９号の請求項１、２、４、５、９ないし１３、１５ないし２２、２５ないし２７，２９ないし３４に係る発明についての特許を無効とする。
　特許第３６００１４９号の請求項３、６、７、８、１４、２３、２４、２８に係る発明についての審判請求は、成り立たない。」との審決（以下、「第１次審決」という）がなされた。
　この間の手続の概要は以下のとおりである。
　
　平成２０年　２月　８日　本件無効審判請求（請求人） 
　平成２０年　５月２９日　答弁書（被請求人）提出　　　　 
　平成２０年１０月１４日　口頭審理陳述要領書（請求人）　 
　平成２０年１０月１４日　上申書（１）（請求人） 
　平成２０年１０月３０日　口頭審理陳述要領書（被請求人） 
　平成２０年１０月３０日　上申書（２）（請求人）提出　　 
　平成２０年１０月３０日　口頭審理　　　　　　　　　　　 
　平成２０年１１月２１日　上申書（被請求人）提出　　　　 
　平成２１年　６月１０日　第１次審決
　
　〈審決取り消し訴訟〉
　請求人は、第１次審決の部分取消しを求めて、審決取り消し訴訟（知的財産高等裁判所、平成２１年（行ケ）第１０１８８号事件）を提起し、
　被請求人は、第１次審決の部分取消しを求めて、審決取り消し訴訟（知的財産高等裁判所、平成２１年（行ケ）第１０３１５号事件）を提起し、その後、本件特許につき訂正審判（訂正２００９−３９０１３０号）を請求したところ、
　知的財産高等裁判所において、平成２１年１２月１日、「特許庁が無効２００８−８０００２１号事件について平成２１年６月１０日にした審決を取り消す。」旨の決定（平成２１年（行ケ）第１０１８８号、平成２１年（行ケ）第１０３１５号）がなされた。
　
　平成２１年　７月１４日　知的財産高等裁判所出訴（請求人）
　　　　　　　　　　　　　（平成２１年行（ケ）第１０１８８号）。
　平成２１年１０月　９日　知的財産高等裁判所出訴（被請求人）
　　　　　　　　　　　　　（平成２１年行（ケ）第１０３１５号）。
　平成２１年１０月２６日　訂正審判請求（被請求人）、
　　　　　　　　　　　　　（訂正２００９−３９０１３０号）
　平成２１年１２月　１日　知的財産高等裁判所決定（審決を取り消す。）
　　　　　　　　　　　　　（平成２１年行（ケ）第１０１８８号、
　　　　　　　　　　　　　　平成２１年行（ケ）第１０３１５号）
　
　〈本件無効審判手続の再開、訂正請求、弁駁書〉
　上記決定が効力を生じたことにより本件無効審判が再開され、平成２１年１２月２８日、訂正請求（被請求人が請求した上記訂正審判請求書に添付された訂正明細書を援用するもの）がなされた。
　
　以下、この訂正請求を「本件訂正請求」といい、これによる訂正を「本件訂正」または「訂正２」といい（後記する形式的に確定した訂正の後のものであるから）、また、上記訂正明細書を「訂正明細書２」ということとし、
　後記する、この訂正請求前に形式的に確定した訂正を「訂正１」ということとする。　
　                        
　平成２１年１２月２８日　訂正請求（被請求人）（特許法第１３４条の３
　　　　　　　　　　　　　　第５項に基づく）
　平成２１年１２月２８日　訂正審判（訂正２００９−３９０１３０号）
　　　　　　　　　　　　　　の取り下げ（特許法第１３４条の３第４項
　　　　　　　　　　　　　　に基づく）
　平成２２年　２月１５日　弁駁書（請求人）　
　
［３］同時係属した、本件特許に対する別の無効審判手続中の訂正（訂正１）
　本件特許に対し、平成２０年３月２４日、「本件特許請求の範囲の請求項１〜３４に記載された各発明に係る特許を無効とする。」ことを趣旨とする別の無効審判（無効２００８−８０００５２号）が請求され、
　当該無効審判の手続において、平成２０年７月２２日、被請求人より次の訂正事項を内容とする訂正請求がなされた。
　
［訂正事項］　　　　　　　　　
　登録時の請求項２１，２２，２８，３３，３４を削除する。
　上記削除に伴い、請求項番号を１から順の番号に整合するため、登録時の請求項２３〜２７、２９〜３２の項番号を、それぞれ、２１〜２５、２６〜２９に繰り上げる。
　
　そして、平成２１年６月５日、「訂正を認める。特許第３６００１４９号の訂正後の請求項１ないし２９に係る発明についての特許を無効とする。」との審決がなされた。
　この審決中、「訂正を認める。」とした部分、すなわち上記［訂正事項］については、当該無効審判（無効２００８−８０００５２号）の請求人・被請求人とも取消訴訟を提起する原告適格を有しないというべきであるから，同審決の送達（請求人、被請求人への送達日平成２０年６月１５日）により，上記［訂正事項］は，形式的に確定している（知的財産高等裁判所平成１９年（行ケ）第１００９９号事件・平成１９年７月２３日決定，知的財産高等裁判所平成１８年（行ケ）第１０４５５号事件・平成２０年２月１２日判決，知的財産高等裁判所平成１９年（行ケ）第１０３８０号事件・平成２０年１１月２７日判決参照）。
　この形式的に確定した訂正を、「訂正１」といい、この「訂正１」後の明細書を「訂正明細書１」ということとすることは、前記のとおりである。
　
　平成２０年　３月２４日　無効審判請求（２００８−８０００５２号）
　平成２１年　６月　５日　審決（「訂正を認める。
　　　　　　　　特許第３６００１４９号の訂正後の請求項１ないし２９に
　　　　　　　　係る発明についての特許を無効とする。」）
　平成２１年６月１５日　請求人、被請求人への上記審決の送達
　
　したがって、再開した本件審判手続でなされた平成２１年１２月２８日の訂正請求（訂正２）前に、登録時の請求項１〜３４のうち請求項２１，２２，２８，３３，３４を削除することをその実質内容とする上記「訂正１」は形式的に確定していることとなるから、
　本件訂正請求は、確定した「訂正１」後の明細書（訂正明細書１）に対するものとなる。
　
【第２】特許請求の範囲の記載（登録時、登録時（分説）、訂正１後）
　
［１］登録時の特許請求の範囲の記載
　
　登録時における本件特許の願書に添付した明細書の特許請求の範囲の請求項１〜３４の各記載は，次のとおりである。
　
「【請求項１】
タイトル、放送時間そしてチャンネルをそれぞれが含んでいる複数のテレビジョン番組リストを電子メモリに記憶するステップ、
時間とチャンネルのグリッドガイド形式で前記の複数のテレビジョン番組リストのチャンネルの中の幾つかをモニタースクリーン上に表示するステップ、
このモニタースクリーン上でカーソルを移動してグリッドガイド形式で表示されたチャンネルの一つに目印を付けるステップ、そして
グリッドガイド形式の代わりに単一チャンネル形式でその目印を付けたチャンネルを表示するステップ
を備え、前記の単一チャンネル形式はその目印を付けたチャンネルに対応するチャンネルのテレビジョン番組リストを順次配列した行を含んでいることを特徴としたテレビジョン番組リストのデータベースを閲覧する方法。
【請求項２】
スクリーン上でカーソルを移動して前記の単一チャンネル形式内の別の表示タイトルに目印を付ける請求項１に記載の方法。
【請求項３】
前記の記憶するステップが前記の複数のテレビジョン番組リストに関連する番組ノートを追加して記憶し、前記のグリッドガイド形式で表示するステップが前記のテレビジョン番組リストと同時に、当該目印を付けられたチャンネルに対応する番組ノートを表示する請求項１に記載の方法。
【請求項４】
タイトル、放送時間そしてチャンネルをそれぞれが含んでいる複数のテレビジョン番組リストを電子メモリに記憶するステップ、
放送時間についてテレビジョン番組リストのタイトルとチャンネルとを第１形式でモニタースクリーン上に表示するステップ、
このモニタースクリーン上でカーソルを移動して第１形式で表示されたチャンネルの一つに目印を付けるステップ、そして
第１形式の代わりに第２形式でその目印を付けたチャンネルを含む番組リストのタイトルと時間とを表示するステップ
を備えていることを特徴としたテレビジョン番組リストのデータベースを閲覧する方法。
【請求項５】
前記の記憶するステップが番組リストに対応する番組ノートを追加して記憶し、そして前記の第2形式で表示するステップが番組ノートをテレビジョン番組リストと同時に表示する請求項４に記載の方法。
【請求項６】
タイトル、放送時間そしてチャンネルをそれぞれが含んでいる複数のテレビジョン番組リスト、
このテレビジョン番組リストの中の幾つかを表示する時間とチャンネルのグリッドガイド、
このグリッドガイドに表示されたテレビジョン番組リストの一つを選択して目立たさせる可動カーソル、そして
時間とチャンネルのグリッドガイドをその目立たせたテレビジョン番組リストのチャンネルの単一チャンネルガイドに変える手段
を備えていることを特徴とする電子番組ガイド。
【請求項７】
テレビジョン番組リストが更に番組ノートを含み、そして当該目立たさせたチャンネルの番組ノートが電子番組ガイド内の番組リストと同時に表示される請求項６に記載の電子番組ガイド。
【請求項８】
テレビジョン番組リストを複数のセル内に表示している時間とチャンネルのグリッドガイド形式で表示モニターに、RAMに記憶したテレビジョン番組リストを表示させる信号を発生し、
その表示されたテレビジョン番組リストの一つを目立たさせる信号を発生し、そして
グリッドガイド形式の代わりに単一チャンネル形式でその目立たされたテレビジョン番組リストを表示する信号を発生
するようプログラムされていることを特徴としたマイクロプロセッサ。
【請求項９】
チャンネルカスタム化のチャンネルリスト内の複数のチャンネルに対するテレビジョン番組リストを電子メモリに記憶するステップ、
時間とチャンネルのガイド形式でテレビジョン番組リストの中の幾つかをモニタースクリーンに表示するステップ、そして
前記のチャンネルリスト内の複数のチャンネルを視聴者の関心と一致する好ましい順序に配列するステップ
を備えることを特徴とするテレビジョン番組リストのデータベースを閲覧する方法。
【請求項１０】
前記の配列するステップが、設定された順序でチャンネルリスト内で複数のチャンネルの各々を時間にわたって表示するステップと、表示される複数のチャンネルに対するチャンネルリスト内の優先順位を選択するステップを備える請求項９に記載の方法。
【請求項１１】
チャンネルリスト内で複数のチャンネルの各々を表示するステップが、そのチャンネルリスト内のチャンネル毎にチャンネルラベルを表示することを含む請求項１０に記載の方法。
【請求項１２】
チャンネルカスタム化のチャンネルリスト内の複数のチャンネルに対するテレビジョン番組リストを電子メモリに記憶する手段、
時間とチャンネルのガイド形式でテレビジョン番組リストの中の幾つかをモニタースクリーンに表示する手段、そして
前記のチャンネルリスト内の複数のチャンネルを視聴者の関心と一致する好ましい順序に配列する手段
を備えることを特徴とする電子プログラムガイド。
【請求項１３】
前記のガイドのチャンネルリストの複数のチャンネルを好ましい順位に配列するための手段を更に含む請求項１２に記載の電子番組ガイド。
【請求項１４】
前記の配列するための手段が、複数のチャンネルの中で順位を変えようとする一つのチャンネルを選択して目立たさせるためにガイド上に表示された移動可能なカーソルを含み、その目立たさせたチャンネルがチャンネルリスト内で第1の位置から第2の位置に移動するようにした請求項１３に記載の電子番組ガイド。
【請求項１５】
前記の配列するための手段が、設定された順序で時間にわたってチャンネルリスト内の複数のチャンネルの各々を表示するための手段と、表示されている複数のチャンネルの各々に対するチャンネルリスト内の優先順位を選択するための手段を備える請求項１３に記載の電子番組ガイド。
【請求項１６】
複数のテレビジョン番組リストに対応し、テレビジョン番組リスト毎にタイトル、チャンネルそして開始時間を含んでいるデータファイルをメモリに記憶するステップ、
メモリに記憶されている複数のテレビジョン番組リストをディスプレイモニターに表示するステップ、
記録するためビデオ記録媒体をVCRまたはその他の記録装置内に装填するステップ、
表示された複数のテレビジョン番組リストの中の一つを記録するために選択するステップ、そして
記録するために選択されたテレビジョン番組リストが示している番組をVCRまたはその他の記録装置に記録するするために前記の記録するために選択されたテレビジョン番組リストのデータを前記のデータファイルからVCRまたはその他の記録装置に転送するステップ
を備えることを特徴とするVCRまたはその他の記録装置を使用して、ビデオ記録媒体にテレビジョン番組を記録する方法。
【請求項１７】
ビデオ記録媒体に記録された番組のディレクトリを生成するスッテプ、そして
記録のために選択されたテレビジョン番組リストに対応するタイトルをデータファイルから前記のディレクトリに加えるステップ
を含み、前記のディレクトリは番組タイトルと記録位置を含んでいる請求項１６に記載の方法。
【請求項１８】
VCRまたはその他の記録装置内のビデオ記録媒体の記録位置を測定するステップ、そして記録のために選択された番組リストが示す番組の記録の開始時に、その測定した記録位置を前記のディレクトリに加えるステップを更に含む請求項１７に記載の方法。
【請求項１９】
複数のテレビジョン番組リストに対応するデータファイルをメモリに記憶するステップが、ビデオ番組を搬送するテレビジョン信号のVBIからデータファイルをダウンロードすることを含む請求項１７に記載の方法。
【請求項２０】
複数のテレビジョン番組リストに対応するデータファイルをメモリに記憶するステップが、RAMの一つのセクションにデータファイルを記憶することを含む請求項１７に記載の方法。
【請求項２１】
ビデオ記録媒体に記録された番組のディレクトリを生成するステップが、RAMの別のセクションにディレクトリを記憶することを含む請求項１９に記載の方法。
【請求項２２】
ビデオ記録媒体に記録された番組のディレクトリを生成するスッテプが、RAMの別のセクションに別のビデオ記録媒体のディレクトリを記憶することを含む請求項２１に記載の方法。
【請求項２３】
複数のテレビジョン番組リストに対応するデータファイルをメモリに記憶するステップが、一つのチャンネル特定番組ガイドを記憶することを含む請求項１７に記載の方法。
【請求項２４】
複数のテレビジョン番組リストに対応するデータファイルをメモリに記憶するステップが、複数のチャンネル特定番組ガイドを記憶することを含む請求項１７に記載の方法。
【請求項２５】
表示された複数のテレビジョン番組リストの中の一つを記録するために選択するステップが、表示モニター上に移動可能なカーソルを提供し、そしてカーソルをモニター上で移動して、表示されたテレビジョン番組リストの一つを選択する請求項１６に記載の方法。
【請求項２６】
複数のテレビジョン番組リストに対応し、テレビジョン番組リスト毎にタイトル、チャンネルそして開始時間を含んでいるデータファイルが記憶される電子メモリ、
この電子メモリに記憶された複数のテレビジョン番組リストを表示するディスプレイモニター、
番組タイトルと記録位置を含む、ビデオ記録媒体に記録された番組ディレクトリ、
表示された複数のテレビジョン番組リストの中の一つを記録するために選択する手段、
記録するために選択されたテレビジョン番組リストに対応するデータをデータファイルからVCRまたはその他の記録装置の記録スタックに転送し、VCRまたはその他の記録装置が前記の記録するために選択されたテレビジョン番組リストが示している番組を記録する手段
を備え、前記の記録するために選択されたテレビジョン番組リストに対応するデータファイルからのタイトルが前記のディレクトリに加えられることを特徴としたVCRまたはその他の記録装置を使用して、ビデオ記録媒体にテレビジョン番組を記録し、そしてインデックスを付けるシステム。
【請求項２７】
VCRまたはその他の記録装置内のビデオ記録媒体の記録位置を測定する手段を含み、記録するために選択されたテレビジョン番組リストが示している番組の記録の開始時にその測定された記録位置が前記のディレクトリに加えられる請求項２６に記載のシステム。
【請求項２８】
ビデオ番組を搬送するテレビジョン信号のVBIからデータファイルをダウンロードする手段を更に含む請求項２３に記載のシステム。
【請求項２９】
表示された番組リストの一つを選択する手段が、ディスプレイモニター上に与えられた移動可能なカーソルを備える請求項２６に記載のシステム。
【請求項３０】
タイトル、チャンネルそして開始時間をテレビジョン番組リスト毎に含んでいる複数のテレビジョン番組リストのデータファィルを記憶しているRAMから前記の複数のテレビジョン番組リストを取り出してディスプレイモニターに表示する信号を発生し、
この表示された複数のテレビジョン番組リストの中の一つを記録するためその一つのテレビジョン番組リストを特定する信号を発生し、そして
この記録するために選択されたテレビジョン番組リストに対応するデータをデータファイルからVCRまたはその他の記録装置に転送するための信号を発生するよう
プログラムされ、前記の記録するために選択されたテレビジョン番組リストが示している番組を記録させるようにすることを特徴としたマイクロプロセッサ。
【請求項３１】
ビデオ記録媒体に記録される番組のディレクトリを生成する信号と、記録するために選択されたテレビジョン番組リストに対応するデータファイルからのタイトルを前記のディレクトリに加えるための信号とを発生するように追加的にプログラムされており、前記のディレクトリが番組タイトルと記録位置とを含む請求項３０に記載のマイクロプロセッサ。
【請求項３２】
VCRまたはその他の記録装置内のビデオ記録媒体の記録位置を測定する信号を発生し、そして記録するために選択されたテレビジョン番組リストが示している番組の記録の開始時にその測定された記録位置をディレクトリに加える信号を発生するよう追加的にプログラムされている請求項３１に記載のマイクロプロセッサ。
【請求項３３】
受信したテレビジョン信号から番組内容のテーマカテゴリーとそれに関連する詳細を含む番組情報を取り出す手段と、
この番組情報をデータベースとしてメモリに記憶する手段と、
テレビジョンモニター上に前記のデータベースからテーマカテゴリーを第1分類として取り出し表示する手段と、
第1分類のテーマカテゴリーに関連する第2分類としての属性を示すトピックスを前記のデータベースから取り出し表示する手段と
を備えたことを特徴とするテレビジョン信号が含む番組ガイド情報をテレビジョンモニターに表示する電子番組ガイド。
【請求項３４】
前記のトピックス内容に関連した更なる属性、視聴資格などを示す第3分類を備える請求項３３に記載の電子番組ガイド。」
　
［２］登録時の特許請求の範囲の記載（構成要件分説）
　
　登録時における本件特許の願書に添付した明細書の特許請求の範囲の請求項１〜３４の各記載を、構成要件を分説するための記号（「１Ａ」等）を付して示しておく。請求人、被請求共に、この分説にしたがって、主張している。
　
【請求項１】
１Ａ　　タイトル、放送時間
そして
それぞれが
するステップ
１Ｂ　　時間とチャンネルのグリッドガイド形式で前記の複数のテレビジョ　　　　ン番組リストの
チャンネルの中の
するステップ
１Ｃ　　
このモニター
チャンネル
けるステップ
１Ｄ　　グリッドガイド形式の代わりに単一チャンネル形式で
その
チャンネル
ステップを備え、
１Ｅ　　前記の単一チャンネル形式は
その
チャンネルに
チャンネルのテレビジョン番組リストを順次配列した
１Ｆ　　ことを特徴としたテレビジョン番組リストのデータベースを閲覧す　　　　る方法。
　
【請求項２】
２Ａ　　スクリーン上でカーソルを移動して前記の単一チャンネル形式内の　　　　別の表示タイトルに目印を付ける請求項１に記載の方法。
　
【請求項３】
３Ａ　　前記の記憶するステップが前記の複数のテレビジョン番組リストに　　　　関連する番組ノートを
追加して
３Ｂ　　前記
のグリッドガイド形式で
当該
チャンネルに
　
【請求項４】
４Ａ　　タイトル、放送時間
そして
それぞれが
するステップ
４Ｂ　　放送時間
についてテレビジョン
するステップ
４Ｃ　　
このモニター
第１形式で
チャンネル
けるステップ
４Ｄ　　
第１
その
を含む
のタイトル
ステップ
４Ｅ　　
を備え
　
【請求項５】
５Ａ　　前記
の
追加
して
５Ｂ　　そして前記の第２形式で表示するステップが番組ノートを
テレビジ
ョン
　
【請求項６】
６Ａ　　タイトル、放送時間
そして
それぞれが
複数
の
６Ｂ　　
この
６Ｃ　　
この
た
して
可動
６Ｄ　　時間とチャンネルのグリッドガイドを
その
を備
えている
６Ｅ　　
ことを特徴とする
　
【請求項７】
７Ａ　　テレビジョン番組リストが更に番組ノートを含み、
７Ｂ　　そして
当該
　
【請求項８】
８Ａ　　テレビジョン番組リスト
を
内に表示している
し
させ
８Ｂ　　
その
そして
８Ｃ　　グリッドガイド形式の代わりに単一チャンネル形式で
その
８Ｄ　　ようプログラムされていることを特徴としたマイクロプロセッサ。
　
【請求項９】
９Ａ　　
チャンネルカスタム化の
ステップ
９Ｂ　　時間とチャンネルのガイド形式でテレビジョン番組リスト
の中の
そして
９Ｃ　　
前記の
９Ｄ　　
を備えることを特徴とする
　
【請求項１０】
１０Ａ　前記の配列するステップが、
設定された順序で
で
するステップと
１０Ｂ　表示される複数のチャンネルに対するチャンネルリスト内の優先順　　　　位を選択する
ステップを備える
　
【請求項１１】
１１Ａ　チャンネルリスト内
で
を含む
　
【請求項１２】
１２Ａ　
チャンネルカスタム化の
１２Ｂ　時間とチャンネルのガイド形式でテレビジョン番組リスト
の中の
そして
１２Ｃ　
前記の
１２Ｄ　
を備えることを
　
【請求項１３】
１３Ａ　前記
の
位
　
【請求項１４】
１４Ａ　前記
の
するための
複数のチャンネルの中で順位を変え
ようとする一つのチャンネルを
して
１４Ｂ　
その目立たさせたチャンネルがチャンネルリスト内で
するようにした
１３に
　
【請求項１５】
１５Ａ　前記
の
するための
設定された順序で
１５Ｂ　表示され
てい
１３に
　
【請求項１６】
１６Ａ　複数のテレビジョン番組リストに対応
し、テレビジョン
毎に
そして
するステップ
１６Ｂ　メモリに記憶されている
複数のテレビジョン
するステップ
１６Ｃ　記録
する
記録媒体
またはその他の記録装置内に
装填するステップ
１６Ｄ　表示された複数の
テレビジョン
中の一つを
するた
めに
するステップ
１６Ｅ　
記録するために
が示している
ＶＣＲまたはその他の記録装置に
する
に
テレビジョン
の
前記の
ＶＣＲまたはその他の記録装置
するステ
ップ
１６Ｆ　
を備えることを特徴とする
またはその他の記録装置
記録媒体
　
【請求項１７】
１７Ａ　ビデオ
記録媒体
録
リ
するスッテ
プ、
１７Ｂ　
そして
テレビジョン
１７Ｃ　を含み、
前記の
と記録
１６に
　
【請求項１８】
１８Ａ　ＶＣＲ
またはその他の記録装置
記録媒体の記録
するステップ、
１８Ｂ　
そして
が示す
その
した記録位置
１７に
　
【請求項１９】
１９Ａ　複数のテレビジョン番組リストに対応するデータファイルをメモリ　　　　に記憶するステップが、ビデオ番組を搬送するテレビジョン信号の　　　　VBIからデータファイルをダウンロードすることを含む請求項
１７
に
　
【請求項２０】
２０Ａ　
複数のテレビジョン番組リストに対応するデータファイルをメモリ
に
の一つの
１７に
　
　
【請求項２１】
２１Ａ　
ビデオ記録媒体に記録された番組のディレクトリを生成する
ことを含
む
１９に
　
【請求項２２】
２２Ａ　
ビデオ記録媒体に記録された番組のディレクトリを生成する
ことを含む
２１に
　
【請求項２３】
２３Ａ　
複数のテレビジョン番組リストに対応するデータファイルをメモリ
に
一つの
ことを含む
１７に
　
【請求項２４】
２４Ａ　
複数のテレビジョン番組リストに対応するデータファイルをメモリ
に
ことを含む
１７に
　
【請求項２５】
２５Ａ　表示された複数の
テレビジョン
中の一つを
するた
めに
するステップ
そして
テレ
ビジョン
１６に
　
【請求項２６】
２６Ａ　複数のテレビジョン番組リストに対応
し、テレビジョン
毎に
そして
２６Ｂ　
この電子
複数のテレビジョン
ディスプレイ
２６Ｃ　番組タイトル
と記録
記録媒体
２６Ｄ　表示された複数の
テレビジョン
中
一つを
するた
めに
２６Ｅ　記録
する
テレビジョン
ＶＣＲまたはその他の記録装置
ＶＣＲまたはその他の記録装置が前記の
する
テレビジョン
が示している
２６Ｆ　
を備え、前記の
テレビジョン
２６Ｇ　
ことを特徴とした
またはその他の記録装置
記録媒体
、そして
を
る
　
【請求項２７】
２７Ａ　ＶＣＲ
またはその他の記録装置
記録媒体の記録
２７Ｂ　記録
するために
テレビジョン
が示している
記録の
その
記録
２６に
　
【請求項２８】
２８Ａ　ビデオ番組を搬送するテレビジョン信号のVBIからデータファイ　　　　ルをダウンロードする手段を更に含む請求項
２３に
　
【請求項２９】
２９Ａ　表示された番組リストの一つを選択する手段が、ディスプレイモニ　　　　ター上に与えられた移動可能なカーソル
を備える
２６に
　
【請求項３０】
３０Ａ　タイトル、チャンネル
そして
毎
に
んでいる
している
から前記の
取り
出してディスプレイ
３０Ｂ　
この
中の一つを
その一つのテレビジョン
特定する
そして
３０Ｃ　
この
する
テレビジョン
またはその他の記録装置
３０Ｄ　ようプログラムされ、
３０Ｅ　
前記の
する
テレビジョン
が示して
いる
させるようにする
３０Ｆ　
ことを特徴とした
　
【請求項３１】
３１Ａ　ビデオ記録媒体に記録される番組のディレクトリを生成
する信号　
と
する
テレビジョン
と
３１Ｂ　前記のディレクトリが番組タイトル
と
と
　
【請求項３２】
３２Ａ　ＶＣＲ
またはその他の記録装置
記録媒体の記録
３２Ｂ　
そして
する
テレビジョン
が示して
いる
その
記録
３２Ｃ　よう追加的にプログラムされている請求項３１に記載のマイクロプ　　　　ロセッサ。
　
【請求項３３】
３３Ａ　
受信したテレビジョン信号から番組内容のテーマカテゴリーとそれ
に関連する詳細を含む番組情報を取り出す手段と、
３３Ｂ　
この番組情報をデータベースとしてメモリに記憶する手段と、
３３Ｃ　
テレビジョンモニター上に前記のデータベースからテーマカテゴリ
ーを第１分類として取り出し表示する手段と、
３３Ｄ　
第１分類のテーマカテゴリーに関連する第２分類としての属性を示
すトピックスを前記のデータベースから取り出し表示する手段と
を備えたことを特徴とするテレビジョン信号が含む番組ガイド情報
をテレビジョンモニターに表示する電子番組ガイド。
　
【請求項３４】
３４Ａ　
前記のトピックス内容に関連した更なる属性、視聴資格などを示す
第３分類を備える請求項３３に記載の電子番組ガイド。
　
［３］訂正１後の特許請求の範囲の記載（形式的に確定している。）
　
　別の無効審判（無効２００８−８０００５２号）の審決の送達により、登録時の請求項１〜３４のうち請求項２１，２２，２８，３３，３４を削除することをその実質内容とする上記「訂正１」が、形式的に確定したことは前記のとおりであり、
　この「訂正１」後の明細書（訂正明細書１）の特許請求の範囲の請求項１〜２９の各記載は，下記のとおりである。
　また、登録時（訂正１前）と訂正１後の請求項の項番号の対応は、次のとおりであり、無効を求めた特許に係る請求項（登録時の請求項１ないし３４）は、この「訂正１」により、特許請求の範囲の請求項１ないし２９（訂正１後）となった。
　
　〈登録時と訂正１後の請求項の対応〉
　　登録時（訂正１前）　　訂正１後（訂正明細書１）
　　　請求項１〜２０　　　　請求項１〜２０　（変わらず）
　　　請求項２３〜２７　　　請求項２１〜２５
　　　請求項２９〜３２　　　請求項２６〜２９
　
　　　　記（訂正１後の特許請求の範囲）
　「【請求項１】
タイトル、放送時間そしてチャンネルをそれぞれが含んでいる複数のテレビジョン番組リストを電子メモリに記憶するステップ、
時間とチャンネルのグリッドガイド形式で前記の複数のテレビジョン番組リストのチャンネルの中の幾つかをモニタースクリーン上に表示するステップ、
このモニタースクリーン上でカーソルを移動してグリッドガイド形式で表示されたチャンネルの一つに目印を付けるステップ、そして
グリッドガイド形式の代わりに単一チャンネル形式でその目印を付けたチャンネルを表示するステップ
を備え、前記の単一チャンネル形式はその目印を付けたチャンネルに対応するチャンネルのテレビジョン番組リストを順次配列した行を含んでいることを特徴としたテレビジョン番組リストのデータベースを閲覧する方法。
【請求項２】
スクリーン上でカーソルを移動して前記の単一チャンネル形式内の別の表示タイトルに目印を付ける請求項１に記載の方法。
【請求項３】
前記の記憶するステップが前記の複数のテレビジョン番組リストに関連する番組ノートを追加して記憶し、前記のグリッドガイド形式で表示するステップが前記のテレビジョン番組リストと同時に、当該目印を付けられたチャンネルに対応する番組ノートを表示する請求項１に記載の方法。
【請求項４】
タイトル、放送時間そしてチャンネルをそれぞれが含んでいる複数のテレビジョン番組リストを電子メモリに記憶するステップ、
放送時間についてテレビジョン番組リストのタイトルとチャンネルとを第１形式でモニタースクリーン上に表示するステップ、
このモニタースクリーン上でカーソルを移動して第１形式で表示されたチャンネルの一つに目印を付けるステップ、そして
第１形式の代わりに第２形式でその目印を付けたチャンネルを含む番組リストのタイトルと時間とを表示するステップ
を備えていることを特徴としたテレビジョン番組リストのデータベースを閲覧する方法。
【請求項５】
前記の記憶するステップが番組リストに対応する番組ノートを追加して記憶し、そして前記の第2形式で表示するステップが番組ノートをテレビジョン番組リストと同時に表示する請求項４に記載の方法。
【請求項６】
タイトル、放送時間そしてチャンネルをそれぞれが含んでいる複数のテレビジョン番組リスト、
このテレビジョン番組リストの中の幾つかを表示する時間とチャンネルのグリッドガイド、
このグリッドガイドに表示されたテレビジョン番組リストの一つを選択して目立たさせる可動カーソル、そして
時間とチャンネルのグリッドガイドをその目立たせたテレビジョン番組リストのチャンネルの単一チャンネルガイドに変える手段
を備えていることを特徴とする電子番組ガイド。
【請求項７】
テレビジョン番組リストが更に番組ノートを含み、そして当該目立たさせたチャンネルの番組ノートが電子番組ガイド内の番組リストと同時に表示される請求項６に記載の電子番組ガイド。
【請求項８】
テレビジョン番組リストを複数のセル内に表示している時間とチャンネルのグリッドガイド形式で表示モニターに、RAMに記憶したテレビジョン番組リストを表示させる信号を発生し、
その表示されたテレビジョン番組リストの一つを目立たさせる信号を発生し、そして
グリッドガイド形式の代わりに単一チャンネル形式でその目立たされたテレビジョン番組リストを表示する信号を発生
するようプログラムされていることを特徴としたマイクロプロセッサ。
【請求項９】
チャンネルカスタム化のチャンネルリスト内の複数のチャンネルに対するテレビジョン番組リストを電子メモリに記憶するステップ、
時間とチャンネルのガイド形式でテレビジョン番組リストの中の幾つかをモニタースクリーンに表示するステップ、そして
前記のチャンネルリスト内の複数のチャンネルを視聴者の関心と一致する好ましい順序に配列するステップ
を備えることを特徴とするテレビジョン番組リストのデータベースを閲覧する方法。
【請求項１０】
前記の配列するステップが、設定された順序でチャンネルリスト内で複数のチャンネルの各々を時間にわたって表示するステップと、表示される複数のチャンネルに対するチャンネルリスト内の優先順位を選択するステップを備える請求項９に記載の方法。
【請求項１１】
チャンネルリスト内で複数のチャンネルの各々を表示するステップが、そのチャンネルリスト内のチャンネル毎にチャンネルラベルを表示することを含む請求項１０に記載の方法。
【請求項１２】
チャンネルカスタム化のチャンネルリスト内の複数のチャンネルに対するテレビジョン番組リストを電子メモリに記憶する手段、
時間とチャンネルのガイド形式でテレビジョン番組リストの中の幾つかをモニタースクリーンに表示する手段、そして
前記のチャンネルリスト内の複数のチャンネルを視聴者の関心と一致する好ましい順序に配列する手段
を備えることを特徴とする電子プログラムガイド。
【請求項１３】
前記のガイドのチャンネルリストの複数のチャンネルを好ましい順位に配列するための手段を更に含む請求項１２に記載の電子番組ガイド。
【請求項１４】
前記の配列するための手段が、複数のチャンネルの中で順位を変えようとする一つのチャンネルを選択して目立たさせるためにガイド上に表示された移動可能なカーソルを含み、その目立たさせたチャンネルがチャンネルリスト内で第1の位置から第2の位置に移動するようにした請求項１３に記載の電子番組ガイド。
【請求項１５】
前記の配列するための手段が、設定された順序で時間にわたってチャンネルリスト内の複数のチャンネルの各々を表示するための手段と、表示されている複数のチャンネルの各々に対するチャンネルリスト内の優先順位を選択するための手段を備える請求項１３に記載の電子番組ガイド。
【請求項１６】
複数のテレビジョン番組リストに対応し、テレビジョン番組リスト毎にタイトル、チャンネルそして開始時間を含んでいるデータファイルをメモリに記憶するステップ、
メモリに記憶されている複数のテレビジョン番組リストをディスプレイモニターに表示するステップ、
記録するためビデオ記録媒体をVCRまたはその他の記録装置内に装填するステップ、
表示された複数のテレビジョン番組リストの中の一つを記録するために選択するステップ、そして
記録するために選択されたテレビジョン番組リストが示している番組をVCRまたはその他の記録装置に記録するするために前記の記録するために選択されたテレビジョン番組リストのデータを前記のデータファイルからVCRまたはその他の記録装置に転送するステップ
を備えることを特徴とするVCRまたはその他の記録装置を使用して、ビデオ記録媒体にテレビジョン番組を記録する方法。
【請求項１７】
ビデオ記録媒体に記録された番組のディレクトリを生成するスッテプ、そして
記録のために選択されたテレビジョン番組リストに対応するタイトルをデータファイルから前記のディレクトリに加えるステップ
を含み、前記のディレクトリは番組タイトルと記録位置を含んでいる請求項１６に記載の方法。
【請求項１８】
VCRまたはその他の記録装置内のビデオ記録媒体の記録位置を測定するステップ、そして記録のために選択された番組リストが示す番組の記録の開始時に、その測定した記録位置を前記のディレクトリに加えるステップを更に含む請求項１７に記載の方法。
【請求項１９】
複数のテレビジョン番組リストに対応するデータファイルをメモリに記憶するステップが、ビデオ番組を搬送するテレビジョン信号のVBIからデータファイルをダウンロードすることを含む請求項１７に記載の方法。
【請求項２０】
複数のテレビジョン番組リストに対応するデータファイルをメモリに記憶するステップが、RAMの一つのセクションにデータファイルを記憶することを含む請求項１７に記載の方法。
【請求項２１】
複数のテレビジョン番組リストに対応するデータファイルをメモリに記憶するステップが、一つのチャンネル特定番組ガイドを記憶することを含む請求項１７に記載の方法。
【請求項２２】
複数のテレビジョン番組リストに対応するデータファイルをメモリに記憶するステップが、複数のチャンネル特定番組ガイドを記憶することを含む請求項１７に記載の方法。
【請求項２３】
表示された複数のテレビジョン番組リストの中の一つを記録するために選択するステップが、表示モニター上に移動可能なカーソルを提供し、そしてカーソルをモニター上で移動して、表示されたテレビジョン番組リストの一つを選択する請求項１６に記載の方法。
【請求項２４】
複数のテレビジョン番組リストに対応し、テレビジョン番組リスト毎にタイトル、チャンネルそして開始時間を含んでいるデータファイルが記憶される電子メモリ、
この電子メモリに記憶された複数のテレビジョン番組リストを表示するディスプレイモニター、
番組タイトルと記録位置を含む、ビデオ記録媒体に記録された番組ディレクトリ、
表示された複数のテレビジョン番組リストの中の一つを記録するために選択する手段、
記録するために選択されたテレビジョン番組リストに対応するデータをデータファイルからVCRまたはその他の記録装置の記録スタックに転送し、VCRまたはその他の記録装置が前記の記録するために選択されたテレビジョン番組リストが示している番組を記録する手段
を備え、前記の記録するために選択されたテレビジョン番組リストに対応するデータファイルからのタイトルが前記のディレクトリに加えられることを特徴としたVCRまたはその他の記録装置を使用して、ビデオ記録媒体にテレビジョン番組を記録し、そしてインデックスを付けるシステム。
【請求項２５】
VCRまたはその他の記録装置内のビデオ記録媒体の記録位置を測定する手段を含み、記録するために選択されたテレビジョン番組リストが示している番組の記録の開始時にその測定された記録位置が前記のディレクトリに加えられる請求項
２４
【請求項２６】
表示された番組リストの一つを選択する手段が、ディスプレイモニター上に与えられた移動可能なカーソルを備える請求項
２４
【請求項２７】
タイトル、チャンネルそして開始時間をテレビジョン番組リスト毎に含んでいる複数のテレビジョン番組リストのデータファィルを記憶しているRAMから前記の複数のテレビジョン番組リストを取り出してディスプレイモニターに表示する信号を発生し、
この表示された複数のテレビジョン番組リストの中の一つを記録するためその一つのテレビジョン番組リストを特定する信号を発生し、そして
この記録するために選択されたテレビジョン番組リストに対応するデータをデータファイルからVCRまたはその他の記録装置に転送するための信号を発生するよう
プログラムされ、前記の記録するために選択されたテレビジョン番組リストが示している番組を記録させるようにすることを特徴としたマイクロプロセッサ。
【請求項２８】
ビデオ記録媒体に記録される番組のディレクトリを生成する信号と、記録するために選択されたテレビジョン番組リストに対応するデータファイルからのタイトルを前記のディレクトリに加えるための信号とを発生するように追加的にプログラムされており、前記のディレクトリが番組タイトルと記録位置とを含む請求項
２７
【請求項２９】
VCRまたはその他の記録装置内のビデオ記録媒体の記録位置を測定する信号を発生し、そして記録するために選択されたテレビジョン番組リストが示している番組の記録の開始時にその測定された記録位置をディレクトリに加える信号を発生するよう追加的にプログラムされている請求項
２８
　
【第３】特許請求の範囲の記載（本件訂正後、訂正明細書２）
　
　平成２１年１２月２８日付訂正請求書（本件訂正請求）に添付された訂正明細書（訂正明細書２）の特許請求の範囲の記載は次のとおりである。
　
「【請求項１】
タイトル、放送時間そしてチャンネルをそれぞれが含んでいる複数のテレビジョン番組リスト、
このテレビジョン番組リストの中の幾つかを表示する時間とチャンネルのグリッドガイド、
このグリッドガイドに表示されたテレビジョン番組リストの一つを選択して目立たさせる可動カーソル、そして
時間とチャンネルのグリッドガイドをその目立たせたテレビジョン番組リストのチャンネルの単一チャンネルガイドに変える手段
を備えていることを特徴とする電子番組ガイド。
【請求項２】
テレビジョン番組リストを複数のセル内に表示している時間とチャンネルのグリッドガイド形式で表示モニターに、RAMに記憶したテレビジョン番組リストを表示させる信号を発生し、
その表示されたテレビジョン番組リストの一つを目立たさせる信号を発生し、そして
グリッドガイド形式の代わりに単一チャンネル形式でその目立たされたテレビジョン番組リストを表示する信号を発生
するようプログラムされていることを特徴としたマイクロプロセッサ。」
　
　
【第４】当事者の主張 
　
　以下、本審決における「○１」、「○２」等の表記は、記号「○の中に数字を入れた記号」を示すものである。（情報処理システムの能力上、同記号を表すことができないことによる。）
　
【第４-１】請求人の主張（請求）
　
［１］請求の趣旨  
　特許第３６００１４９号発明の特許請求の範囲の請求項１〜３４に記載された各発明についての特許を無効とする。
　審判費用は被請求人の負担とする。
　
［２］請求の理由
　
［２.１］無効理由１（新規性違反、特許法第２９条第１項３号、
　　　　　　　　　・進歩性違反、特許法第２９条第２項　）
　請求人は、　以下のように、
　本件発明１〜８，１４，１６〜３２、３４については、進歩性違反のみを主張しており、
　本件発明９〜１３，１５，３３については、新規性違反及び進歩性違反を主張している。
　
　　○１　本件特許の請求項１〜７に係る発明は、甲第１号証〜甲第４号証の１〜３に記載された発明に基づいて、出願前に当業者が容易に発明をすることができたものであるから、特許法第２９条第２項の規定により特許を受けることができないものであり、その特許は同法第１２３条第１項に該当し、無効とすべきである。
　　○２　本件特許の請求項８に係る発明は、甲第１号証〜甲第３号証に記載された発明に基づいて、出願前に当業者が容易に発明をすることができたものであるから、特許法第２９条第２項の規定により特許を受けることができないものであり、その特許は同法第１２３条第１項に該当し、無効とすべきである。
　　○３　本件特許の請求項９〜１３及び１５に係る発明は、甲第１号証及び甲第５号証に記載された発明に基づいて、出願前に当業者が容易に発明をすることができたものであるから、特許法第２９条第２項の規定により特許を受けることができないものであり、その特許は同法第１２３条第１項に該当し、無効とすべきである。
　　○４　本件特許の請求項９〜１３、１５、３３に係る発明は、甲第６号証に記載された発明と同一発明であるから、特許法第２９条第１項の規定により特許を受けることができないものであり、その特許は同法第１２３条第１項に該当し、無効とすべきである。
　　○５　本件特許の請求項９〜１３、１５、３３、３４に係る発明は、甲第６号証に記載された発明に基づいて、出願前に当業者が容易に発明をすることができたものであるから、特許法第２９条第２項の規定により特許を受けることができないものであり、その特許は同法第１２３条第１項に該当し、無効とすべきである。
　　○６　本件特許の請求項１４に係る発明は、甲第１号証、甲第３号証、甲第４号証及び甲第５号証に記載された発明に基づいて、又は、甲第１号証、甲第３号証、甲第４号証及び甲第６号証に記載された発明に基づいて、出願前に当業者が容易に発明をすることができたものであるから、特許法第２９条第２項の規定により特許を受けることができないものであり、その特許は同法第１２３条第１項に該当し、無効とすべきである。
　　○７　本件特許の請求項１６、２５、３０に係る発明は、甲第７号証に記載された発明に基づいて、出願前に当業者が容易に発明をすることができたものであるから、特許法第２９条第２項の規定により特許を受けることができないものであり、その特許は同法第１２３条第１項に該当し、無効とすべきである。
　　○８　本件特許の請求項１７、１８、２０、２３、２４、２６、２７、２９、３１、３２に係る発明は、甲第７号証〜甲第９号証に記載された発明に基づいて、出願前に当業者が容易に発明をすることができたものであるから、特許法第２９条第２項の規定により特許を受けることができないものであり、その特許は同法第１２３条第１項に該当し、無効とすべきである。
　　○９　本件特許の請求項１９、２１、２２、２８に係る発明は、甲第６号証〜甲第１０号証に記載された発明に基づいて、出願前に当業者が容易に発明をすることができたものであるから、特許法第２９条第２項の規定により特許を受けることができないものであり、その特許は同法第１２３条第１項に該当し、無効とすべきである。
　　○１０　本件特許の請求項２６、２７、２９に係る発明は、甲第７号証、甲第９号証及び甲第１１号証に記載された発明に基づいて、出願前に当業者が容易に発明をすることができたものであるから、特許法第２９条第２項の規定により特許を受けることができないものであり、その特許は同法第１２３条第１項に該当し、無効とすべきである。
　
［２.２］無効理由２（自然法則を利用せず。特許法第２９条第１項柱書）
　　○１１　本件特許の請求項１６〜２５及び２８に係る発明は、発明ではないから、特許法第２９条第１項柱書きの規定により特許を受けることができないものであり、その特許は同法第１２３条第１項に該当し、無効とすべきである。
　
　
［２.３］請求人主張の無効理由１の要点
　以下に、請求人が主張する上記無効理由１の要点を、主に争点となっている事項を中心に記す。
　
　（１）本件発明１（甲１〜甲４から容易）
　《甲１発明との（相違点２）》：「モニタースクリーン上でカーソルを移動してグリッドガイド形式で表示されたものの一つに目印を付けることに関し、本件発明１は、「チャンネル」に目印を付けるのに対し、甲１発明は、「番組」に目印を付ける点」について
　グリッドガイド形式の代わりに単一チャンネル形式で番組表を表示する際に、いずれの１つのチャンネルの番組表を表示するかを決めるためにチャンネルを選択する必要があるところ、このチャンネルを選択する方法について検討すると、甲３号証や甲４号証の１〜３に開示されているように、画面上で目印を付けることにより選択することは周知技術であり、甲１発明においても番組を指定する際にカーソルを番組に移動させて番組を表示しているエリアの色を変えて目印を付けており（記載カ）、選択する対象にカーソルを移動させて目印を付けて選択するように構成することは容易になし得るものである。よって、特定の１つのチャンネルのテレビ番組リストを表示する画面に切り換えるためにチャンネルを選択する方法として、チャンネルに目印を付けるように構成することは容易になし得るものである。
　《甲１発明との（相違点３）》：「本件発明１は、グリッドガイド形式の代わりに単一チャンネル形式でその目印を付けたチャンネルを表示するのに対し、甲１発明は、この点が明確に示されていない点」
　は、甲１号証には、「前述の実施例は、１画面に２つのチャンネルの番組表を表示できるようにしたが、表示されるチャンネル数は、………例えば、１個のチャンネルのみとして、表示できる時間帯を多くしてもよい。」と説明され（記載キ）、また、２つのチャンネルの番組表は第３図に示されているようにグリッドガイド形式であるから、甲１号証には、「２つのチャンネルのグリッドガイド形式の代わりに単一チャンネル形式で番組表を表示する」ことが示唆されている。また、複数のチャンネルの番組表に代えて指定された１つのチャンネルの番組の一覧表を表示することは、例えば、甲２号証に開示されている（記載オ、カ、キ、ク、ケ）。いずれの証拠に開示されている技術も番組表の表示に関するものであってこれらを組み合わせることに困難性はない。したがって、甲１発明において、グリッドガイド形式の代わりに単一チャンネル形式で番組表を表示するように構成することは容易になし得るものである。
　グリッドガイド形式から単一チャンネル形式に変更する場合の画面遷移をどのようにするかはユーザの便宜を考えて適宜設計される事項であり、グリッドガイド形式から直接に単一チャンネル形式に代えるように設計することには何ら困難性はない。
　グリッドガイド形式から直接に単一チャンネル形式に代えるように表示形式を変更する際に、例えば、甲３号証（記載ア、イ）や甲４号証の１〜３（例えば、甲４号証の１の記載ア〜ウ）に開示されているように、画面上で目印を付けて、その目印を付けた位置に関する情報の画面に切り換えることは、グラフィックユーザインターフェースの分野では周知技術であり、画面を通してユーザからの指示を受ける際にグラフィックユーザインターフェースの周知技術を用いることに何ら困難性はない。
　よって、甲３号証や甲４号証の１〜３に開示されている周知技術を利用し、単一チャンネルに関する情報の画面に切り換えるために、目印を付ける対象を単一チャンネルとして、グリッドガイド形式の代わりに単一チャンネル形式でその目印を付けたチャンネルを表示するように構成することは容易になし得るものである
　《甲１号証との（相違点４）》：「本件発明１では、単一チャネル形式はその目印を付けたチャンネルに対応するチャンネルのテレビジョン番組リストを順次配列した行を含んでいるのに対し、甲１発明は、これが明確に示されていない点」について
　単一チャンネル形式で番組表を表示する際にチャンネルを指定する方法が、チャンネルに目印を付けるものであるとすれば、その結果として、単一チャンネル形式はその目印を付けたチャンネルに対応するチャンネルのテレビジョン番組リストを順次配列した行となることは明らかである。
　したがって、本件発明１は、甲１発明に、甲２号証に開示されている技術及び甲３号証や甲４号証の１〜３に記載されているような周知技術を適用することにより、当業者が容易に発明をすることができたものである。
　
　（なお、請求人は、甲第４号証については、甲第４号証の１についてのみ具体的に記載箇所を摘示し指摘しているが、甲４号証の２，甲４号証の３については具体的に記載箇所を摘示していない。）
　
　（２）本件発明２（甲１〜甲４から容易）
　甲１号証には、表示されるチャンネル数は、１個のチャンネルのみとしてもよいことが説明されている（記載キ）。よって、グリッドガイド形式で表示されている番組表でカーソルを移動させて番組名称を表示しているエリアの色を変えて目印を付けるのと同様に、甲１号証で示唆されている１個のチャンネルで表示される番組表においても、カーソルを移動させて番組名称を表示しているエリアの色を変えて目印を付けるように構成することは容易になし得るものである。
　
　（３）本件発明３（甲１〜甲４から容易）
　甲１発明の番組名称に関連する「番組の概要」は本件発明３のテレビジョン番組リストに関連する「番組ノート」に相当するものであって、甲１発明は、構成要件３Ａ「前記の記憶するステップが前記の複数のテレビジョン番組リストに関連する番組ノートを追加して記憶し」に相当する構成を有している。
　《甲１発明との（相違点６）》：本件発明３は「前記のグリッドガイド形式で表示するステップが前記のテレビジョン番組リストと同時に、当該目印を付けられたチャンネルに対応する番組ノートを表示する」のに対し、甲１発明はいかなるときに、いかなる番組ノートを表示するのかが明確に示されていない点について
　「番組の概要」は「番組名称」と常に同時に表示させるか、あるいは、表示させたい「番組の概要」に関連する「番組名称」を選択することにより「番組の概要」を表示させるかのいずれかの態様をとることが一般的であり、後者の場合に、「番組の概要」を表示する際に、ユーザの便宜のためにそれに関連する「番組名称」も同時に表示させることは単なる設計的事項に過ぎない。
　本件明細書における「番組ノート」は、「チャンネル」ではなく本来は「番組」又は「番組名称」に関連するものであるが、本件発明３で「番組ノート」が「チャンネル」に対応するように、仮に、甲１発明においても、「番組の概要」が「番組名称」に関連するものではなく、「チャンネル」に関連付けられているのであれば、甲１発明において、番組名称などを含む番組表とともに目印を付けたチャンネルに対応する番組の概要も同時に表示させるように構成するために変更を行うことは当業者であれば容易になし得ることである。
　
　（４）（５）本件発明４〜５（甲１〜甲４から容易）
　請求人の主張は、上記（１）（３）と格別異ならず、上記（１）（３）と同様である。
　
　（６）本件発明６（甲１〜甲４から容易）
　《甲１発明との（相違点１２）》：本件発明６は、「時間とチャンネルのグリッドガイドをその目立たせたテレビジョン番組リストのチャンネルの単一チャンネルガイドに変える手段を備えている」のに対し、甲１発明は、このような構成を備えているかが明確に示されていない点について
　甲１号証には、「２つのチャンネルのグリッドガイドの代わりに単一チャンネルガイドで番組表を表示する」ことが示唆されている（記載キ）。
　また、複数のチャンネルの番組表に代えて指定された１つのチャンネルの番組の一覧表を表示することは、例えば、甲２号証に開示されている（記載オ、カ、キ、ク、ケ）。いずれの証拠に開示されている技術も番組表の表示に関するものであってこれらを組み合わせることに困難性はない。したがって、甲１発明において、グリッドガイドを単一チャンネルガイドに変える手段を備えることは容易になし得る。
　グリッドガイドから単一チャンネルガイドに変更する場合の画面遷移をどのようにするかはユーザの便宜を考えて適宜設計される事項であり、グリッドガイドから直接に単一チャンネルガイドに代えるように設計することには何ら困難性はない。
　グリッドガイドから直接に単一チャンネルガイドに代えるように表示形式を変更する際に、例えば、甲３号証（記載ア、イ）や甲４号証の１〜３（例えば、甲４号証の１の記載ア〜ウ）に開示されているように、画面上で目印を付けて目立たせることにより選択し、その目立たせた位置に関する情報の画面に切り換えることは、グラフィックユーザインターフェースの分野では周知技術であり、画面を通してユーザからの指示を受ける際にグラフィックユーザインターフェースの周知技術を用いることに何ら困難性はない。
　グリッドガイドの代わりに単一チャンネルガイドで番組表を表示する際に、いずれのチャンネルの番組表を表示するかを決めるためにチャンネルを特定する必要があるところ、このチャンネルを特定する方法について検討すると、特定の番組名称を有する番組は、特定のチャンネルで特定の放送時間に放送されるものであるから、甲１発明のように、カーソルによって、特定の番組名称を有する番組の１つを選択して目立たせると（記載カ）、特定の番組名称を有する番組のチャンネル及び放送時間も実質的に特定することができる。よって、特定の１つのチャンネルのテレビ番組リストを表示する画面に切り換えるためにチャンネルを特定する方法として、特定の番組名称を有する番組の１つを選択して目立たせることにより、その番組のチャンネルを実質的に特定するように構成することは容易になし得るものである。
　よって、甲３号証や甲４号証の１〜３に開示されている周知技術を利用し、単一チャンネルに関する情報の画面に切り換えるために、目立たせる対象を特定の番組名称を有する番組の１つとして、その番組のチャンネルを実質的に特定し、グリッドガイドの代わりにその目立たせた番組名称により実質的に特定されるチャンネルの単一チャンネルガイドを表示するように構成することは容易になし得るものである。
　したがって、本件発明６は、甲１発明に、甲２号証に開示されている技術及び甲３号証や甲４号証の１〜３に記載されているような周知技術を適用することにより、当業者が容易に発明をすることができたものである。
　
　（７）本件発明７（甲１〜甲４から容易）
　本件発明７の「番組ノート」には、本件特許明細書の段落００２２〜２３記載の「○番組ジャンル、○番組紹介、○スター及び著名人、○封切りの年、○エピソード風のサブタイトル、○番組の所要時間、○番組の経過時間、○批評（スターの評価）、○範疇（ＰＧ、Ｇその他）、○コールサイン、チャンネルマーカー、○字幕、ステレオ」の情報のうち、例えば番組紹介のみ、あるいは番組の所要時間のみを表示するものも含まれるから、甲１発明の「番組の概要」は本件発明７の「番組ノート」に相当する。
　甲１発明は、「番組」又は「番組名称」に関連する「番組の概要」を記憶していることは明らかである。
　《甲１発明との（相違点１３）》：本件発明７は「そして当該目立たさせたチャンネルの番組ノートが電子番組ガイド内の番組リストと同時に表示される」のに対し、甲１発明はいかなるときに、いかなる番組ノートを表示するのかが明確に示されていない点について
　甲１発明の「番組の概要」は「番組名称」と常に同時に表示させるか、あるいは、表示させたい「番組の概要」に関連する「番組名称」を選択することにより「番組の概要」を表示させるかのいずれかの態様をとることが一般的であり、後者の場合に、「番組の概要」を表示している際に、ユーザの便宜のためにそれに関連する「番組名称」も同時に表示させることは単なる設計的事項に過ぎない。
　仮に、甲１発明においても、「番組の概要」が「番組名称」に関連するものではなく、「チャンネル」に関連するものであれば、甲１発明において、番組名称などの番組表とともに目立たせたチャンネルの番組の概要も同時に表示させるように構成するために変更を行うことは当業者であれば容易になし得ることである。
　
　（８）本件発明８（甲１〜甲３から容易）
　《甲１発明との（相違点１４）》：本件発明８は、グリッドガイド形式の代わりに単一チャンネル形式でその目立たされたテレビジョン番組リストを表示する信号を発生するようプログラムされているのに対し、甲１発明は、このような構成を備えているかが明確に示されていない点について
　本件発明８では、「その表示されたテレビジョン番組リストの一つを目立たさせる信号を発生し、そしてグリッドガイド形式の代わりに単一チャンネル形式でその目立たされたテレビジョン番組リストを表示する信号を発生する」（８Ｂ８Ｃ）と規定されていることから、「その目立たされたテレビジョン番組リスト」は１つのテレビジョン番組リストであり、この１つのテレビジョン番組リストを表示することが規定されている。よって、本件発明８は、目立たされたチャンネルに対応するテレビジョン番組リストを表示するものでも、また、目立たされたテレビジョン番組リストに対応するチャンネルのテレビジョン番組リストを表示するものでもなく、単に、１つの目立たされたテレビジョン番組リストを表示するに過ぎない。
　甲１発明では、グリッドガイド形式の番組表でカーソルを番組に移動させて番組を表示しているエリアの色を変えて目立たせることにより番組を選択しているところ（記載カ）、複数の項目が表示されている画面形式から、選択された１つの項目（「１つの項目だけ」は、平成２０年１０月３０日の口頭審理において、「１つの項目」に訂正された。）が表示される画面形式に代えることは甲３号証に開示されている（記載イ）。甲１号証及び甲３号証いずれも表示に関する技術でであってこれらを組み合わせることに困難性はなく、グリッドガイド形式の番組表の代わりに、選択されて目立たせられた番組を表示するように構成することは容易になし得るものである。ここで、選択された１つの番組は特定の１つのチャンネルにより放送される番組であるから、選択された１つの番組を表示することは、即、単一チャンネル形式で表示することに他ならない。よって、グリッドガイド形式の代わりに選択されて目立たせられた番組の単一チャンネル形式に代えるように構成することは容易になし得るものである。
　殊に、甲１号証には、「複数のチャンネルのグリッドガイド形式の代わりに単一チャンネル形式で番組を表示する」構成が示唆されており（記載キ）、選択された１つの番組を表示することにより単一チャンネル形式で表示するように構成することはこのことからも容易であるといえる。なお、複数のチャンネルの番組表に代えて１つのチャンネルの番組を表示することは、例えば、甲２号証に開示されており（記載オ、カ、キ、ク、ケ）、いずれの証拠に開示されている技術も番組表の表示に関するものであってこれらを組み合わせることに困難性はない。加えて、グリッドガイド形式から単一チャンネル形式に変更するような画面遷移をどのようにするかはユーザの便宜を考えて適宜設計される事項であり、グリッドガイド形式から直接に単一チャンネル形式に代えるように設計することには何ら困難性はない。
　よって、グリッドガイド形式から、グリッドガイドに表示された番組の中から選択された１つの番組を表示する単一チャンネル形式に代えるように構成することは容易になし得るものであって、甲１発明において、グリッドガイド形式の代わりに単一チャンネル形式で、選択された目立たされた番組を表示する信号を発生するようプログラムすることは容易になし得るものである。
　したがって、本件発明８は、甲１発明に、甲２号証及び甲３号証に開示されている技術を適用することにより、当業者が容易に発明をすることができたものである。
　
　（９）本件発明９（甲１・甲５から容易、甲６と同一／甲６から容易）
　〈甲１・甲５から容易〉
　本件明細書の段落００６９「１２の好きなチャンネルが許されるだけなので、ユーザーは、既存の好きなチャンネルの状態をオフ又はオンとすることで好きなチャンネルを除去できる。」、段落００７０「全ての好きな放送局がまず番号順にリストアップされる。次に、全てのケーブルサービスがアルファベット順にリストアップされる。」によれば、単にチャンネルの状態をオフ又はオンとすることにより、不要なチャンネルを除去しているに過ぎず、残された好きなチャンネルは、放送局では番号順に、ケーブルサービスではアルファベット順に配列され、残された好きなチャンネル間での順序は一意的に決定されている構成のみが開示され、例えば、８チャンネルの次に４チャンネルを配列するように、複数のチャンネルを任意の順序に入れ替えて配列できるような実施形態は開示されておらず、
　構成要件９Ｃの「複数のチャンネルを視聴者の関心と一致する好ましい順序に配列する」なる構成が本件明細書に基づくものとするならば、本件発明９の構成要件９Ｃは、好きなチャンネル間での順序は一意的に決定されている構成を含むものであって、チャンネルを任意の順序に入れ替えることまでは要求されないと解される。
　《甲１発明との（相違点１５）》：本件発明９は、「チャンネルカスタム化のチャンネルリスト内」の複数のチャンネルに対するテレビジョン番組リストであるのに対し、甲１発明はチャンネルカスタム化のチャンネルリスト内の複数のチャンネルのテレビジョン番組リストでない点、
　《甲１発明との（相違点１６）》：本件発明９は、「前記のチャンネルリスト内の複数のチャンネルを視聴者の関心と一致する好ましい順序に配列するステップ」を備えているのに対し、甲１発明はこのようなステップを備えていない点について
　甲５号証では、選局受信可能な１００チャンネル分の放送波の中からユーザの好みにあった所定のチャンネル（特定チャンネル）を「ＴＯＰ１０」として登録しており、チャンネルを任意の順序に入れ替えて登録できる場合は、当然に、甲５号証には、１００チャンネル分のチャンネルリスト内の１０チャンネルからなる複数のチャンネルを視聴者の関心と一致する好ましい順序に配列してカスタム化する構成が開示されているといえ、任意の順序に入れ替えて登録できない場合でも、好みにあった所定のチャンネルでの順序は一意的に決定されているから、前述の解釈のもとでは、甲５号証には、１００チャンネル分のチャンネルリスト内の１０チャンネルからなる複数のチャンネルを視聴者の関心と一致する好ましい順序に配列してカスタム化する構成が開示されているといえる。
　そして、甲１号証には、「前述の実施例は、１画面に２つのチャンネルの番組表を表示できるようにしたが、表示されるチャンネル数は、・・・例えば、１個のチャンネルのみとして、表示できる時間帯を多くしてもよい。」と説明され（記載キ）、番組表のチャンネルを減少させてもよいことが示唆されており、甲５号証のチャンネルカスタム化技術を甲１発明に適用して、甲５号証に開示されているカスタム化の手法を用いて、番組表のための番組情報に関するチャンネルを、視聴者の関心と一致する好ましい順序に配列することには何ら困難性はない。
　〈甲６と同一／甲６から容易〉
　甲６発明では、番組スケジュール情報信号をＣＰＵ１７８に供給し、ＣＰＵ１７８はメモリ１７９に接続され、メモリ１７９は番組スケジュール情報を受信しているから（記載エ）、番組スケジュール情報が電子メモリに記憶されている。
　甲６発明では、番組スケジュール情報から視聴する番組を選択しており（記載ア）、番組を選択するための一覧表示には、それぞれの番組に関する、番組の開始時間、番組の名称およびチャンネル番号が表示されるから（記載オ、カ）、番組スケジュール情報には、それぞれの番組に関する、番組の開始時間、番組の名称およびチャンネル番号が含まれているから「テレビジョン番組リスト」である。
　また、甲６発明では、一覧表示するチャンネル及び一覧表示しないチャンネルを指定することにより複数のチャンネルをユーザの関心のあるチャンネルに制限しているが（記載ク）、前述したように、本件発明９の構成要件９Ｃの「複数のチャンネルを視聴者の関心と一致する好ましい順序に配列する」なる構成が本件明細書に基づくものとするならば、本件発明９の構成要件９Ｃは、好きなチャンネル間での順序は一意的に決定されている構成を含むものであって、チャンネルを任意の順序に入れ替えることまでは要求されないと解されるから、甲６発明では、複数のチャンネルをユーザの関心のあるチャンネルに制限することにより好ましい順序に配列するチャンネルカスタム化を行っているといえる。
　したがって、甲６発明は、本件発明９の構成要件９Ａに相当する構成、及び本件発明９の構成要件９Ｃ「前記のチャンネルリスト内の複数のチャンネルを視聴者の関心と一致する好ましい順序に配列するステップ」に相当する構成を有している。
　また、甲６発明では、時間とチャンネルが含まれた形式で番組スケジュールが表示される（記載カ）。
　したがって、甲６発明は、本件発明９の構成要件９Ｂに相当する構成を有している。
　このように甲６発明は本件発明９のすべての構成要件を備えており、両者は同一発明である。また、仮に両者が同一発明でないとしても、本件発明９は甲６発明に基づいて容易になし得るものである。
　
　（１０）本件発明１０（甲１・甲５から容易、甲６と同一／甲６から容易）
　構成要件１０Ａの「時間にわたって表示する」は、実質的な限定ではなく、「設定された順序」とは、何らかの「設定された順序」であれば足りると解される。
　構成要件１０Ｂの「優先順位を選択する」の意義は日本語上明確ではないが、「他より先であるか後であるかを順序を追って定めた位置」の意味であると解され、これが、本件明細書に基づくものとするならば、本件発明１０の構成要件１０Ｂは、上記構成要件９Ｃと同様、好きなチャンネル間での順序は一意的に決定されている構成を含むものであって、チャンネルを任意の順序に入れ替えることまでは要求されないと解される。
　〈甲１・甲５から容易〉、〈甲６と同一／甲６から容易〉共に、請求人の主張は、本件発明９についての主張と格別異ならない。
　
　（１１）本件発明１１（甲１・甲５から容易、甲６と同一／甲６から容易）
　〈甲１・甲５から容易〉
　甲５号証には、ユーザの好みにあった所定のチャンネル（特定チャンネル）については、例えばＭＴＶ、ＣＮＮ等の放送局名を番組識別情報として登録し、登録された特定チャンネル毎に番組識別情報を表示させることが説明され（記載ア）、本件発明１１の「チャンネルラベル」はチャンネルを識別するための表示と解され、甲５号証の特定チャンネル毎に付けられる番組識別情報は本件発明１１のチャンネル毎のチャンネルラベルに相当するから、甲５号証の特定チャンネル毎に番組識別情報を表示することは、本件発明１１の「チャンネルリスト内のチャンネル毎にチャンネルレベルを表示する」ことに相当する。
　したがって、甲５号証のチャンネルカスタム化技術を甲１発明に適用して、本件発明１１とすることは容易になし得るものである。
〈甲６と同一／甲６から容易〉
  甲６発明では、特定のチャンネル上で受信された信号にサービス名が関連する場合、チャンネル番号でなくチャンネル名が表示される（記載オ）。「チャンネルラベル」はチャンネルを識別するための表示と解されるから、甲６発明のチャンネル名は本件発明１１の「チャンネルラベル」に相当する。　　したがって、甲６発明は構成要件１１Ａを有している。
  　
　（１２）本件発明１２（甲１・甲５から容易、甲６と同一／甲６から容易）
　〈甲１・甲５から容易〉、〈甲６と同一／甲６から容易〉共に、請求人の主張は、本件発明９についての主張と格別異ならない。
　
　（１３）本件発明１３（甲１・甲５から容易、甲６と同一／甲６から容易）
　構成要件１３Ａ「好ましい順位に配列するための手段を更に含む」は、構成要件１２Ｃ、構成要件９Ｃと同様、本件明細書に基づくものとするならば、好きなチャンネル間での順序は一意的に決定されている構成を含むものであって、チャンネルを任意の順序に入れ替えることまでは要求されないと解される。
　〈甲１・甲５から容易〉、〈甲６と同一／甲６から容易〉共に、請求人の主張は、本件発明９についての主張と格別異ならない。
　
　（１４）本件発明１４（甲１・甲３〜５から容易、甲６から容易）
　〈甲１・甲３〜５から容易〉
　構成要件１４Ａは、移動可能なカーソルが選択対象を移動させる機能を有することまで規定するのではなく、順位を変えようとする１つのチャンネルを選択して目立たせる機能を規定するに過ぎない。特定の対象を選択して目立たせるための移動可能なカーソルは、例えば、甲１号証（記載カ）、甲３号証（記載ア、イ）及び甲４号証の１〜３（例えば、甲４号証の１の記載ア〜ウ）に開示されているようにグラフィックユーザユーザインターフェースの分野では周知技術に過ぎず、順位を変えようとする１つのチャンネルを選択して目立たせるために、甲１号証、甲３号証及び甲４号証の１〜３に開示されているようなカーソルを使用することに何ら困難性はない。
　本件発明１４に関連する本件明細書の段落００６５、６８及び６９における、選択キーを使用してチャンネルのマイ、オン及びオフ状態を選択して、好きなチャンネルを除去する実施形態が本件発明１４に含まれるのであれば、構成要件１４Ｂは、好きなチャンネルを除去する又は除去しないことによりチャンネルの位置が第１の位置から第２の位置に移動することを含むことになる。
　甲５号証では、ユーザの好みにあった所定のチャンネルを自由に選択して登録することができることから（記載ア、オ）、好みにあった所定のチャンネルとしてチャンネルを選択する又は選択しないことによりチャンネルの位置が移動することは明らかである。この際に、登録するチャンネルを選択するためにそのチャンネルをカーソルで目立たせているのであれば、その目立たせたチャンネルの位置が第１の位置から第２の位置に移動することになり、構成要件１４Ｂは、甲５号証に開示されている技術から容易になし得るものである。
　〈甲６から容易〉
　構成要件１４Ａは、移動可能なカーソルが選択対象を移動させる機能を有することまで規定するのではなく、順位を変えようとする１つのチャンネルを選択して目立たせる機能を規定しているに過ぎない。特定の対象を選択して目立たせるための移動可能なカーソルは、例えば、甲１号証（記載カ）、甲３号証（記載ア、イ）及び甲４号証の１〜３（例えば、甲４号証の１の記載ア〜ウ）に開示されているようにグラフィックユーザインターフェースの分野では周知技術に過ぎず、順位を変えようとする１つのチャンネルを選択して目立たせるために、甲１号証、甲３号証及び甲４号証の１〜３に開示されているようなカーソルを使用することに何ら困難性はない。
　本件発明１４に関連する本件明細書の段落００６５、６８及び６９における、選択キーを使用してチャンネルのマイ、オン及びオフ状態を選択して、好きなチャンネルを除去する実施形態が本件発明１４に含まれるのであれば、構成要件１４Ｂは、好きなチャンネルを除去する又は除去しないことによりチャンネルの位置が第１の位置から第２の位置に移動することを含むことになる。甲６発明では、一覧表示するチャンネル及び一覧表示しないチャンネルを指定することにより、複数のチャンネルをユーザの関心のあるチャンネルに制限していることから（記載ク）、好みにあった所定のチャンネルとしてチャンネルを選択する又は選択しないことによりチャンネルの位置が移動することは明らかである。この際に、甲６発明のような登録するチャンネルを入力する方式に代えて、甲１号証、甲３号証及び甲４号証の１〜３に開示されているような選択対象をカーソルで目立たせる方式を採用して、登録するチャンネルを選択するためにそのチャンネルをカーソルで目立たせる方式にすることはユーザの便宜を考えて適宜なし得る設計変更であり、登録するチャンネルを選択するためにそのチャンネルをカーソルで目立たせる方式が採用されるならば、その目立たせたチャンネルの位置が第１の位置から第２の位置に移動することになり、構成要件１４Ｂは、甲６号証に開示されている技術から容易になし得るものである。
　したがって、甲１号証、甲３号証及び甲４号証の１〜３に開示されているような周知技術を甲６発明に適用して、本件発明１４のように構成することは容易になし得るものである。
　
　（１５）本件発明１５（甲１・甲５から容易、甲６と同一／甲６から容易）
　構成要件１５ＡＢは、構成要件１０ＡＢと同様である。
　請求人の主張は、本件発明１０についての主張と格別異ならない。
　
　（１６）本件発明１６（甲７から容易）
　○５　甲７発明では、録画予約のために「設定」キーが押されると、現在カーソルがある位置に対応した番組の開始時刻とチャンネル番号を録画予約カード１のＲＯＭ３２から読み出してＶＴＲ３に出力することにより、番組情報のデータである番組の開始時刻とチャンネル番号をＲＯＭ３２からＶＴＲ３に転送し、ＶＴＲ３はこれらを記憶して開始時間が来ると録画を開始している（記載イ、エ、カ、キ）。
　甲７発明の番組の開始時刻とチャンネル番号は、「テレビジョン番組を特定するための個々の番組単位の番組情報」であって、これは被請求人の解釈によると本件発明１６の「テレビジョン番組リスト」であり、また、甲７発明では「設定」キーが押された時点でカーソルがある位置に対応した番組が録画されるから、甲７発明の現在カーソルがある位置に対応した番組の開始時刻とチャンネル番号は、本件発明１６の「記録するために選択されたテレビジョン番組リストのデータ」に相当し、さらに甲７発明のＲＯＭ３２から読み出してＶＴＲ３に出力することは、本件発明１６の「VCRまたはその他の記録装置に転送する」ことに相当する。
　よって、甲７発明は、本件発明１６の構成要件１６Ｅのうち「記録するために選択されたテレビジョン番組リストが示している番組をVCRまたはその他の記録装置に記録するするために前記の記録するために選択されたテレビジョン番組リストのデータをVCRまたはその他の記録装置に転送するステップ」に相当する構成を有している。
　《甲７発明との（相違点２７）》：本件発明１６では、テレビジョン番組リスト毎にタイトル、チャンネル、開始時間を含んでいるのに対し、甲７発明では、放送又は番組の内容、チャンネル、放映時間が番組毎に含まれているか否か不明である点について
　番組毎に、放送又は番組の内容、チャンネル、放映時間を含めるのか、他の形式で、放送又は番組の内容、チャンネル、放映時間を含めるかは、単なるデータの持ち方に過ぎず、ソフトウェア又はハードウェアの設計に応じて適宜変更される設計的事項であるから、放送又は番組の内容、チャンネル、放映時間を番組毎に含めるように構成することは容易になし得るものである。
　《甲７発明との（相違点２８）》：本件発明１６では、テレビジョン番組リストのデータがデータファイルから転送されているのに対し、甲７発明では、番組情報がメモリであるＲＯＭから転送されている点について
　本件発明１６の構成要件１６Ｅの「前記のデータファイル」は、「前記のメモリに記憶されたデータファイル」と規定されていないため、構成要件１６Ａに規定されている「メモリ」に記憶される前のデータファイルと、構成要件１６Ａに規定されている「メモリ」に記憶されているデータファイルの双方を含むと解されるところ、甲７発明ではメモリであるＲＯＭ３２のデータの集まりから転送していることから、甲７発明と本件発明１６の構成要件１６Ｅとの相違はない。
　仮に、本件発明１６の構成要件１６Ｅの「前記のデータファイル」が構成要件１６Ａに規定されている「メモリ」に記憶される前のデータファイルの意味であるとするならば、相違点２８はメモリ記憶前のデータファイルから転送されるか、メモリ記憶後のデータファイルから転送されるかの相違に過ぎず、メモリ記憶前のどこかの場所に記憶されているデータファイルから転送するように変更することに何ら困難性はない。
　同様に、仮に、本件発明１６の構成要件１６Ｅの「前記のデータファイル」がメモリに記憶されているデータファイルの意味であるとするならば、甲７発明と本件発明１６の構成要件１６Ｅとの相違はない。
　
（１７）本件発明１７（甲７〜甲９から容易）
　《甲７発明との（相違点２９及び３１）》：構成要件１７Ａ１７Ｃについて
　甲８号証では、ＶＴＲが映像信号を記録する動作を開始すると、頭出し信号ＶＡＳＳデータ、映像記録開始の日付、時刻、選局番号等のインデックス情報をＥＡ−ＲＯＭ７に書き込み、また、タイトル等のインデックス情報の追加、削除を行うことができる。頭出し信号ＶＡＳＳのアドレス情報を指定すると、頭出し信号以降に記録されている映像情報が再生されるから、頭出し信号ＶＡＳＳ又は頭出し信号ＶＡＳＳのアドレス情報は記録位置を表している（記載ア、イ）。よって、甲８号証では、ビデオ記録媒体に記録された映像のインデックス情報を生成し、このインデックス情報は映像タイトルと記録位置を含んでおり、甲８号証のインデックス情報、映像タイトル、記録位置は、本件発明１７の「ディレクトリ」、「番組タイトル」、「記録位置」に相当し、映像タイトル及び記録位置を含む、甲８号証に開示されている技術に基づくと、ビデオ記録媒体に記録された番組のインデックス情報を生成するように構成することは容易になし得ることである。
 　《甲７発明との（相違点３０）》：構成要件１７Ｂについて
　甲８号証では、記録された映像のタイトルがキー入力装置３からインデックス情報に加えられているが（記載イ）、甲９号証では、記録された番組のタイトルを手入力ではなく自動的にインデックスとして記録することが開示されている（記載ア、イ）。甲７発明では、録画予約カード１のＲＯＭ３２に、放送又は番組の内容が記憶されているから（記載ア〜オ）、記録された番組の内容を録画予約カード１のＲＯＭ３２から読み出して、甲９号証のように自動的にインデックスとして記録するように構成することは容易になし得るものである。
　
（１８）本件発明１８（甲７〜甲９から容易）
　《甲７発明との（相違点３２及び３３）》：構成要件１８Ａ１８Ｂについて
　甲８号証では、ＶＴＲが映像信号を記録する動作を開始すると、マイクロコンピュータ１が頭出し信号ＶＡＳＳのアドレスの中で使用されていないアドレスを見つけ出し、このアドレスに対応する頭出し信号を頭出し信号発生、検出回路５にて生成し、これをコントロールヘッド４を介してテープのコントロールトラック上に自動的に記録すると同時に、マイクロコンピュータ１はテープに記録するＶＡＳＳデータをＥＡ−ＲＯＭ７に書き込み、また、頭出し信号ＶＡＳＳのアドレス情報を指定すると、頭出し信号以降に記録されている映像情報が再生されている（記載ア、イ）。
　本件発明１８の構成要件１８Ａ８Ｂに関連する記載は、本件明細書の段落００８０になされており、ＶＣＲ２０６のテープインデックス位置である開始アドレス情報がテープディレクトリＲＡＭメモリ２３４に記憶されることのみが説明され、詳細については説明されていないが、甲８号証に開示されているＶＡＳＳ等のような周知の頭出し信号技術を用いて、開始アドレスに対応する頭出し信号をテープに記録し、その開始アドレスをテープディレクトリＲＡＭメモリ２３４に記憶しているものと考えられる。
　よって、本件発明１８の構成要件１８Ａ８Ｂが本件明細書の段落００８０に基づくものであれば、甲８号証でも、テープの記録位置を測定しているといえ、しかも映像信号が記録される開始時に記録位置をＥＡ−ＲＯＭ７に書き込んでいる。
　
（１９）本件発明１９（甲６〜甲１０から容易）
　《甲７発明との（相違点３４）》：構成要件１９Ａについて
　垂直帰線消去期間（ＶＢＩ）を用いて、タイトル、チャンネル、開始時間を含む情報の集まりをダウンロードすることは周知技術である（甲６号証訳文の記載ア、イ、ウ、オ、カ、甲１０号証の記載ア〜エ）。
　
（２０）本件発明２０（甲７〜甲９から容易）
　「セクション」とは区画のことを意味する（広辞苑第４版電子ブック版）と解され、本件発明２０の構成要件２０Ａの「RAMの一つのセクションにデータファイルを記憶する」とは、単にＲＡＭの一区画にデータファイルを記憶することを意味していると解されるところ、甲７発明では、録画予約カード１のＲＯＭ３２に、放送又は番組の内容、チャンネル、放映時間を記憶させており（記載ア〜オ）、甲７発明のＲＯＭ３２はバックアップされたＲＡＭとすることも可能であるから（記載イ）、甲７発明は、本件発明２０の構成要件２０Ａ「複数のテレビジョン番組リストに対応するデータファイルをメモリに記憶するステップが、RAMの一つのセクションにデータファイルを記憶することを含む」に相当する構成を有している。
　
（２１）本件発明２１（甲６〜甲１０から容易）
　《甲７発明との（相違点３５）》：構成要件２１Ａについて　
　請求項２１は請求項２０を引用しておらず、「別の」とは何と別なのかが不明であって「別のセクション」とは何を意味しているか不明であるが、「ＲＡＭ」とは、ランダムアクセスが可能な読み出しと書き込みができる記憶装置のことをいう（広辞苑第４版電子ブック版）と解され、また、「セクション」とは区画のことを意味する（広辞苑第４版電子ブック版）と解されることから、「ＲＡＭの別のセクション」とはランダムアクセスが可能な読み出しと書き込みができる記憶装置のある区画のことを意味すると解される。
　甲８号証のＥＡ−ＲＯＭはインデックス情報を自由に読み出し書き込みできることからＲＡＭといえ、甲８号証では、ＲＡＭのある区画にインデックス情報を記憶している（甲８号証のア〜ウ）。
　
（２２）本件発明２２（甲６〜甲１０から容易）
　《甲７発明との（相違点３６）》：構成要件２２Ａについて　
　甲８号証では、バーコードリーダ２がテープカセット１２上に表示されているバーコード１２１を読み取り、その結果であるデータＳ１をマイクロコンピュータ１に出力し、マイクロコンピュータ１は入力されたデータＳ１に対応するインデックス情報をＥＡ−ＲＯＭ７から読み出しているから（記載ア）、ＥＡ−ＲＯＭ７には複数のテープカセットのインデックス情報が記憶されていることは明らかであり、ＲＡＭであるＥＡ−ＲＯＭ７に別のテープカセットのインデックス情報を記憶しているといえる。
　
（２３）本件発明２３（甲７〜甲９から容易）
　《甲７発明との（相違点３７）》：構成要件２３Ａについて　
　本件発明２３の構成要件２３Ａの「一つのチャンネル特定番組ガイド」とは、字義通り解釈すれば、「１つ」の「チャンネル特定番組ガイド」を意味するものと解される。「チャンネル特定番組ガイド」の意義は請求項の記載のみからは明確でなく、本件明細書でも説明されていない。特に、「チャンネル特定」とは何を意味しているの不明であるが、仮に「特定のチャンネルの」との意味であるならば、「チャンネル特定番組ガイド」は「特定のチャンネルの番組ガイド」を意味することになる。
　甲７発明では、録画予約カード１のＲＯＭ３２から番組表を読み出しているから（記載ウ）、番組表をメモリに記憶させている。記憶させる番組表を特定のチャンネルもののみとするのか、すべてのチャンネルのものとするのかは設計的事項に過ぎず、また、「チャンネル特定番組ガイド」を１つにするのか複数にするのかも設計的事項に過ぎない。
　
（２４）本件発明２４（甲７〜甲９から容易）
　《甲７発明との（相違点３８）》：構成要件２４Ａについて　
　本件発明２４の構成要件２４Ａの「複数のチャンネル特定番組ガイド」とは、字義通り解釈すれば、「複数」の「チャンネル特定番組ガイド」を意味するものと解される。「チャンネル特定番組ガイド」の意義は請求項の記載のみからは明確でなく、本件明細書でも説明されていない。特に、「チャンネル特定」とは何を意味しているの不明であるが、仮に「特定のチャンネルの」との意味であるならば、「チャンネル特定番組ガイド」は「特定のチャンネルの番組ガイド」を意味することになる。
　甲７発明では、録画予約カード１のＲＯＭ３２から番組表を読み出しているから（記載ウ）、番組表をメモリに記憶させている。記憶させる番組表を特定のチャンネルもののみとするのか、すべてのチャンネルのものとするのかは設計的事項に過ぎず、また、「チャンネル特定番組ガイド」を１つにするのか複数にするのかも設計的事項に過ぎない。
　
（２５）本件発明２５（甲７から容易）
  甲７発明は、本件発明２５の構成要件２５Ａに相当する構成を有している。
　
（２６）本件発明２６（甲７〜甲９，甲１１から容易）
　《甲７発明との（相違点４０）》：本件発明２６は、「番組タイトルと記録位置を含む、ビデオ記録媒体に記録された番組ディレクトリを備えている」のに対し、甲７発明はこのような構成を有していない点について
　甲１１号証には、記録媒体である磁気テープに番組の内容と番組の記録位置が記録されることが開示されており（記載ア、イ）、スポーツ番組であるか、映画番組であるかなどを区別する番組の内容も広い意味では「番組タイトル」といえるから、甲１１号証では、「番組タイトルと記録位置を含む、ビデオ記録媒体に記録された番組ディレクトリ」が開示されている。
　また、仮に、「番組タイトルと記録位置を含む、ビデオ記録媒体に記録された番組ディレクトリ」が「番組タイトルと記録位置を含む、ビデオ記録媒体に記録された番組のディレクトリ」の意味であるとしても、甲８号証では、ＶＴＲが映像信号を記録する動作を開始すると、頭出し信号ＶＡＳＳデータ、映像記録開始の日付、時刻、選局番号等のインデックス情報をＥＡ−ＲＯＭ７に書き込み、また、タイトル等のインデックス情報の追加、削除を行うことができる。頭出し信号ＶＡＳＳのアドレス情報を指定すると、頭出し信号以降に記録されている映像情報が再生されるから、頭出し信号ＶＡＳＳ又は頭出し信号ＶＡＳＳのアドレス情報は記録位置を表している（記載ア、イ）。よって、甲８号証では、ビデオ記録媒体に記録された映像のインデックス情報を生成し、このインデックス情報は映像タイトルと記録位置を含んでおり、甲８号証のインデックス情報、映像タイトル、記録位置は、本件発明１７の「ディレクトリ」、「番組タイトル」、「記録位置」に相当するから、甲８号証に開示されている技術に基づいて、映像タイトル及び記録位置を含む、ビデオ記録媒体に記録された番組のインデックス情報を生成するように構成することは容易になし得ることである。
　《甲７発明との（相違点４１）》：本件発明２６では、テレビジョン番組リストに対応するデータがデータファイルから転送されているのに対し、甲７発明では、番組情報がメモリであるＲＯＭから転送されている点について
　本件発明２６の構成要件２６Ｅの「データファイル」は、「電子メモリに記憶されたデータファイル」と規定されていないため、構成要件２６Ａに規定されている「電子メモリ」に記憶される前のデータファイルと、構成要件２６Ａに規定されている「電子メモリ」に記憶されているデータファイルの双方を含むと解されるところ、甲７発明では電子メモリであるＲＯＭ３２のデータの集まりから転送していることから、甲７発明と本件発明２６の構成要件２６Ｅとの相違はない。
　仮に、本件発明２６の構成要件２６Ｅの「データファイル」が構成要件２６Ａに規定されている「電子メモリ」に記憶される前のデータファイルの意味であるとするならば、相違点４１は電子メモリ記憶前のデータファイルから転送されるか、電子メモリ記憶後のデータファイルから転送されるかの相違に過ぎず、電子メモリ記憶前のどこかの場所に記憶されているデータファイルから転送するように変更することに何ら困難性はない。
　同様に、仮に、本件発明２６の構成要件２６Ｅの「データファイル」が電子メモリに記憶されているデータファイルの意味であるとするならば、甲７発明と本件発明２６の構成要件２６Ｅとの相違はない。
　《甲７発明との（相違点４２及び４３）》：本件発明２６は、「前記の記録するために選択されたテレビジョン番組リストに対応するデータファイルからのタイトルが前記のディレクトリに加えられる」及び「インデックスを付けるシステム」であるのに対し、甲７発明はこのような構成を有していない点について
　甲１１号証では、記録番組の内容は入力されているが（記載イ）、甲９号証では、記録された番組のタイトルを手入力ではなく自動的にインデックスとして記録することが開示されている（記載ア、イ）。甲７発明では、録画予約カード１のＲＯＭ３２に、放送又は番組の内容が記憶されているから（記載ア〜オ）、記録された番組の内容を録画予約カード１のＲＯＭ３２から読み出して、甲９号証のように自動的にインデックスとして記録することは容易になし得るものである。
　また、仮に、「番組タイトルと記録位置を含む、ビデオ記録媒体に記録された番組ディレクトリ」が「番組タイトルと記録位置を含む、ビデオ記録媒体に記録された番組のディレクトリ」の意味であるとしても、甲８号証では、記録された映像のタイトルがキー入力装置３からインデックス情報に加えられているが（記載イ）、甲９号証では、記録された番組のタイトルを手入力ではなく自動的にインデックスとして記録することが開示されており（記載ア、イ）、甲７発明では、録画予約カード１のＲＯＭ３２に、放送又は番組の内容が記憶されているから（記載ア〜オ）、記録された番組の内容を録画予約カード１のＲＯＭ３２から読み出して、自動的にインデックスとして記録することは容易になし得るものである。
　したがって、本件発明２６は、甲１１号証のインデックス付与技術において、キー入力の代わりに甲９号証のような自動的に番組のタイトルをインデックスとして記録する技術を用い、これを甲７発明に適用することにより容易になし得るものである。
　仮に、「番組タイトルと記録位置を含む、ビデオ記録媒体に記録された番組ディレクトリ」が「番組タイトルと記録位置を含む、ビデオ記録媒体に記録された番組のディレクトリ」の意味であるとしても、本件発明２６は、甲８号証のインデックス付与技術において、キー入力の代わりに甲９号証のような自動的に番組のタイトルをインデックスとして記録する技術を用い、これを甲７発明に適用することにより容易になし得るものである。
　
（２７）本件発明２７（甲７〜甲９，甲１１から容易）
　《甲７発明との（相違点４４及び４５）》：構成要件２７ＡＢについて
　甲１１号証では、キュー信号には記録領域を示す先頭アドレスと終了アドレスが含まれること、記録開始位置（記録アドレス）が表示されること、磁気テープに記録番組のアドレス専用トラックを設けてこれに予じめアドレス信号を記録しておき、記録再生時にこのアドレス信号を再生し、記録番組の記録位置、再生位置を判別すること、磁気テープを定速走行させるときのリール台の回転数などから、およそであるが、アドレスを検出することが説明されている（記載ア〜エ）。
　本件発明２７の構成要件２７Ａ〜２７Ｂに関連する記載は、本件特許明細書の段落００８０になされており、ＶＣＲ２０６のテープインデックス位置である開始アドレス情報がテープディレクトリＲＡＭメモリ２３４に記憶されることのみが説明され、詳細については説明されていないが、甲１１号証に開示されているような周知の頭出し信号技術を用いて、開始アドレスに対応する頭出し信号をテープに記録し、その開始アドレスをテープディレクトリＲＡＭメモリ２３４に記憶しているものと考えられる。
　よって、本件発明２７の構成要件２７Ａ〜２７Ｂが本件特許明細書の段落００８０に基づくものであれば、甲１１号証でも、テープの記録位置を測定しているといえ、甲１１号証では、記録位置を測定し、記録媒体である磁気テープに番組の記録位置が記録されることが開示されている。なお、甲１１号証では、番組の記録の開始時に記録位置を磁気テープに記録していないが、甲１１号証において番組の記録の開始時に記録位置を記録することも技術的には可能であり、記録位置の記録を行う時点を番組の記録の開始時に行うようにすることは単なる設計的事項に過ぎない。
　また、仮に、「番組タイトルと記録位置を含む、ビデオ記録媒体に記録された番組ディレクトリ」が「番組タイトルと記録位置を含む、ビデオ記録媒体に記録された番組のディレクトリ」の意味であるとしても、甲８号証では、ＶＴＲが映像信号を記録する動作を開始すると、マイクロコンピュータ１が頭出し信号ＶＡＳＳのアドレスの中で使用されていないアドレスを見つけ出し、このアドレスに対応する頭出し信号を頭出し信号発生、検出回路５にて生成し、これをコントロールヘッド４を介してテープのコントロールトラック上に自動的に記録すると同時に、マイクロコンピュータ１はテープに記録するＶＡＳＳデータをＥＡ−ＲＯＭ７に書き込み、頭出し信号ＶＡＳＳのアドレス情報を指定すると、頭出し信号以降に記録されている映像情報が再生されている（記載ア、イ）。
　本件発明２７の構成要件２７Ａ〜２７Ｂに関連する記載は、本件特許明細書の段落００８０になされており、ＶＣＲ２０６のテープインデックス位置である開始アドレス情報がテープディレクトリＲＡＭメモリ２３４に記憶されることのみが説明され、詳細については説明されていないが、甲８号証に開示されているＶＡＳＳ等のような周知の頭出し信号技術を用いて、開始アドレスに対応する頭出し信号をテープに記録し、その開始アドレスをテープディレクトリＲＡＭメモリ２３４に記憶しているものと考えられる。
　よって、本件発明２７の構成要件２７Ａ〜２７Ｂが本件特許明細書の段落００８０に基づくものであれば、甲８号証でも、テープの記録位置を測定しているといえ、しかも映像信号が記録される開始時に記録位置をＥＡ−ＲＯＭ７に書き込んでいる。
　したがって、本件発明２７は、甲１１号証のインデックス付与技術において、キー入力の代わりに甲９号証のような自動的に番組のタイトルをインデックスとして記録する技術を用い、これを甲７発明に適用することにより容易になし得るものである。
　また、仮に、「番組タイトルと記録位置を含む、ビデオ記録媒体に記録された番組ディレクトリ」が「番組タイトルと記録位置を含む、ビデオ記録媒体に記録された番組のディレクトリ」の意味であるとしても、本件発明２７は、甲８号証のインデックス付与技術において、キー入力の代わりに甲９号証のような自動的に番組のタイトルをインデックスとして記録する技術を用い、これを甲７発明に適用することにより容易になし得るものである。
　
（２８）本件発明２８（甲６〜甲１０から容易）
　《甲７発明との（相違点４６》：構成要件２８Ａについて
　垂直帰線消去期間（ＶＢＩ）を用いて、タイトル、チャンネル、開始時間を含む情報の集まりをダウンロードすることは周知技術である（甲６号証訳文の記載ア、イ、ウ、オ、カ、甲１０号証の記載ア〜エ）。
　
（２９）本件発明２９（甲７〜甲９，甲１１から容易）
　甲７発明は、構成要件２９Ａを有している。
　
（３０）本件発明３０（甲７から容易）
　○５　甲７発明では、録画予約カード１にはＣＰＵ３１が設けられ（記載イ、第３図）、ＣＰＵ３１が上記機能を行うための信号を発生するようにプログラムされていることは明らかである。
　請求人の主張は、上記（１６）で本件発明１６についてした主張と格別異ならない。
　
（３１）本件発明３１（甲７〜甲９から容易）
　《甲７発明との（相違点４９及び５０）》：構成要件３１Ａ３１Ｂについて
　請求人の主張は、上記（１７）でした主張と格別異ならない。
　
（３２）本件発明３２（甲７〜甲９から容易）
　《甲７発明との（相違点５１及び５２）》：構成要件３２Ａ〜３２Ｃについて
　請求人の主張は、上記（１８）でした主張と格別異ならない。
　
（３３）本件発明３３（甲６と同一／甲６から容易）
　○１甲６号証では、スケジュール情報は、水平または垂直帰線間隔といった従来のテレビ放送では使用されていない部分を使って放送されることが説明され（甲６号証訳文の記載ア、イ）、また、スケジュール情報から視聴する番組を選択しているとの説明の他に（甲６号証訳文の記載ア）、番組は一覧表示から選択しているとも説明されているから（甲６号証訳文の記載カ）、一覧表示も、水平または垂直帰線間隔といった従来のテレビ放送では使用されていない部分を使って放送されたデータに基づいていることは明らかである。
　加えて、甲６号証では、テーマ・バッファ・データは受信された番組一覧表示データから生成されることが説明されているから（甲６号証訳文の記載ケ）、テーマ・バッファ・データも水平または垂直帰線間隔といった従来のテレビ放送では使用されていない部分を使って放送されたデータに基づいて作成されていることも明らかである。
　さらに、甲６号証では、番組一覧表には、テーマ分類番号やテーマ下位分類番号が含まれること（甲６号証訳文の記載コ）、テーマの中には、スポーツのように、１５までのサブテーマを有するものがあることが説明され（甲６号証訳文の記載キ）、サブテーマはテーマに関連するものであるから、テーマに関連する詳細であるといえ、テーマ・バッファはデータを記憶させておくところであるからメモリといえる。
　したがって、甲６号証の「テーマ」及び「サブテーマ」は本件発明３３の「テーマカテゴリー」及び「それに関連する詳細」に相当し、これらは、番組一覧表示データとして、水平または垂直帰線間隔といった従来のテレビ放送では使用されていない部分を使って放送される番組情報であって、メモリであるテーマ・バッファに記憶され、番組一覧表に表示されるから、甲６発明は、本件発明３３の構成要件３３Ａ「受信したテレビジョン信号から番組内容のテーマカテゴリーとそれに関連する詳細を含む番組情報を取り出す手段」に相当する構成、及び本件発明３３の構成要件３３Ｂ「この番組情報をデータベースとしてメモリに記憶する手段」を有している。
　○２甲６発明では、Ａキー２４２が押されると、画面上にテーマの一覧が表示される（甲６号証訳文の記載キ）。
　したがって、甲６発明は、本件発明３３の構成要件３３Ｃ「テレビジョンモニター上に前記のデータベースからテーマカテゴリーを第１分類として取り出し表示する手段」に相当する構成を有している。
　○３甲６発明では、テーマの中には、スポーツのように、１５までの関連するサブテーマを有するものがあり、サブカテゴリーを有するテーマに沿ってカーソルが配置された時は常に、画面の右側に拡張一覧表示が表示される（甲６号証訳文の記載キ）。
　したがって、甲６号証の「サブテーマ」は「テーマ」に関連するものであるから、本件発明３３の「テーマカテゴリーに関連する第２分類としての属性を示すトピック」に相当し、甲６発明は、本件発明３３の構成要件３３Ｄ「第１分類のテーマカテゴリーに関連する第２分類としての属性を示すトピックスを前記のデータベースから取り出し表示する手段」に相当する構成を有している。
　このように甲６発明は本件発明３３のすべての構成要件を備えており、両者は同一発明である。また、仮に両者が同一発明でないとしても、本件発明３３は甲６発明に基づいて容易になし得るものである。
　
（３４）本件発明３４（甲６から容易）
　《甲６発明との（相違点５３》：構成要件３４Ａについて
　甲６発明では、テーマの中には、スポーツのように、１５までのサブテーマを有するものがあるから、階層的に、サブテーマの中に、サブテーマに関連するサブサブテーマを設けることは容易になし得ることである。
　
（３５）設計的事項
　本件発明は、拒絶理由が発見されないことから特許査定されたものであるが（特許法第５１条）、拒絶理由には特許法第３６条第４項に規定する要件を満たしていないことも含まれることから、本件特許明細書の発明の詳細な説明は、いわゆる当業者が容易にその実施をすることができる程度に、その発明の目的、構成及び効果が記載されているとして審査官は認定して、特許されたものである。そこで、本件特許明細書を見ると、例えば、動作の説明はなされていても、その動作を実現するための具体的な説明はほとんどなされていない。このような明細書が特許法第３６条第４項に規定する要件を満たしているとするならば、審査官は、その説明のない部分は説明がなくても当業者が容易に実施できるものであって設計的事項の範疇に入るとして認定したと考えざるを得ない。
　ここで先の相違点の検討を振り返ると、相違点の検討において設計的事項であるとした事項は、本件発明に拒絶理由がないとするために審査官が設計的事項の範疇に入ると考えた程度のものである。仮に、相違点の検討において設計的事項であるとした事項がそうでないとすれば、本件特許明細書で説明されていない部分も設計的事項の範疇に入らず、本件特許明細書の発明の詳細な説明は、いわゆる当業者が容易にその実施をすることができる程度に、その発明の目的、構成及び効果が記載されていないことになる。
　
［２.４］請求人主張の無効理由２の要点
　本件発明１６の構成要件１６Ｃ「記録するためビデオ記録媒体をVCRまたはその他の記録装置内に装填するステップ」及び構成要件１６Ｄ「表示された複数のテレビジョン番組リストの中の一つを記録するために選択するステップ」は人間の精神的活動の結果による行為であるから、自然法則を利用したものとはいえず、本件発明１６に係る特許は、特許法第２９条第１項柱書きの規定に違反しており、無効にすべきものである。
　本件発明１７、１８，１９，２０，２１，２２，２３、２４、２５，２８は、いずれも、直接または間接的に本件発明１６を引用する発明であるから、本件発明１６と同じく自然法則を利用したものとはいえず、特許法第２９条第１項柱書きの規定に違反しており、無効にすべきものである。
　
［３］弁駁書（平成２２年２月１５日）の主張の要点
　第１　平成２１年１２月２８日訂正請求（本件訂正請求）は、許諾による通常実施権者の承諾書が添付されておらず、特許法第７８条第１項の規定による通常実施権者の承諾を得ずになされたものであるから特許法第１３４条の２第５項で準用する同法第１２７条の規定に違反し不適法なもので却下されるべきである（甲３５〜甲４５号証）。
　
　ア　請求人は本件特許の許諾による通常実施権者であるが、平成２０年７月２２日訂正請求（第１訂正）も、平成２１年１２月２８日訂正請求（本件訂正）も、承諾した事実はない（甲３５号証、甲３６号証）。
　イ　ＳＯＮＹ、日本ビクター、ＳＨＡＲＰ、パイオニア、日立製作所、船井電機、ＬＧ電子についても、本件特許権の許諾による通常実施権者に該当する可能性がある（甲３６号証、甲４０号証、甲４１号証等）が、上記訂正請求にあたり、これらの通常実施権者の承諾書は提出されていない。
　ウ　Ｙａｈｏｏ！、パナソニック、三菱電機は、本件特許の許諾による通常実施権者に該当することが、強く推認される（甲３６号証、甲３７号証、甲３８号証、甲３９号証等）が、上記訂正請求にあたり、これらの通常実施権者の承諾書は提出されていない。
　エ　米Ｔｉｖｏ社は本件特許権の許諾による通常実施権者に該当する（甲４２，甲４３号証等）が、T i v ｏ社の承諾書は訂正審判請求書には添付されていない。
　オ　さらに、また、以下の６社は本件特許権の許諾による通常実施権者に該当するものと思われる（甲４４号証）が、これらの通常実施権者の承諾書は提出されていない。
　 (1)Hi11s Industries、(2)Samsung Electronics、(3)KDG、(4)CANAL+、
 　(5)Advanced Digital Broadcast、(6)FOXTEL
　
　第２　平成２１年１０月２６日付け訂正審判により訂正が求められている請求項１および２（以下、「訂正後の請求項１および２」という）について
　（１）本件特許に係る侵害訴訟の判決（甲第４６号証）では、本件無効審判で本件特許の請求項６および８の発明に関する同項違反を理由とする申し立てに用いた証拠（特開平1-209399号公報、特開昭6 2-60377号公報、特開平1-306962号公報（本件無効審判の甲第１号証〜甲第３号証））と同一の証拠（侵害訴訟の乙第２９号証〜乙第３１号証）に基づいて、本件特許の請求項８の発明は同項違反の無効理由を有していると判断されている（甲第４６号証の第１０７頁〜第１１９頁）。
　請求人は、侵害訴訟判決中の判断が正しいものと信じるものであり、この判断に沿った、訂正後の請求項２の発明に係る特許を無効とする審決を求める。
　（２）本件特許に係る侵害訴訟の判決では、請求項６の発明に係る特許は侵害されていないと判断されたことから、請求項６の発明に係る特許の無効性については判断されていない（甲第４６号証の第１０４頁〜第１０５頁）。　しかしながら、本件無効審判の審決では、本件特許の請求項６の発明と特開平1-209399号公報（本件無効審判の甲第１号証）の相違点は、構成要件６Ｄ「時間とチャンネルのグリッドガイドをその目立たせたテレビジョン番組リストのチャンネルの単一チャンネルガイドに変える手段」にあると認定され（審決の第１１３頁）、構成要件６Ｄと同請求項８の構成要件８Ｃ「グリッドガイド形式の代わりに単一チャンネル形式でその目立だされたテレビジョン番組リストを表示する信号を発生する」は、同様の構成要件であるから、侵害訴訟で同請求項８の発明に係る特許を無効と判断するにあたって用いられた論理が同請求項６の発明に係る特許を無効とする際にもそのまま適用できるものであり、請求人は、侵害訴訟判決中の同請求項８の発明に関する判断と同様な判断に沿った、訂正後の請求項１の発明に係る特許を無効とする審決を求める。
　
［４］証拠方法 
　
　〈審判請求書〉
　　甲第１号証：特開平１−２０９３９９号公報
　　甲第２号証：特開昭６２−６０３７７号公報
　　甲第３号証：特開平１−３０６９６２号公報
　　甲第４号証の１〜３：特開昭６３−１１３６６２〜４号公報
　　甲第５号証：特開昭６３−５９０７５号公報
　　甲第６号証：米国特許第４７０６１２１号明細書
　　甲第７号証：特開平１−３０７９４４号公報
　　甲第８号証：特開平２−５６７９１号公報
　　甲第９号証：特開平１−２１２９８６号公報
　　甲第１０号証：特開平１−１６６６７８号公報
　　甲第１１号証：特開昭６３−１２４２９３号公報
　
　〈弁駁書（平成２２年２月１５日）〉　
　甲第３５号証：本件特許権に係る侵害訴訟の訴状の写し
　甲第３６号証：ジェムスターマルチメディア株式会社のホームページ
　　　　　　　　「ビジネスパートナー」の写し
　甲第３７号証：2006年9月14日付けジェムスターマルチメディア株式会
　　　　　　　　社のプレスリリースの写し
　甲第３８号証：2008年11月28日付けマクロビジョンのプレスリリースの
　　　　　　　　写し
　甲第３８号証の部分訳
　甲第３９号証：2008年３月６日付けジェムスターマルチメディア株式会
　　　　　　　　社のプレスリリースの写し
　甲第３９号証の部分訳
　甲第４０号証：フリー百科事典「ウィキペディア」のＧガイドの項の写し
　甲第４１号証：（株）インタラクティブ・プログラム・ガイド発行の
　　　　　　　　G-Press　Vol.21
　甲第４２号証：日経ＢＰ社専門情報サイトIT proの2003年６月１０日付
　　　　　　　　記事
　甲第４３号証：米Tivo社と米Gemstar -TV Guide International社の
　　　　　　　　特許ライセンス契約
　甲第４３号証の部分訳
　甲第４４号証：Rovi社の2009年のプレスリリース
　甲第４４号証の部分訳
　甲第４５号証：特許庁発行「無効審判等の運用指針第２章無効審判におけ
　　　　　　　　る当事者の手続」
　甲第４６号証：本件特許権に係る侵害訴訟の判決の写し
　
【第４-２】被請求人の主張（答弁） 
　
［１］答弁の趣旨 
　本件特許には無効理由がなく、本件審判の請求は成り立たない。  
　審判費用は請求人の負担とする。
　
［２］答弁の理由の要点 
　
《第１》無効理由１（新規性違反、進歩性違反）に対して
　
　以下に、被請求人の主張（答弁）を記す。
　
　（１）本件発明１について
　本件発明１は、甲１発明に、甲２号証に開示されている技術及び甲３号証や甲４号証の１〜３に記載されているような周知技術を適用したとしても、当業者が容易に発明をすることができたものではないというべきである。
　請求人は、少なくとも（相違点３）、（相違点４）に関する評価を誤っている
　甲１号証、甲２号証、甲３号証および甲４号証の１〜３のいずれも、本件発明１に規定される「グリッドガイド形式の代わりに単一チャンネル形式でその目印を付けたチャンネルを表示するステップ」を教示も示唆もしていない。従って、甲１号証、甲２号証、甲３号証および甲４号証の１〜３のいずれも、本件発明１に規定される「前記の単一チャンネル形式はその目印を付けたチャンネルに対応するチャンネルのテレビジョン番組リストを順次配列した行を含んでいる」ことを教示も示唆もしていないというべきである。
　甲１号証は、本件発明１に規定される「グリッドガイド形式の代わりに単一チャンネル形式でその目印を付けたチャンネルを表示するステップ」を教示も示唆もしていない。甲１号証は、
固定された表示形式
　請求人がその根拠として主張する甲１号証の記載キには、番組表を１画面に表示する際に、２つのチャンネルの番組表を１画面に表示してもよいし、３つ以上のチャンネルの番組表を１画面に表示してもよいし、１個のチャンネルのみの番組表を１画面に表示してもよいという旨が記載されているだけであって、これは、１画面に表示される番組表のチャンネルの数は、甲１号証の図３の実施例で説明した２つには限定されないという意味にすぎない
　さらに、甲１号証は、全体を通して、所望の番組を録画予約することを目的として番組表から１つの番組を選択することを開示しているにすぎず（例えば、甲１号証の図３において斜線で示される「ニュースＡ」は、録画予約の対象として選択されているにすぎない）、甲１号証のどこにも、番組表の表示形式を変更することを目的として番組表から１つの番組を選択することを示唆する記載は存在しない。
　甲２号証の教示をもって、甲１号証の教示の不足を補うことはできない。なぜなら、甲２号証もまた、本件発明１に規定される「グリッドガイド形式の代わりに単一チャンネル形式でその目印を付けたチャンネルを表示するステップ」を教示も示唆もしていないからである。
　甲２号証における、「今後放送される全ての番組表」を表示することと、「指定されたチャンネルの今後放送される番組表」を表示することとは、それぞれ、異なるキー操作に対して行われる
独立した事象
に代えて
グリッドガイド形式で表示されたチャンネルの１つに目印をつけたもの
　甲３号証および甲４号証の１〜３は、番組表の表示には無関係な文献であることから、甲３号証および甲４号証の１〜３のいずれも、本件発明１に規定される「グリッドガイド形式の代わりに単一チャンネル形式でその目印を付けたチャンネルを表示するステップ」を教示または示唆し得ないことは明らかである。
　
　（２）（３）本件発明２〜３について
　本件発明２〜３は、本件発明１に従属する。本件発明１について上述した理由と少なくとも同一の理由から、無効理由は存在しない。
　
　（４）本件発明４について
　本件発明１についてした主張と同様である。
　
　（５）本件発明５について
　本件発明５は、本件発明４に従属する。本件発明４について上述した理由と少なくとも同一の理由から、無効理由は存在しない。
　
　（６）本件発明６について
　被請求人の主張は、上記（１）と格別異ならず、本件発明１についてした主張と同様である。
　
　（７）本件発明７について
　本件発明７は、本件発明６に従属する。本件発明６について上述した理由と少なくとも同一の理由から、無効理由は存在しない。
　
　（８）本件発明８について
　被請求人の主張は、上記（１）と格別異ならない。
　
　（９）本件発明９について
　〈甲１・甲５から容易〉
　本件発明９と甲１発明との間には更なる相違点１５’
　（相違点１５’）
　本件発明９は、時間とチャンネルのガイド形式で「
チャンネルカスタム化のチャンネルリスト内の複数のチャンネルに対する
　が存在し、請求人は、この更なる相違点を見落としている。
　甲５号証は、受信可能なチャンネルのうちユーザの好みに合った所定のチャンネルに名前（例えば、ＭＴＶ、ＣＮＮなど）を付けて登録しておき、その名前に対応するアドレス番号を指定することによって所望のチャンネルを選局することが可能な技術を開示しているにすぎない（記載ア、イ、ウ、エ、オ）。しかしながら、甲５号証のどこにも、登録された所定のチャンネルを「テレビジョン番組リスト」のチャンネルに関連付けることを示唆する記載は存在しない。従って、甲５号証は、登録された所定のチャンネルに対する「テレビジョン番組リスト」を時間とチャンネルのガイド形式で表示することを教示または示唆し得ないというべきである。
　
〈甲６と同一／甲６から容易〉
　上述したように、本件発明９の構成要件９Ａおよび構成要件９Ｂは、時間とチャンネルのガイド形式で「
チャンネルカスタム化のチャンネルリスト内の複数のチャンネルに対する
　これに対し、甲６号証は、時間とチャンネルのガイド形式で「
チャンネルカスタム化のチャンネルリスト内の複数のチャンネルに対する
これら２つの異なるモードに関する記載を組み合わせることはできないからである。
　
（１０）（１１）本件発明１０〜１１について
　本件発明９について上述した理由と少なくとも同一の理由から、無効理由は存在しないというべきである。
　
（１２）本件発明１２について
　本件発明９についてした上記理由と同じ理由で、本件発明１２に対する甲１号証および甲５号証に基づく無効理由は存在しないというべきである。
　
（１３）〜（１５）本件発明１３〜１５について
　本件発明１３〜１５は、本件発明１２に直接的または間接的に従属するから、本件発明１２について上述した理由と少なくとも同一の理由から、無効理由は存在しないというべきである。
　
（１６）本件発明１６について
　請求人は、本件発明１６と甲７発明との一致点の認定を誤り、その結果、本件発明１６と甲７発明との相違点の認定も誤っている。
　《請求人による一致点および相違点の認定の誤りについて》
　本件発明１６は、選択された番組をＶＣＲまたはその他の記録装置に記録することを目的として「タイトル、チャンネル、開始時間に対応するデータ」をＶＣＲまたはその他の記録装置に転送することを必要とするのに対し、甲７号証は、選択された番組をＶＣＲまたはその他の記録装置に記録することを目的として「タイトル、チャンネル、開始時間に対応するデータ」をＶＣＲまたはその他の記録装置に転送することを教示も示唆もしていない。
　なお、甲７号証において、番組表の一部を表すデータがＲＯＭ３２からＲＡＭ５３に転送されるものの、この番組表の一部を表すデータの転送の目的は、カーソルの位置を中心とした一画面分の番組データをテレビ受像機５に表示することであって（記載イ、ウ、オを参照）、選択された番組を録画することが番組表の一部を表すデータの転送の目的ではない。従って、たとえ番組表の一部を表すデータがタイトルに対応するデータを含んでいたとしても、そのタイトルに対応するデータを転送することの目的は、番組表の一部をテレビ受像機５に表示することであって、選択された番組を録画することではない。
　この相違点により、本件発明１６と甲７発明とは明確に区別されるべきである。
　
（１７）〜（２５）（２８）本件発明１７〜２５、２８について
　本件発明１７〜２５、２８は、本件発明１６に直接的または間接的に従属するから、本件発明１６について上述した理由と少なくとも同一の理由から、無効理由は存在しないというべきである。
　
（２６）本件発明２６について
　本件発明２６も、上記本件発明１６で上述したと同様、選択された番組をＶＣＲまたはその他の記録装置に記録することを目的として「タイトル、チャンネル、開始時間に対応するデータ」をＶＣＲまたはその他の記録装置に転送することを必要とするのに対し、甲７号証のどこにも、選択された番組を録画することを目的として、タイトルに対応するデータを転送することを示唆する記載は存在しない。
　この相違点により、本件発明２６と甲７発明とは明確に区別されるべきである。
　
（２７）（２９）本件発明２７，２９について
　本件発明２７、２９は、本件発明２６に従属するから、本件発明２６について上述した理由と少なくとも同一の理由から、無効理由は存在しないというべきである。
　
（３０）本件発明３０について
　本件発明３０も、上記本件発明１６，２６で上述したと同様、選択された番組をＶＣＲまたはその他の記録装置に記録することを目的として「タイトル、チャンネル、開始時間に対応するデータ」をＶＣＲまたはその他の記録装置に転送することを必要とするのに対し、甲７号証のどこにも、選択された番組を録画することを目的として、タイトルに対応するデータを転送することを示唆する記載は存在しない。
　この相違点により、本件発明３０と甲７発明とは明確に区別されるべきである。
　
（３１）（３２）本件発明３１、３２について
　本件発明３１，３２は、本件発明３０に直接的または間接的に従属するから、本件発明３０について上述した理由と少なくとも同一の理由から、無効理由は存在しないというべきである。
　
（３３）本件発明３３について
　請求人は、「甲６発明では、Ａキー２４２が押されると、画面上にテーマの一覧が表示される」（甲６号証訳文の記載キ）は、モニタースクリーン上にテーマカテゴリーを表示することを記載しているにすぎず、甲６号証の記載キは、データベースからテーマカテゴリーを取り出し、かつ、その取り出されたテーマカテゴリーをモニタースクリーン上に表示することを教示も示唆もしていない。
　特に、甲６号証の１８欄２１行目〜３３行目（甲６号証訳文の４２頁２行目〜１３行目）の記載によれば、何らかのスケジュール情報がモニタースクリーン上に表示されるものの、そのようなスケジュール情報は、受信された番組一覧表示データに由来するテーマ・バッファから取り出されるものであり、メモリに格納されたテーマカテゴリーのデータベースから取り出されるものではない。
　少なくとも以上の理由から、本件発明３３に対する甲６号証に基づく無効理由は存在しないというべきである。
　
（３４）本件発明３４について
　本件発明３４は、本件発明３３に従属するから、本件発明３３について上述した理由と少なくとも同一の理由から、無効理由は存在しないというべきである。
　
《第２》無効理由２（特許法第２９条第１項柱書）に対して
　本件発明１６は、「ビデオ記録媒体にテレビジョン番組を記録する方法」を規定する。このような「ビデオ記録媒体にテレビジョン番組を記録する方法」を人間の精神的活動によって実現することは不可能であるから、「ビデオ記録媒体にテレビジョン番組を記録する方法」に係る発明である本件発明１６は、
全体として
　本件発明１７〜２５、２８は、本件発明１６を直接的または間接的に引用する発明である。上述したように、本件発明１６は、特許法上の「発明」に該当するというべきである。従って、本件発明１７〜２５、２８もまた、特許法上の「発明」に該当するというべきである。
　
　
【第５】本件訂正請求（平成２１年１２月２８日訂正請求）について（当審の判断）
　
［１］訂正内容
　
　被請求人が求める本件訂正請求（平成２１年１２月２８日訂正請求）は、特許法第１３４条の３第５項の規定により、上記訂正審判（訂正２００９−３９０１３０号）の審判請求書に添付された訂正明細書（「訂正明細書２」）を援用するものであって、この訂正前の願書に添付した明細書を「訂正明細書２」のとおり訂正することを求めるものであるところ、
　前記【第１】［３］のとおり、既に前記「訂正１」は形式的に確定しているから、この訂正前の願書に添付した明細書は上記「訂正１」後の明細書であり、したがって、本件訂正請求は、上記「訂正１」後の明細書（訂正明細書１）を「訂正明細書２」のとおり訂正することを求めるものである。
　すなわち、上記「【第２】［３］訂正１後の特許請求の範囲」に記載したとおりの特許請求の範囲の請求項１〜２９（訂正１後）を、上記【第３】に記載したとおりの特許請求の範囲の請求項１及び２とするものである。
　
　その訂正の内容は、
　（１）訂正前の請求項１〜５，７，９〜２９を削除する
　（２）上記削除に伴い、請求項番号を１から順の番号に整合するため、
　　　　請求項６（訂正前）を請求項１（訂正後）に、
　　　　請求項８（訂正前）を請求項２（訂正後）に、
　　　　それぞれ繰り上げる
　ものである。
　
［２］訂正内容の適否判断
　
　上記内容の訂正は、特許請求の範囲の減縮を目的とするものに該当する。
　また、上記訂正は、願書に添付した明細書又は図面に記載されている事項の範囲内のものであり、実質上特許請求の範囲を拡張し、又は変更するものではない。
　よって、本件訂正は、平成６年改正前特許法第１３４条第２項ただし書に適合し、特許法第１３４条の２第５項において準用する平成６年改正前特許法第１２６条第２項の規定に適合する。
　
［３］通常実施権の承諾について
　
　〈請求人の主張〉
　
　請求人は、本件特許権には通常実施権者があることを立証する証拠として甲３５〜甲４４号証を提出し、これらを根拠に、本件特許権についての許諾による通常実施権者が存在するとし、
　上記訂正請求は当該通常実施権者の承諾を得ずになされたものであるから不適法なものとして却下するべきであると主張する｛前記【第４-１】［７］弁駁書の主張　第１｝。
　
　請求人が存在すると主張する、本件特許権についての許諾による通常実施権者は、以下ア〜オの各社である。
　ア　請求人自身
　イ　ＳＯＮＹ、日本ビクター、ＳＨＡＲＰ、パイオニア、日立製作所、
　　　船井電機、ＬＧ電子
　ウ　Ｙａｈｏｏ！、パナソニック、三菱電機
　エ　米Ｔｉｖｏ社
　オ　以下の６社
　　 (1)Hi11s Industries、(2)Samsung Electronics、(3)KDG、(4)CANAL+、
　　 (5)Advanced Digital Broadcast、(6)FOXTEL
　
　〈検討〉
　まず、登録原簿によれば、本件特許権について登録された通常実施権者は存在しない。
　許諾による通常実施権者には、専用実施権者の許諾によるもの（特許法第７７条第４項）と特許権者の許諾によるもの（特許法第７８条第１項）があるところ、
　登録原簿によれば本件特許権についての専用実施権者は存在しないので、本件特許権について許諾による通常実施権者が存在するとすれば、それは、後者の特許権者の許諾によるもの、すなわち、特許権者である被請求人自身が本件特許権について通常実施権を許諾した他人（通常実施権者）に限られる。
　よって、本件訂正請求につき、存在し得る、承諾を必要とする通常実施権者は、本件特許（特許第３６００１４９号）の特許権者が、本件特許（特許第３６００１４９号）について実施の許諾をした者のみということになり、　したがって、そのような通常実施権者が存在するといえるためには、本件特許（特許第３６００１４９号）の特許権者が、本件特許（特許第３６００１４９号）について他人である通常実施権者に実施の許諾をした事実が認められなければならない。
　
　しかしながら、請求人が提出した甲３５〜甲４４号証は、以下にみるように、
本件特許の特許権者と上記通常実施権者であると主張する他人との間で交わされた、本件特許の特許権者が本件特許（特許第３６００１４９号）について当該他人に実施を許諾をする契約書
本件特許の特許権者が本件特許について実施許諾した契約書
そのような契約書に代わるもの
これら当事者間で交わされた上記契約の存在を立証し得るもの
　したがって、上記通常実施権者であると主張する他人（上記ア〜オの各社）が、本件特許の特許権者が本件特許（特許第３６００１４９号）について実施を許諾した者であることは確認できず、本件特許についての通常実施権者を確認できない。
　
　〈甲３５号証〜甲４４号証について〉　
　
　（ア）甲３５号証、甲３６号証について
　・甲３５号証は、
　本件特許に係る侵害訴訟（平成１９年（ワ）第２７１８７号）の訴状の写しであり、その中で、原告である本件被請求人が、
　被請求人の親会社であるGemstar―TV Guide International,Inc.は、その（Gemstar―TV Guide International,Inc.の）保有する特許権及び技術について、ライセンスを行っていること、
　「Ｇガイド」という電子番組ガイドの提供を行っていること、
　等を述べていることが認められる。　　
　
　・甲３６号証は、
　ＧＭＬ：GEMSTAR Multimedia（ジェムスタ−マルチメディア株式会社）のウエブサイトの「ビジネスパートナー」と題されたページの写しであり、
　そこには、「Ｇガイドを運用するためには」、「受信機（ＧガイドのＥＰＧ技術の特許）」が必要である、
　との記載が認められる。
　
　しかし、これらの甲号証は、いずれも上記『
本件特許の特許権者が本件特許について実施許諾した契約書
またはこれに代わるもの
上述した実施を許諾した契約の存在を立証し得るとはいえ
　
　（イ）甲３７〜３９号証について
　・甲３７号証は、
　ＧＭＬ：GEMSTAR Multimedia（ジェムスタ−マルチメディア株式会社）のウエブサイトの「Gemstar-TV Guide、Yahoo!と特許ライセンス契約を締結　2006.09/14」と題されたページの写しであり、
　そこには、Gemstar-TV Guide International,Inc.（ジェムスターＴＶガイドインターナショナル）がYahoo!Inc.と特許ライセンス契約を締結しました、
　この契約により、Yahoo!から提供される電子番組表に関するGemstar-TV Guideの保有する特許をYahoo!にライセンスします、
　との記載が認められる。
　
　・甲３８号証は、
　Macrovision Solutions Corporation（マクロビジョンソリューションズコーポレーション）のウエブサイトの、プレスリリースの写しであり、
　そこには、
「マクロビジョンがパナソニックとの新しいライセンス契約に署名」（題）、
　２００８年１１月２８日−Macrovision Solutions Corporation（マクロビジョンソリューションズコーポレーション）は、本日、パナソニック株式会社とのライセンス契約を発表した、
　この複数年契約は、パナソニックのケーブルセットトップボックス（ＳＴＢ）中のインタラクティブ・プログラム・ガイド（ＩＰＧ）に対する特許ライセンスを提供する、
　この契約のもと、パナソニック及びマイクロビジョンは、パナソニックのＳＴＢ向けのＧ−ガイドのケーブルバージョンを開発するために互いに取り組む。これは、日本のケーブル市場向けの最初のＧガイドＩＰＧサービスになる、　
　との記載が認められる。
　
　・甲３９号証は、
　ＧＭＬ：GEMSTAR Multimedia（ジェムスタ−マルチメディア株式会社）ののウエブサイトのプレスリリースの写しであり、
　そこには、
　２００８年３月６日−Gemstar-TV Guide International,Inc.（ジェムスターＴＶガイドインターナショナル）は、本日、新たな、日本の三菱電機株式会社との複数年ライセンス契約を発表した、
　三菱電機は、ジェムスターＴＶガイドのＧガイド　インタラクティブ・プログラム・ガイド（ＩＰＧ）技術を、日本における三菱電機のデジタルテレビおよびデジタルビデオ録画装置に組み込むために現在のライセンスを拡張した、
　ＩＰＧは、以前に発表されているパナソニックとのライセンス契約のもと、日本におけるデジタルテレビおよびデジタルビデオ録画装置に既に組み込まれている、
　との記載が認められる。
　
　しかし、これら甲３７〜３９号証は、いずれも上記『
本件特許の特許権者が本件特許について実施許諾した契約書
またはこれに代わるもの
上述した実施を許諾した契約の存在を立証し得るとはいえ
　
　（ウ）甲４０号証、甲４１号証について
　・甲４０号証は、
　フリー百科事典ウェブサイト「ウィキペディア」のＧガイドの項の写しであり、
　そこには、Ｇガイド（ジェムスタＴＶガイド・インターナショナルの独自技術に基づき、インタラクティブ・プログラム・ガイド社が提供するＥＰＧサービス）を搭載した受信機メーカーとして、「パナソニック、ＳＯＮＹ、日本ビクター、三菱電機、ＳＨＡＲＰ、パイオニア、日立製作所、船井電機、ＬＧ電子」が挙げられている。
　
　・甲４１号証は、
　（株）インタラクティブ・プログラム・ガイド発行のG−ＰＲＥＳＳ Ｖｏｌ．２１（２００４．３．１２）の写しであり、
　そこには、「２００４年２月２７日、パイオニアは、北米、日本および欧州でGemstar　IPGを自社製品に搭載する複数年ライセンス契約の締結しました。この契約には、北米でのデジタルケーブル製品にGemstar　IPG技術が使用できる特許ライセンスが含まれています。」
　と記載されている。
　
　しかし、これら甲４０、４１号証は、いずれも上記『
本件特許の特許権者が本件特許について実施許諾した契約書
またはこれに代わるもの
上述した実施を許諾した契約の存在を立証し得るとはいえ
　
（エ）甲４２号証、甲４３号証について
　・甲４２号証（http://itpro.nikkeibp.co.jp/free/ITPro/USNEWS/20030610/6/）は、
　日経ＢＰ社のウェブサイト「ＩＴｐｒｏ」２００３年６月１０日付の記事「米TiVoと米Gemstar-TV Guide Internationalが技術提携，特許侵害の訴訟取り下げで合意：ITpro.files」の写しであり、
　そこには、米TiVo社と米Gemstar-TV Guide International社は，両社のコンテンツと特許技術に関して提携すること、
  TiVo社は，Gemstar-TV Guide社の電子番組ガイド（ＥＰＧ）に関する特許技術のライセンス供与を受け，Gemstar-TV Guide社はTiVoにコンテンツを提供すること、
　との記載が認められる。
　
　しかし、甲４２号証は、上記『
本件特許の特許権者が本件特許について実施許諾した契約書
またはこれに代わるもの
上述した実施を許諾した契約の存在を立証し得るとはいえ
　
・甲４３号証（url:http://contracts.onecle.com/tivo/gemstar.lic.2003.06.06.shtml）は、
　「onecle」のウエブサイト
　「Sample Contracts - Interactive Program Guide License Agreement - Gemstar-TV Guide International Inc_ and TiVo Inc_ - Business Agreements.files」のページ
　（「Home」−「Business Contract」−「Sample Business Contract」−「Featured Directories of License Agreements」−「Interactive Program Guide License Agreement - Gemstar-TV Guide International Inc. and TiVo Inc. (Jun 6, 2003) 」）の写しであり、
　そこには、「TiVo Interactive Program Guide License Agreement」（TIVO インターラクティブプログラムガイドライセンス契約）と題されたもので、
　・「2003年６月６日の発効日（「EFFECTIVE DATE」）を有するこのインターラクティブプログラムガイドライセンス契約（「AGREEMENT」）は、そのSUBSIDIARIESのすべてを含むジェムスターＴＶガイドインクーナショナルインク（以後、集合的に「GEMSTAR」として呼ぶ）と、そのSUBSIDIARIESのすべてを含むTivoインク（以後、集合的に「TIVO」として呼ぶ）とにより、そしてこれらの間で結ばれた。以後、以下のように合意した者を、時として、個別に「PARTY」と呼び、集合的に「PARTIES」と呼ぶ。」、
　・「２．１４「GEMSTAR IPG-RELATED PATENTS」は、
　　(a)米国特許第４、７０６、１２１号、および
　　(b)GEMSTARまたはそのSUBSIDIARIESのいずれかが、TERM間におけるEFFECTIVE DATEまたはその後の時点で所有するあらゆるすべてのIPG-RELATED PATENTS、および
　　(c)ライセンスを許可するこのような権利がこのAGREEMENTに述べられている許可の範囲と矛盾しないことを条件として、第三者に対してライセンスを許可するための権利をGEMSTARがTERM間に取得する、あらゆる他のすべてのIPG-RELATED PATENTS　を意味する。」、
　・「３．1　GEMSTAR IPG-RELATED PATENTSの許可
　(a)TIVO PVR DEVICES　GEMSTARは、ここに述べる条件のTIVOによる継続的な遵守を条件として、TERMの間、TIVOに対して許可する
　　（i）GEMSTAR IPG-RELATED PATENTSの下で、TIVO PVR DEVICESを作る、および、TIVO PVR DEVICESを作らせるための、ワールドワイドの非排他的で（セクション１０．１１に述べることを除いて）譲渡できない製造権利
　　(ii）GEMSTAR IPG-RELATED PATENTSの下で、このようなTIVO PVR DEVICES、GEMSTAR AUTHORIZED TIVO IPGおよびTERRITORY内でのTIVO SERVICEにのみ関連して、このようなTIVO PVR DEVICESを輸入し、販売し、貸し渡し、販売またはTRANSFERの申し出するための、非排他的で（セクション１０．１１に述べることを除いて）譲渡できない権利」
　等の記載を含むものが認められる。
　
　しかしながら、この甲４３号証における「TiVo Interactive Program Guide License Agreement」（TIVO インターラクティブプログラムガイドライセンス契約）と題されたものは、
　あくまで、「ビジネス契約の
見本
見本
本件特許の特許権者が本件特許について実施許諾した契約書
またはこれに代わるもの
上述した実施を許諾した契約の存在を立証し得るとはいえ
　
　（オ）甲４４号証について
　・甲４４号証は、
　Ｒｏｖｉ社のウエブサイトの、２００９年プレスリリースの写しであり、
　そこには、
　・「２００９年１２月１０日　Hills Industries LimitedとRoviがIPG特許ライセンス契約にサイン」
　・「２００９年８月１７日　RoviがSamsung Electronics とのインターラクティブプログラムガイド技術ライセンス契約にサイン」
　・「２００９年８月１０日　KDGがNDS合意の下、RoviのEPG特許ライセンスプログラムに加入」
　・「２００９年７月１３日　CANAL+GroupがMacrovisionのEPG特許ライセンスプログラムに加入」
　・「２００９年７月９日　MacrovisionとAdvanced Digital Broadcastが特許ライセンス契約にサイン」
　・「２００９年7月２日　FOXTELがNDS合意の下、MacrovisionのEPG特許ライセンスプログラムに加入」
　と題された記事の記載が認められる。
　
　しかし、甲４４号証は、上記『
本件特許の特許権者が本件特許について実施許諾した契約書
またはこれに代わるもの
上述した実施を許諾した契約の存在を立証し得るとはいえ
　
　（カ）以上のように、上記甲３５号証〜甲４４号証は、いずれも、
　
本件特許の特許権者と上記通常実施権者であると主張する他人との間で交わされた、本件特許の特許権者が本件特許（特許第３６００１４９号）について当該他人に実施を許諾をする契約書
そのような契約書に代わるもの
これら当事者間で交わされた上記契約の存在を立証し得るもの
　
　〈結論〉
　そして、他に、本件特許権についての通常実施権者の存在を認め得る証拠はなく、本件特許権についての許諾による通常実施権者があるとはいえない。
　以上のとおりであるから、本件訂正請求は通常実施権者の承諾を得ずになされたものであるから不適法なものとして却下すべきである、とすることはできない。
　
［４］むすび（訂正の採否）
 　以上のとおりであるから、本件訂正は、平成６年改正前特許法第１３４条第２項ただし書に適合し、特許法第１３４条の２第５項において準用する平成６年改正前特許法第１２６条第２項の規定に適合するので、適法な訂正と認める。
　
　よって、本件訂正を認める。
　
【第６】本件各発明
　
　上記の如く、本件訂正を認めることから、本件特許の請求項１及び請求項２に係る発明は、訂正明細書２及び設定登録時の図面の記載からみて、訂正明細書２の特許請求の範囲の請求項１及び請求項２に記載のとおりのものである（【第３】特許請求の範囲の記載（本件訂正後、訂正明細書２））。
　
　訂正明細書２の特許請求の範囲の請求項１及び請求項２に記載のとおりの本件特許の請求項１及び請求項２に係る発明を、改めて、以下、「本件発明１」、「本件発明２」という。
　
　〈構成要件の分説〉
　そして、以下での検討の便宜上、例えば、本件発明１の構成要件を下記のとおり１Ａ〜１Ｅのように、本件各発明の構成要件を下記のとおり分説する。
　
　　　　　記（本件発明１、２の構成要件の分説）
「【請求項１】
１Ａ　　タイトル、放送時間そしてチャンネルをそれぞれが含んでいる複数　　　　のテレビジョン番組リスト、
１Ｂ　　このテレビジョン番組リストの中の幾つかを表示する時間とチャン　　　　ネルのグリッドガイド、
１Ｃ　　このグリッドガイドに表示されたテレビジョン番組リストの一つを　　　　選択して目立たさせる可動カーソル、そして
１Ｄ　　時間とチャンネルのグリッドガイドをその目立たせたテレビジョン　　　　番組リストのチャンネルの単一チャンネルガイドに変える手段を備　　　　えている　
１Ｅ　　ことを特徴とする電子番組ガイド。
　
【請求項２】
２Ａ　　テレビジョン番組リストを複数のセル内に表示している時間とチャ　　　　ンネルのグリッドガイド形式で表示モニターに、RAMに記憶した　　　　　テレビジョン番組リストを表示させる信号を発生し、
２Ｂ　　その表示されたテレビジョン番組リストの一つを目立たさせる信号　　　　を発生し、そして   　
２Ｃ　　グリッドガイド形式の代わりに単一チャンネル形式でその目立たさ　　　　れたテレビジョン番組リストを表示する信号を発生する
２Ｄ　　ようプログラムされていることを特徴としたマイクロプロセッサ。」
　
【第７】無効理由について（当審の判断）
　
【第７-０】検討を要する請求項、検討を要する無効理由
　
　〈検討を要する請求項〉
　形式的確定している訂正１により、登録時の請求項２１，２２、２８，３３，３４は削除されたので、これらの請求項については、いずれも検討を要しない。
　
　また、前記のとおり、本件訂正を認めることから、
　　本件訂正前の請求項１〜５，７（登録時の請求項１〜５、７）、
　　本件訂正前の請求項９〜２０（登録時の請求項９〜２０）、
　　本件訂正前の請求項２１〜２５（登録時の請求項２３〜２７）、
　　本件訂正前の請求項２６〜２９（登録時の請求項２９〜３２）
は削除されたので、これらの請求項についても検討を要しない。
　
　検討を要するのは、本件訂正後の、請求項１（登録時の請求項６）及び請求項２（登録時の請求項８）のみである。
　
  〈検討を要する無効理由〉
　《無効理由２》
　請求人の主張する無効理由２（２９条柱書違反）の対象は、登録時請求項１６〜２５及び２８であるところ、前記のとおりこれらの請求項は全て削除されたので、同無効理由２については検討を要しない。
　
　《無効理由１》
　請求人の主張する無効理由１（新規性違反、進歩性違反）の対象とする請求項は、登録時請求項１〜３４であるところ、前記のとおり登録時の請求項１〜５，７，９〜３４は削除されたので　これらの請求項については検討を要しない。
　無効理由１について検討を要するのは、登録時請求項６と８のみであり、それらは、それぞれ、本件訂正後の請求項１（本件発明１）と請求項２（本件発明２）であって、同じものである。
　したがって、上記「【第４】当事者の主張」において登録時本件各発明を指していう、「本件発明６」（請求項６）、「本件発明８」（請求項８）は、本項【第７】以降においては、それぞれ下記のように、（本件訂正後）「本件発明１」、「本件発明２」をいうものと読み替える。
　
　　　　　　記（本件訂正後の請求項番号の対応）
　　本件訂正後          　　　　登録時／訂正１後
　本件発明１（請求項１）　　　本件発明６（請求項６）
　本件発明２（請求項２）　　　本件発明８（請求項８）
　
　以下、本件訂正後の請求項１（本件発明１）と請求項２（本件発明２）についての無効理由１について、検討する。
　
【第７-１】無効理由１（新規性違反・進歩性違反について）
　
　請求人の主張する無効理由１は、前記「【第４】当事者の主張［２.１］無効理由１の○１、○２」のとおり、
　本件発明１（登録時発明６）は、甲１号証〜甲４号証の１〜３に記載された発明に基づいて、
　本件発明２（登録時発明８）は、甲１号証〜甲３号証に記載された発明に基づいて、
　ともに、当業者が容易に発明をすることができたものであるとするものである。
　
【１】甲各号証の記載
　甲各号証には、以下の記載がある。なお、摘示した各記載事項に付した「(K1.1)」等の記号は、本審決で付した記号である。（請求人による摘示部分を含むものにおいては、請求人が付した「ア」等の記号を併記した。）
　なお、請求人は、甲第４号証については、甲第４号証の１についてのみ具体的に記載箇所を摘示して指摘するに止まり、甲４号証の２，甲４号証の３については具体的に記載箇所を何ら摘示していないので、本審決においても摘示はしない。
　
（１）
甲１号証（特開平１−２０９３９９号公報
　〈目的・概要〉
　(K1.1)「〔従来の技術〕
　スケジュールに従って、提供される情報を処理する情報処理システムに関する従来技術として、例えば、特開昭５９−１７２０２５号公報等に記載された技術が知られている。この種従来技術は、例えば、ＶＴＲにおける録画予約の処理を行うシステムであって、定められたスケジュールに従って装置を起動して処理を開始させ、あるいは終了させるものであり、スケジュール情報の処理装置への登録を、キーボードから開始時刻と終了時刻を入力することにより行うものである。
〔発明が解決しようとする課題〕
　前述した従来技術は、予め定められたスケジュールに従って与えられる情報を処理するため、前述したように、装置の起動時刻、終了時刻等を人手により登録する必要があるため、この登録時刻を間違えやすく、正常な処理を行うことができない場合があるという問題点を有している。すなわち、一般に、装置の操作を行う操作者は、何を処理したいかという処理の対象の選択を間違えることは少ないが、選択した情報が提供される時刻は、与えられる情報内容とは直接関係のない数字情報であり、これを登録する作業は、面倒であり、また、間違えやすいものであるからである。
　本発明の目的は、前述した従来技術の問題点を解決し、予め定められたスケジュールに従って提供される提供情報の処理における、操作性の改善と処理の信頼性の向上を図つた情報処理システムを提供することにある。」（１頁右欄６行〜２頁左上欄１４行）
　
　〈実施例〉
　(K1.2)(エ)「〔実施例〕
　以下、本発明による情報処理システムの一実施例を図面により詳細に説明する。
　第１図は本発明の一実施例の機器構成を示すブロック図、第２図は予め提供されるスケジュールの記録媒体内での論理フォーマットを説明する図、第３図は表示画面を示す図である。第１図〜第３図において、１はデイスプレイ装置、２はＶＴＲ装置、３はＶＴＲ制御部、４は予約制御部、５は操作パネル、６はフロッピーディスク装置、７はテレビ信号ケーブル、７′はＲＧＢ信号ケーブル、８は日付フィールド、８′は曜日フィールド、９−１，９−２はチャンネルフィールド、１０−１，１０−２は時間フィールド、１１−１，１１−２は番組フィールド、１２は日付エリア、１３−１，１３−２はチャンネルエリア、１４は時間エリア、１５は番組エリア、１６はカーソル移動キー、１７はモード切換スイッチ、１８は設定スイッチ、１９はテンキーである。　定められたスケジュールに従って提供される情報を処理する情報処理の形態は、例えば、気象衛星から定期的に送信されてくる気象情報の受信処理、ＶＴＲによるテレビ放送の録画予約の処理等があるが、本発明の実施例は、本発明をテレビ放送の録画予約の処理に適用したものとして説明する。」（２頁右上欄１４行〜同頁左下欄１８行）
　
　(K1.3)「・・・ＶＴＲにおけるテレビ放送の録画予約の処理システムは、第１図に示すように、ＶＴＲ制御部３、予約制御部４、操作パネル５及びフロッピーディスク（以下ＦＤという）装置６を有するＶＴＲ装置２と、デイスプレイ装置１とにより構成され、操作パネル５は、カーソル移動キー１６、モード切換スイッチ１７、設定スイッチ１８及びテンキー１９等を備えて構成されている。　第１図に示すシステムにおいて、デイスプレイ装置１は、テレビ信号ケーブル７とＲＧＢ信号ケーブル７′とによりＶＴＲ装置２と接続されており、ＶＴＲ装置２における画像再生時に、ＶＴＲ制御部３から出力される画像信号は、テレビ信号ケーブル７を通ってデイスプレイ装置１に送られて表示される。これを以下ＶＴＲモードと呼ぶこととする。」（２頁左下欄１９行〜同頁右下欄１４行）
　
　(K1.4)（ク）（イ）（オ）（カ）「ＶＴＲ制御部３は、ＶＴＲの基本機能である録画、再生機能、１週間分の番組の録画予約機能を含んでおり、録画開始、終了の日時と、そのチャンネル情報とは、予約制御部４からセットされるものとする。予約制御部４は、１週間分のテレビ放送のスケジュールが記録されたＦＤの内容をＦＤ装置６から読出して、その内容をＲＧＢ信号ケーブル７′を介してデイスプレイ装置１に表示する。操作者が、この表示を目視しながら操作パネル５の操作により録画したい番組を選択すると、予約制御部４は、その番組の録画開始、終了の夫々の日時と、そのチャンネル情報をＶＴＲ制御部３に登録する。これを予約モードと呼ぶこととする。ＶＴＲモードと予約モードとの切換えは、モード切換スイッチ１７により行われる。」（２頁右下欄１４行〜３頁左上欄８行）
　
　(K1.5)(ア)「ＦＤ装置６にセットされるＦＤは、予め提供される１週間分の放送スケジュールを記録しており、このＦＤに記録されている放送スケジュールの内容を示すデータの論理フォーマットが第２図に示されている。１日分のデータは、日付フィールド８、曜日フィールド８′に続き、各チャンネル毎に、時間フィールドと番組フィールドとにより記録されている。１チャンネル分のフォーマットは、第２図の例では、まず、チャンネルフィールド９−１により１ＣＨの番組であることが示された後、このフィールドに引続いて、時間フィールド１０−１と番組フィールド１１−１との対のフィールドが、１日分の番組の数だけ設けられて、番組スケジュールを示すように構成されている。次に、第２チヤンネルの１日分のスケジュールが、チャンネルフィールド９−２に引続き、時間フィールド１０−２と番組フィールド１１−２との組が１日分の番組の数だけ設けられて示される。ＦＤ内には、番組を提供している全てのチャンネルについて、その一週間分の番組が順次前述と同様にフォーマットされたスケジュールとして記録されている。
　前述のフォーマットにおいて、時間フィールド１０−１，１０−２には、対応する番組フィールド１１−１，１１−２で示される番組の開始及び終了時刻が記録されており、番組フィールド１１−１，１１−２には、一般的には番組名称と、必要に応じてその番組の概要が記録されている。」（３頁左上欄９行〜同頁右上欄１５行）
　
　(K1.6)(ウ)「次に、第２図に示すようなフォーマットでスケジュールを記録しているＦＤを用いて録画予約を行おうとする場合の動作を説明する。この動作例は、９月２０日、日曜日の１９時〜２０時に、第１チヤンネルのニュースＡ、同日の２０時〜２２時に第２チヤンネルの映画Ａの録画予約を行うものとして説明する。
　まず、モード切換スイッチ１７を操作することにより、第１図に示すシステムを予約モードとし、テンキー１９より「０９２０」と日付の入力を行う。これにより、デイスプレイ装置１には、９月２０日の番組表が表示される。この表示を目視しながらカーソル移動キー１６を操作し、カーソルをデイスプレイ装置１上の画面の最上端あるいは最下端に移動させると、時間スクロールが行われ、画面上には、異なる時間帯の番組が次々と表示され、また、カーソルを最左端あるいは最右端に移動させると、チャンネルスクロールが行われ、画面上には、他チャンネルの番組が表示される。
　第３図には、このようにして表示された画面の一例が示されており、ＦＤ内の日付フィールド８、曜日フィールド８′の情報は、日付エリア１２に、チャンネルフィールド９−１，９−２の情報は、チャンネルエリア１３−１，１３−２に夫々表示され、番組フィールド１１−１，１１−２の情報は、時間フィールド１０−１，１０−２を表示する時間エリア１４に対応した番組エリア１５に夫々表示される。第３図に示す例では、１９時〜２３時における第１チヤンネルと第２チヤンネルの番組表が表示されている。」（３頁右上欄１６行〜同頁右下欄４行）
　
　(K1.7)(キ)「録画予約を行おうとする操作者は、この表示画面の中に所望する番組を見付け出すと、カーソル移動キー１６を操作して、カーソルを所望の番組に移動させる。カーソルは、その番組を表示しているエリア全体の色を変える等により、その番組を選択していることを示すものであり、第３図では、カーソルは斜線で表わされていて、ニュースＡが選択された状態を示している。この状態で、設定スイッチ１８を操作すると、予約制御部４は、ニュースＡを録画するために必要な、ＦＤ内の日付フィールド８、曜日フィールド８′、チャンネルフィールド９−１、時間フィールド１０−１の情報をＶＴＲ制御部３内にセットし、ニュースＡの録画予約が完了する。次に、カーソル移動キー１６を操作してカーソルを第３図の映画Ａに移動し、設定スイッチ１８を操作すれば、前述と同様にして映画Ａの録画予約が完了する。」（３頁右下欄５行〜４頁左上欄１行）
　
(K1.8)「前述の実施例は、１画面に２つのチャンネルの番組表を表示できるようにしたが、表示されるチャンネル数は、さらに多くてもよい。また、例えば、１個のチャンネルのみとして、表示できる時間帯を多くしてもよい。」（４頁左上欄２行〜同頁左上欄６行）
　
(K1.9)「また、前述の実施例は、番組のスケジュールがフロッピーディスク等の記録媒体により提供されるとしたが、番組の情報が通信手段を介して直接ＶＴＲ装置に提供されるようにしてもよい。」（４頁左上欄７行〜同頁左上欄１０行）
　
  (K1.10)「前述した本発明の実施例によれば、提供されるテレビ放送番組のスケジュールを画面上に表示しながら、表示画面上で所望する番組を選択するのみで、番組の録画予約を行うことができるので、簡単な操作で、確実な録画予約を行うことができる。」（４頁左上欄１１行〜同頁左上欄１６行）
　
  (K1.11)（ケ）「前述の実施例は、本発明をＶＴＲ装置の録画予約を行うシステムに適用したものであるが、」（４頁左上欄１７行〜同頁左上欄１８行）
　
（２）
甲２号証（特開昭６２−６０３７７号公報
　〈技術分野、課題、目的〉
　(K2.1)「［発明の技術分野］
本発明は、テレビ番組情報の表示機能を備えたテレビジョン受像機に関する。
［従来技術とその問題点］
・・・このように特定の番組が見たい場合は、新聞のテレビ画を見て選局すれば良いのであるが、新聞が手元になかったり、新聞を見るのが面倒だったりすることがある。これは、ポータプルテレビにおける外出先では顕著である。このような問題を解決する手段として、番組メモリを設けてこの番組メモリに予めテレビ番組情報を記憶させておき、希望の番組をサーチしたり、指定した種類の番組表をテレビ画面に表示したりすることが考えられる。この場合、番組メモリに記憶している番組情報を順番に全てサーチするのでは、時間がかかつてしまう。
また、すでに放送が終ってしまっている番組名を表示しても仕方がない。
［発明の目的］
　本発明は上記の点に鑑みてなされたもので、予め番組メモリに記憶した番組情報をサーチして指定した種類の番組表をテレビ画面に表示し得ると共に、上記番組メモリに対する番組情報のサーチを効率良く行ない得るテレビジョン受像機を提供することを目的とする。」(１頁右下欄１行〜２頁左上欄１０行)
　
　〈実施例〉
　(K2.2)ア「［発明の実施例］
　以下、図面を参照して本発明の一実施例を説明する。この実施例は、文字図形情報システム（ビデオテックス）のテレソフトを利用してテレビ番組情報を番組メモリに記憶し、この番組メモリに記憶したテレビ番組情報を所定のキー操作に応じてＣＲＴ画面に表示するようにした例について示したものである。」（第２頁右上欄３行〜１０行）
　
　(K2.3)イ「上記番組メモリ１６は、例えば１か月分の番組情報を記億するもので、アドレスエリアは日付単位に分れ、それぞれ先頭アドレス（Ｘ番地）が設定される。第３図は番組メモリ１６の一部エリア（５月１２日）の構成を示したもので、番組情報として日付、チャンネル、曜日、開始時刻、終了時刻、番組の種類、番組が放送中であることを示すフラグＦ１、番組が終了したことを示すフラグＦ２、番組名等が設定される。これらの番組情報は、ビデオテックスの情報センタからテレソフトにより続出したものが文字図形情報システムの受信回路２０を介して書込まれる。」（第２頁右下欄９行〜末行）
　
　(K2.4)ウ「上記ビデオテックス制御装置２５は、キーボード２からの指示に従ってビデオテックスの情報センタからテレビ番組情報をテレソフトにより読出した際に、そのテレビ番組情報をテレビジョン受像回路１０に出力して番組メモリ１６に記憶させる。」（第３頁左上欄１２行〜第１７行）
　
　〈実施例の動作〉
　(K2.5)エ「次に上記実施例の動作を説明する。テレビ番組のサーチ動作に先立ち、第５図のフローチャートに示すようにしてビデオテックスの情報センタからテレソフトにより例えば１か月分のテレビ番組情報を読出し、テレビジョン受像回路１０の番組メモリ１６に記憶させる。すなわち、ユーザーは、まず、第５図のステップＡ１に示すようにキーボード２のキー操作によりビデオテックスモードを指定する。そして、電話機５によりビデオテックスの情報センタを呼出し、ステップＡ２に示すようにテレソフトにより例えば１か月分のテレビ番組情報、すなわち、放送局データ、放送時刻データ、番組の種類データを含むテレビ番組情報を受信する。上記ビデオテックスモードでは、表示切換回路１５が表示メモリ２６側に切換られ、表示メモリ２６に記憶されるビデオテックスの受信画像がＣＲＴ表示部３に表示される。しかして、ビデオテックス制御装置２５は、情報センタからテレビ番組情報がテレソフトとして送られてくると、そのテレビ番組情報をステップＡ３において番組メモリ１６にストアする。」（第３頁右下欄５行〜第４頁左上欄５行）
　
　〈番組表の表示〉
　(K2.6)オ「次に番組メモリ１６に記憶した番組表をＣＲＴ表示部３に表示する場合の動作について説明する。上記番組表の表示は、キーポード２のキー操作により指定するが、表示させる番組表としては、第１０図に示すように、
　　○１今後放送される全ての番組表、
　　○２指定した日の１日分の番組表
　　○３指定ジャンル（種類）の今後放送される番組の一覧表
　　○４指定チャンネルの今後放送される番組の一覧表
　　○５指定曜日（間近の躍日）の１日分の番組表
　　○６今、放送中の番組表
を指定することができる。上記○１〜○６の番組表を表示させる場合、例えば第１０図に示すように、○１については「番組表」キーのみの単独操作Ｄ、○２については「日付」の入力と「番組表」キーの組合わせ操作Ｅ、○３については番組の「種類」指定と「番組表」キーの組合わせ操作Ｆ、○４については「チャンネル」の指定と「番組表」キーの組合わせ操作Ｇ、○５については「曜日」指定と「番組表」キーの組合わせ操作Ｈ、○６については「放送中」キーの単独操作Ｉにより指定する。キーボード２により上記番組表の表示指定操作が行なわれると、ビデオテックス制卸装置２５は、第１１図〜第１６図に示す処理を実行する。」（第６頁左下欄１４行〜右下欄１９行）
　
　(K2.7)カキ「第１１図は上記○１の今後放送される全ての番組表を表示する場合のビデオテックス制御装置２５の処理を示すものである。ビデオテックス制御装置２５は、キーボード２により上記○１に対するキー操作Ｄが行なわれると、
　・・・（中略）・・・番組メモリ１６に記憶されている番組情報の中から、今後放送される番組情報のみが選択されてワークメモリ２７に書込まれる。そして、ステップＤ６において番組メモリ１６の指定アドレスが最終アドレスに達したと判断されると、ステップＤ８に進んでワークメモリ２７に記憶した番組情報が見易い形に編集される。その後、ステップＤ９に示すようにワークメモリ２７から上記編集した番組情報が表示メモリ２６に書込まれ、更にこの表示メモリ２６からＣＲＴ表示部３に送られて表示される。すなわち、今後放送される全ての番組表がＣＲＴ表示部３に表示される。」（６頁右下欄２０行〜７頁右上欄１４行）
　
　(K2.8)「次に上記○２における「日付」入力と「番組表」キーの組合わせ操作Ｅを行ない、その日１日分の番組表を表示させる場合の動作について第１２図により説明する。ビデオテックス制御装置２５は、キーボード２により上記○２に対するキー操作Ｅが行なわれると、
　　・・・（中略）・・・ステップＥ６に進んでワークメモリ２７に記憶した番組情報が見易い形に編集される。その後、ステップＥ７に示すようにワークメモリ２７から上記編集した番組情報が表示メモリ２６に書込まれ、更にこの表示メモリ２６からＣＲＴ表示部３に送られて表示される。すなわち、指定された日の１日分の番組表がＣＲＴ表示部３に表示される。」(７頁右上欄１５行〜同頁右下欄２行)
　
　(K2.9)「次に上記○３における番組の「種類」指定と「番組表」キーの組合わせ操作Ｆを行ない、そのジャンルで今後放送される番組の一覧表を表示させる場合の動作について第１３図により説明する。ビデオテックス制御装置２５は、キーボード２により上記○３に対するキー操作Ｆが行なわれると、
　　・・・（中略）・・・すなわち、指定ジャンルで今後放送される番組の一覧表がＣＲＴ表示部３に表示される。」(７頁右下欄３行〜８頁右上欄１行)
　
　(K2.10)クケ「次に上記○４における「チャンネル」指定と「番組表」キーの組合わせ操作Ｇを行ない、その指定チャンネルで今後放送される番組の一覧表を表示させる場合の動作について第１４図により説明する。ビデオテックス制御装置２５は、キーボード２により上記○４に対するキー操作Ｇが行なわれると、
　　・・・（中略）・・・
以下同様の処理動作が繰返され、番組メモリ１６に記憶されている番組情報の中から、指定チャンネルの今後放送される番組情報のみが選択されてワークメモリ２７に書込まれる。そして、ステップＧ６において番組メモリ１６の指定アドレスが最終アドレスに達したと判断されると、ステップＧ８に進んでワークメモリ２７に記憶した番組情報が見易い形に編集される。その後、ステップＧ９に示すようにワークメモリ２７から上記編集した番組情報が表示メモリ２６に書込まれ、更にこの表示メモリ２６からＣＲＴ表示部３に送られて表示される。すなわち、指定チャンネルで今後放送される番組の一覧表がＣＲＴ表示部３に表示される。」（第８頁右上欄２行〜同頁左下欄末行）
　
　(K2.11)「次に上記○５における「曜日」入力−と［番組表」キーの組合わせ操作Ｈを行ない、間近の指定曜日の１日分の番組表を表示させる場合の動作について第１５図により説明する。ビデオテックス制御装置２５は、キーボード２により上記○５に対するキー操作Ｈが行なわれると、
　　・・・（中略）・・・上記ステップＨ７に進んで編集処理を行なった後、ステップＨ８に示すように表示メモリ２６へ出力してＣＲＴ表示部３に表示する。」(８頁右下欄１行〜９頁右上欄３行)
　
　(K2.12)「次に上記○６における「放送中」のキー操作Ｉを行ない、今放送中の番組表を表示させる場合の動作について第１６図により説明する。ビデオテックス制御装置２５は、キーボード２により上記○６に対するキー操作Ｉが行なわれると、
　　・・・（中略）・・・すなわち、今放送されている番組の一覧表がＣＲＴ表示部３に表示される。」(９頁右上欄４行〜同頁左下欄１７行)
　
　(K2.13)コ「なお、上記実施例において、番組表を１画面に表示しきれない場合は、スクロールさせたり、１日分または１チャンネル分ずつ表示し、リターンキー等特定のキー操作により次の頁に移るようにすればよい。」（第９頁左下欄１８行〜右下欄２行）
　
　(K2.14)「［発明の効果］
　　・・・（中略）・・・ようにしたので、予め番組メモリに記憶した番組情報の中から指定した種類の番組をサーチしてテレビ画面に表示し得ると共に、フラグにより番組の状態を簡単に認識でき、番組メモリに対する番組情報のサーチを効率良く行ない得るものである。」（９頁右下欄７行〜１０頁左上欄３行）
　
（３）
甲３号証（特開平１−３０６９６２号公報
　(K3.1)「〈産業上の利用分野〉
　本発明は、出張予定、会社訪問、会議等のスケジュールの事柄に対して、その日時の管理を行うことのできるスケジュール管理装置に関する。
〈従来技術〉
スケジュール管理を行う場合、手帳にスケジュール内容及び時間等を記帳していた。これを、電子的に行うようにした電子手帳なるものが提案され実施されるようになった。つまり、電子手帳としてのスケジュール管理装置は、スケジュールの事柄を入力すると共に、その日時を含めた各種情報を入力し、この入力された情報を逐次記憶部に記憶している。そして、必要時に、今まで入力されたスケジュール情報を順次表示装置に表示することができるように構成されている。
　そこで、スケジュール表示を行う場合には、１週間の予定を表示させたり、その１週間の予定の内、特定の曜日又は日を指定することで、その日の時間スケジュール（デイリィー情報）を事柄と共に時刻に合うように棒グラフ等にて表示するものがある。例えば、第５図（ｃ）に示されるように、時刻に対して開始時刻から終了時刻を直線のグラフで表示するようにしている。これであれば、その事柄に対する開始時間等を上部の時刻表示部に照らして判断できる。」（１頁左下欄１８行〜２頁左上欄２行）
　
　(K3.2)ア「
カレンダー機能
　次に、カレンダー機能について説明する。カレンダー機能は、モード選択キー１６のカレンダーキー１６５を操作すれば、例えば第６図（ａ）のように１９８８年１月のカレンダー表示が表示装置２に行われる。この表示においては、日曜日を週の始まりとして表示しているが、その国々で異なり月曜日を週の始まりとして表示することもできる。これについては後で詳述する。また、第６図（ａ）のカレンダー表示において、１１日はカーソル位置を示し、その日を他の日より目立たせている。このカーソルの位置は、カーソル移動キー１３にて上下左右に自在に移動させることができる。」（３頁左下欄１２行〜同頁右下欄５行）
　
　(K3.3)イ「以上のようなスケジュールモードとは異なり、カレンダー表示状態より、カレンダーキー１６５の操作により例えば第５図に示すようなスケジュール表示が行われる。例えば第６図（ａ）の表示状態において、カレンダーキー１６５を操作すると、カーソルで指示されている１１日から１週間のスケジュール内容を第５図（ａ）に示すように表示する。図に示されるように、日にちと曜日（頭文字）及びその日のスケジュール内容を先頭より決められた文字数を表示する。
　また、第５図（ａ）のスケジュール表示状態において、カレンダーキー１６５を操作すれば、今度はカーソルが示すその日の１日のスケジュールが時間のグラフとして第５図（ｂ）に示すように表示される。」（第４頁右上欄７行〜左下欄１行）
　
　(K3.4)「また、このカレンダー表示において、　第６図（ａ）に示す表示は、−時記憶レジスタの７Ｂに記憶されている情報に基づいての表示である。これを、第６図（ｂ）に示す表示に切り換えたい場合には、第１１図（ｂ）に示すフローチャートに従って制御される。つまり、ＳＨＩＦＴキー１１１及びカレンダーキー１６５を操作することで、その表示切り換えモードに設定される。そして、文字入カキ−のＳキー（日曜日を週の最初の曜日とする場合）又はＭキー（月曜日を週の最初の曜日とする場合）の入力（ステップＶ２）を行うことになる。そして、ステップＶ３又はＶ４にてＳ又はＭキーが入力されたか否かが判別される。Ｓキーであれば、領域７Ｂに“０”をＭキーであれば領域７Ｂに“１”を記憶させる。これにより、領域７Ｂの記憶情報により、第６図（ａ）又は（ｂ）の表示が選択される。」（第８頁右上欄６行〜左下欄２行）
　
　(K3.5)「次にカレンダーの表示状態で、カレンダーキー１６５の操作によりスケジュール内容を読み出し表示できる。
第１２図のフローチャートを参照に説明する。カレンダーモード（ステップＵｌ）になれば、第１１図（ａ）のフローチャートで説明したようにカレンダーが表示（ステップＵ１５、Ｕ１６）される。そしてカレンダーキー１６５の操作が行われるか否かが判別（ステップＵ１７）される。
　　　・・・（中略）・・・
　今、カレンダー表示中に、カレンダーキーを操作すれば、カーソルで指示されている日における、週間情報が表示（ステップＵ２０）される。これは、その日から１週間の情報を表示するか、その日を含む日曜日から始まる週を表示するかは、システムのプログラムによって決まることで本発明には直接関係ない。週間表示は、第５図（ａ）に示すようにその週の各日及び曜日の表示に合わせて、スケジュール内容を表示する。この表示は、表示装置２の１行の文字数が決められており、先頭より決まった数の内容が表示される。　また、この状態で、カーソルで指定される日にち移動させたければ、カーソルキーを操作することで、自在に移動させることができる（ステップＵ２２，Ｕ２３）。
　そして、第５図（ａ）のように週間スケジュールの内容を表示している状態で、再度カレンダーキーを再度操作（ステップＵ２１）することで、今度はカーソルで指定されている日のデイリー情報が表示（ステップＵ２４）される。この表示は第５図（ｂ）に示すように表示される。このデイリー情報の表示状態で再度カレンダーキー１６５を操作すれば第６図（ａ）に示すカレンダー表示の状態に切り替わる。このような表示画面においては、スケジュールの入力は行えない。」（１０頁右上欄８行〜同頁右下欄１５行）
　
（４）
甲４号証の１（特開昭６３−１１３６６２号公報
　(K4.1)「［発明の技術分野］
　この発明は、スケジュールデータを記憶させ、必要に応じて表示部に表示させるスケジュール記憶表示装置に関する。
［従来技術とその問題点］
　・・・（中略）・・・
　しかしながら上記のようなスケジュール記憶表示装置においては、記憶させるスケジュールデータはすべて日付に対応して記憶され、表示されるものであり、例えば、１月の毎週水曜日に対応してスケジュールデータを記憶させ、表示させることはできなかった。
［発明の目的］
　この発明は上記のような実情に鑑みてなされたもので、特定の曜日に対応したスケジュールデータを記憶させ、表示させることのできるスケジュール記憶表示装置を提供することを目的とする。
［発明の要点］
　この発明は、特定の曜日に対応したスケジュールデータを設定可能とし、曜日指定手段によって任意の月の特定の曜日を指定することにより、該当するスケジュールデータの書込み／読出しを行なうようにしたものである。」（１頁左下欄１７行〜２頁左上欄６行）
　
　(K4.2)「[発明の実施例］
　以下本発明の一実施例として小型電子式計算機を兼用し、曜日以外に週間、日々及び月間を期間単位としてスケジュール設定可能にしたものについて図面を参照して説明する。
　　　・・・（中略）・・・
上記表示部１３で、例えば図示するように１９８６年１月のカレンダ表示を行なう場合、七曜表と共に、その下段に年月を示す［１９８６−１］の文字が表示され、さらに第１週から第５週を示すマーク「■（スケジュール設定週）」「＋（スケジュール未設定週）」「＋」「＋」「＋」が各週左端の該当部に表示される。そして、スケジュールが設定された日付については、例えば「２７」日のように右肩部にマークが表示される。このマークは午前中にスケジュールが設定されていることを示す。」（２頁左上欄７行〜同頁左下欄１１行）
　
　(K4.3)「続いて上記表示作成部３５が作成するスケジュールデータのフォーマットについて第３図を用いて説明する。表示作成部３５は、ＣＰＵ３１から送られてくるデータに従ってカレンダ表示のデータを作成する他に、スケジュールデータ表示の際には４つのフォーマット、すなわち、週間スケジュール、日々スケジュール、曜日スケジュール及び月間スケジュールのうちの１つを選択し、その表示のための表示データを作成する。
　第３図（Ａ）は週間スケジュールのフォーマットを示すものである。１６文字×８行分のエリアのうち、第１行から第７行それぞれの左端各２文字分が一週間の各日付「Ｄｌ」〜「Ｄ７」のためのエリアとなり、同右隣り２文字分×７行が範囲を示すシンボルのための範囲データエリアとなる。
さらにこれらの右側、１２文字×７行分のエリアがその一週間のスケジュールを示すスケジュールデータエリアとなる。そして、最下行には、それぞれ「年」「月」及びその月の第何週であるかを示す「週」のエリアが順番に設けられる。
　第３図（Ｂ）は日々スケジュールのフォーマットを示すものである。第１行に、それぞれ「年」「月」「日」及び「曜日」のエリアが順番に設けられ、第２行乃至第８行がすべてその日のスケジュールを示すスケジュールデータエリアとなる。
　第３図（Ｃ）は曜日スケジュールのフォーマットを示すものである。第１行から第６行それぞれの左端各２文字分が曜日と各日付「Ｄｌ」〜「Ｄ５」のためのエリアとなり、これらの右側、１４文字×７行分のエリアがその曜日のスケジュールを示すスケジュールデータエリアとなる。そして、最下行には、それぞれ「年」と「月」のエリアが設けられる。
　第３図（Ｄ）は月間スケジュールのフォーマットを示すものである。第１行に、「年」と「月」のエリアが設けられ、残る第２行乃至第８行がすべてその月のスケジュールを示すスケジュールデータエリアとなる。」(３頁左上欄８行〜同頁左下欄５行)
　
　(K4.4)ア「以下上記実施例の動作について説明する。
　ここでは、例えば「１９８６年１月」についての週間、日々、曜日及び月間の各スケジュールデータを一旦記憶させた後に、これらを読出し、表示させる際の動作について説明する。
　・・・（中略）・・・表示作成部３５で作成された表示データは表示バッファ３６に送られ、この表示データに従って第４図（２）に示すようにカレンダ表示が行なわれる。
　このようにカレンダ表示が行なわれている状態にあって、例えばこの月の第１週を示すマーク「■」の位置をタブレット入力部１２によって押圧すると、この押圧位置に応じたアナログ値の電圧信号がＸ座標、Ｙ座標の座標データとしてタブレット入力部１２からＡ／Ｄ変換部３７に送られる。Ａ／Ｄ変換部３７がこの電圧信号をデジタル値に変換してＣＰＵ３１に出力する。ＣＰＵ３１は、このＡ／Ｄ変換部３７を経て送られてきたタブレット入力に対し、第５図に示す処理を実行する。
　同図においては、まずステップＳ０１に示すように表示部１３でカレンダ表示中であるか否か判断する。ここで判断結果がＮＯとされた場合は本動作とは別の処理（例えは、イメージデータの入力）を行なうが、ここでは判断結果はＹＥＳとなるので、次にステップＳ０２に進む。ステップＳ０２では、Ａ／Ｄ変換部３７からのデジタル値の電圧信号から押圧された座標位置を判断する。そして、この判断結果に基づいて、次のステップＳ０３で表示すべきスケジュールの種類と項目を判断する。すなわち、カレンダ表示における押圧位置により、スケジュールの種類と項目を判断する。続くステップＳ０４で、表示すべきスケジュールの種類が週間スケジュールであることが判断されると、次にステップＳ０５に進む。ステップＳ０５では、押圧位置より判断した項目、すなわち、この場合は第「１」週を示すデータ「１ｓｔ」をレジスタ部３３のサーチ週レジスタ３３ｂに入力設定すると共に、このデータ「１ｓｔ」に該当するスケジュールデータをデータメモリ部３２よりサーチする。この場合、データメモリ部３２からは、週表示データとして第１週の各日付データ「２９」〜「４」、範囲データ「←−−−−−→」、スケジュールデータとして「フユヤスミ」がそれぞれサーチによって読出される。そして、これら読出されたデータが、次のステップＳ０６で表示年月レジスタ３３ａに保持される表示年月データ「１９８６年１月」及びサーチ週レジスタ３３ｂに保持されるデータ「１ｓｔ」と共に表示作成部３５に出力されると、表示作成部３５は上記第３図（Ａ）に示したフォーマットに則って表示データを作成し、表示バッファ３６に書込む。その結果、続くステップＳ０７において、表示バッファ３６に書込まれた表示データに従い、第４図（３）に示す如く週間スケジュールが表示される。
　そして、週間スケジュールを書込むためには第４図（３）の状態で「Ｉ／Ｏ」キー２２を操作してデータ入力モードにする。次に、カナキー１４ｄなどを操作してスケジュールを入力し、最後に［ＳＣＨＥ］キー１７を操作する。これにより表示部１３に表示されている表示データが週間スケジュールとしてデータメモリ部３２に記憶される。」(３頁左下欄６行〜４頁右上欄１４行)
　
　(K4.5)イ「また、上記第４図（２）の状態で、「２７」日の位置をタブレット入力部１２によって押圧すると、やはりこの押圧位置に応じたアナログ値の電圧信号がタブレット入力部１２からＡ／Ｄ変換部３７に送られ、デジタル値に変換されてＣＰＵ３１に出力される。このタブレット入力に対し、ＣＰＵ３１が第５図に示す処理を実行する。
　同図において、ステップＳ０１を介してステップＳ０２で、座標位置を判断し、この判断結果に基づいて、次のステップＳ０３で表示すべきスケジュールの種類と項目（日付が何日かを）を判断する。続くステップＳ０４で、表示すべきスケジュールの種類が日々スケジュールであることが判断されると、次にステップＳ０８に進む。ステップＳ０８では、押圧位置より判断した日付データである数値「２７」をレジスタ部３３のサーチ日付レジスタ３３ｃに入力設定し、また、対応する曜日データ「ＭＯ」をサーチ曜日レジスタ３３ｄに入力設定すると共に、この数値「２７」に該当するスケジュールデータをデータメモリ部３２よりサーチする。この場合、データメモリ部３２からは、該当する日付のスケジュールデータとして「オオシマサンタンジョウビ」がサーチによって読出される。そして、これら読出されたデータが、次のステップＳ０９で表示年月レジスタ３３ａに保持される表示年月テータ「１９８６年１月」及びサーチ日付レジスタ３３ｃに保持されるデータ「２７」、サーチ曜日レジスタ３３ｄに保持されるデータ「ＭＯ」と共に表示作成部３５に出力されると、表示作成部３５は上記第３図（Ｂ）に示したフォーマットに則って表示データを作成し、表示バッファ３６に書込む。その結果、続くステップＳ０７において、表示バッファ３６に書込まれた表示データに従い、第４図（４）に示す如く日々スケジュールが表示される。
　そして、日々スケジュールを書込むためには第４図（４）の状態で［Ｉ／Ｏ］キー２２を操作してデータ入力モードにする。次に、上述の週間スケジュールの入力と同様にスケジュールを入力し、［ＳＣＨＥ］キー１７を操作すれば、表示データが日々スケジュールとしてデータメモリ部３２に記憶される。」(４頁左上欄１５行〜同頁右下欄１５行)
　
　(K4.6)「上記第４図（２）の状態で、水曜日を示す「ＷＥ」の文字の位置をタブレット入力部１２によって押圧すると、この押圧位置に応じたアナログ値の電圧信号がタブレット入力部１２からＡ／Ｄ変換部３７に送られ、デジタル値に変換されてＣＰＵ３１に出力される。このタブレット入力に対し、ＣＰＵ３１が第５図に示す処理を実行する。
同図において、ステップＳＯ１を介してステップＳ０２で、座標位置を判断し、この判断結果に基づいて、次のステップＳＯ３で表示すべきスケジュールの種類と項目（どの曜日かを）を判断する。続くステップＳ０４で、表示すべきスケジュールの種類が曜日スケジュールであることが判断されると、次にステップＳ１０に進む。ステップＳ１０では、押圧位置より判断した水曜日を示すデータ「ＷＥ」をレジスタ部３３のサーチ曜日レジスタ３３ｄに入力設定すると共に、このデータ「ＷＥ」に該当するスケジュールデータをデータメモリ部３２よりサーチする。この場合、データメモリ部３２からは、曜日表示データとして各水曜日の日付データ「１」「８」「１５」「２２」「２９」、これらに対応するスケジュールデータとして「ヨイコノテレビ」「トクベツバングミ」「ダイ５カイ」「ダイ６カイ」「ダイ７カイ」「ダイ８カイ」がそれぞれサーチによって読出される。そして、これら読出されたデータが、次のステップＳ１１で表示年月レジスタ３３ａに保持される表示年月データ「１９８６年１月」及びサーチ曜日レジスタ３３ｄに保持されるデータ「ＷＥ」と共に表示作成部３５に出力されると、表示作成部３５は上記第３図（Ｃ）に示したフォーマットに則って表示データを作成し、表示バッファ３６に書込む。その結果、続くステップＳ０７において、表示バッファ３６に書込まれた表示データに従い、第４図（５）に示す如く曜日スケジュールが表示される。
　そして、曜日スケジュールを書込むには、第４図（５）の状態で［１／０」キー２２によりデータ入力モードにする。次に、各同一曜日に対してスケジュールを入力して「ＳＣＨＥ」キー１７を操作すれば、その曜日スケジュールがデータメモリ部３２に記憶される。」(４頁右下欄１６行〜５頁右上欄１６行)
　
　(K4.7)ウ「なお、上記実施例では表示部１３の上にタブレット入力部１２を配置し、カレンダ表示における位置を押圧により指定したが、これに限らず、表示部１３にカーソルを表示させ、このカーソルにより位置を指定してもよい。」（第５頁右下欄９行〜１３行）
　
　(K4.8)「［発明の効果］
以上詳記したようにこの発明によれば、特定の曜日に対応したスケジュールデータを設定可能とし、曜日指定手段によって任意の月における特定の曜日を指定することにより、該当するスケジュールデータの書込み／読出しを行なうようにしたので、特定の曜日に対応したスケジュールデータを記憶させ、表示させることのできるスケジュール記憶表示装置を提供できる。」(５頁右下欄１８行〜６頁左上欄６行)
　
（４-２）
甲第４号証の２（特開昭６３−１１３６６３号公報
　略
　
（４-３）
甲第４号証の３（特開昭６３−１１３６６２号公報
　略 
　
（５）
甲５号証（特開昭６３−５９０７５号公報
　(K5.1)「Ｄ発明が解決しようとする問題点
　・・・（中略）・・・
　これに加えて、特に衛星放送全体として１００チャンネル前後の多数のチャンネル数を有するテレビジョン放送のうちから希望するテレビジョン放送を選局しようとすれば、実際上、テレビジョン放送ガイドブックのような情報雑誌を用意する必要があり、ユーザの使い勝手の点で未だ不十分である。
　本発明は以上の点を考慮してなされたもので、従来のチャンネル選局操作の煩しさを一挙に解決し得るテレビジョン受像機を提案しようとするものである。
Ｅ問題点を解決するための手段
　かかる問題点を解決するため本発明においては、複数の番組のテレビジョン放送を選択受信し得るテレビジョン受像機においで、任意の番組識別情報及びテレビジョン放送のうち１つの番組を表すチャンネル情報を対応させ、複数の番組識別情報を記憶部１３に記憶し得るようになされた番組登録手段ＳＰ１と、記憶部１３に記憶した複数の番組識別情報を表示画面上に表示し、複数の番組識別情報のうち１つを選択することによって受信すべきテレビジョン放送の番組を選択し得るようになされた番組選局手段ＳＰ２０とを具えるようにする。
Ｆ作用
　番組登録手段ＳＰ１により、任意の番組識別情報と番組のチャンネル情報とを対応させて登録し得、さらに番組選局手段ＳＰ２０により登録された番組識別情報を表示し、この番組識別情報によりテレビジョン放送の番組を選局し得る。
　かくしてユーザが番組を選局する際に常に番組とチャンネル情報の対応を覚えておく必要がなくなり、ユーザの使い勝手を一段と向上し得る。」（２頁右上欄１３行〜３頁左上欄５行）
　
　〈実施例〉
　(K5.2)ア「以上の構成において、テレビジヨン受像機１は、１００チヤンネル分の放送波を選局受信し得るようになされており、特に当該受信可能チヤンネルのうちユーザの好みに合った所定のチヤンネル（これを特定チヤンネルと呼ぶ）については、選局情報を予め登録しておくことができるようになされている。
　この実施例の場合、特定チヤンネルとして、例えば選局使用頻度が大きい例えば１０チヤンネル分の選局情報として、番組識別情報（例えばＭＴＶ、ＣＮＮ等の放送局名や、ＰＡＰＡ、ＭＡＭＡ等のようにユーザが任意に選定した略名称等を例えばアルフアベツト文字を用いて表す）と、衛星の番号及び衛星内のチヤンネル番号を表す特定チヤンネル情報とを登録する。
　かくして登録された１０チヤンネル分の番組識別情報及びチヤンネル情報の一覧表（特定チヤンネルリストと呼ぶ）を、ユーザの指示によりアドレス番号を付して表示画面上に表示し、表示されたアドレス番号のうち１つを選択指定することにより、テレビジヨン放送を選局し得る。」（３頁左下欄１６行〜右下欄１６行）
　
　(K5.3)イ「（Ｇ２）番組登録の処理
　まず、ユーザが希望するチャンネルの番組を登録しようとするときには、第４図に示すキーボード１２の[ＳＴＯＲＥ］キーを押下すると、制御部１１は、テレビジョン放送の受信をミュートし、登録手順に先立って、先ず表示画面上に第５図に示すメニュー画面ＤＳＰ１（制御部１１が処理し得る全ての処理事項が表されている）を記憶部１３より読み出し、これを表示画面上に表示する。
　ここで、ユーザは、メニユー画面ＤＳＰ１のうち番組の登録処理手順であることを表す識別表示「ＴＯＰ１０」に付されたアドレス番号「１」を選択してキーボード１２より指定した後「ＥＮＴＥＲ」キーを押下する。このとき制御部１１は、第２図に示す番組登緑処理プログラムＳＰ１を開始する。
　制御部１１は、ステップＳＰ２において記憶部１３より第６図に示す番組登録画面（１）ＤＳＰ２を読み出し、これをＣＲＴ上に表示する。このとき番組登録画面（１）ＤＳＰ２には、すでに登録されている特定チヤンネルリストが表示されると共に、現在選局部３において選局されている番組識別情報を表すアドレス番号「３」が反転表示（いわゆる白抜き表示）されている。
　なおこの特定チヤンネルリストに含まれる番組識別情報は、工場出荷時に初期登録されている。
　続くステップＳＰ３及びＳＰ４では、制御部１１は、表示画面上に表示された番組登録画面（１）ＤＳＰ２に基づいて今回登録すべきアドレス番号の数字の指定入力及び「ＥＮＴＥＲ」キーの押下を待つ。」（３頁右下欄１７行〜４頁右上欄８行）
　
　(K5.4.)ウ「番組登録画面（２）ＤＳＰ３（第７図）のアドレス番号「２」に示す番組識別情報［ＴＳＮ］を新たな番組識別情報［ＡＢＣ］に変更するときには、まず現在点滅表示されている文字「Ｔ」を文字「Ａ」に変更するため「−」キーを押下し続ける。これにより点滅表示が順次アルファベットを逆順に「Ｔ」→「Ｓ」→「Ｒ」→「Ｑ」→・・・・・・と変更されて行き、目的の文字「Ａ」を表示したときに「−」キーを離すことによって目的の文字「Ａ」を選択することができる（第８図）。
　これに対して「＋」キーを押下すればアルファベットを正順に「Ｔ」→「Ｕ」→「Ｖ」→・・・・・・と変更して行くようになされている。
　つづいて「→」キーを１回押下することにより、次の文字「Ｓ」を点滅表示させ、上述の場合と同様にして「＋」又は「−」キーを用いて所定の文字「Ｂ」に変更し、さらに次の文字「Ｎ」についても同様にして所定の文字「Ｃ」に変更する。かくして所定の表示画面上に変更すべき番組識別情報「ＡＢＣ」の表示（番組登録画面（３）ＤＳＰ４（第８図））を確認した後、「ＥＮＴＥＲ」キーを押下すると、制御部１１は、ステップＳＰ７を実行してステップＳＰ８へ移る。
　ステップＳＰ８においては、記憶部１３より衛星選択画面（１）ＤＳＰ５を読み出し、ステップＳＰ６において人力された番組識別情報「ＡＢＣ」を組み込んで表示画面上に表示する。（第９図）
　この衛星選択画面（１）ＤＳＰ５では、登録されている衛星の略称が一覧表として示されていると共に、現在受信中の番組識別情報に対応する衛星「Ｆ３」を表すアドレス番号「５」が反転表示されている。
　ここでユーザが新たに入力した番組識別情報「ＡＢＣ」に対応させたい衛星が「Ｗ２」であるときは、アドレス番号「１５」をキーボード１２より入力するとアドレス番号「１５」が反転表示される（衛星選択画面（２）ＤＳＰ６（第１０図））。
　続いてユーザが「ＥＮＴＥＲ」キーを入力すると、制御部１１は、ステップＳＰ９及びＳＰ１０を実行して、ステップＳＰ１１において、指定された衛星「Ｗ２」にアンテナ受信面２Ａを正しく向けるアンテナ制御信号ＣＮＴＡＮＴをアンテナ制御部２Ｂへ送ると共に、記憶部１３より衛星サーチ中画面ＤＳＰ７（第１１図）を読み出してＣＲＴ上に表示する。
　ステップＳＰ１１において指定された衛星に対するアンテナ２の調整が終了すると、制御部１１は記憶部１３より衛星内チャンネル番号入力画面ＤＳＰ８（第１２図）を読み出して表示画面上に表示する。このとき番組識別情報及び衛星の略名称として、ステップＳＰ６及びステップＳＰ９において選択された番組識別情報「ＡＢＣ」及び衛星の略名称「Ｗ２」が表示されており、チャンネル番号は直前まで受信していたもの（この実施例の場合「１４」）が表示されている。
　ここでユーザが番組識別情報「ＡＢC」に対応させたい衛星「Ｗ２」内のチャンネル番号「１２」を入力し、番組登録の処理の終了を示す「ＳＴＯＲＥ」キーを押下すると、制御部１１は、衛星内チャンネル番号入力画面ＤＳＰ８中のチャンネル番号を更新すると共に、続くステップＳＰ１５においてチャンネル制御信号ＣＮＴＣＨを選局部３へ送出する。それに続くステップＳＰ１６において制御部１１は、衛星内チャンネル番号入力画面ＤＳＰ８を消去して、テレビジョン受信波のミュートを解除する。かくして一連の処理によって、選局された番組識別情報「ＡＢＣ」に対応するチヤンネルのテレビジヨン放送（衛星名「Ｗ２」、衛星内チヤンネル番号「１２」）を表示画面上に表示し、ステップＳＰ１７において更新された特定チヤンネルリストのデータを記憶部１３へ書き込むと共に、ステップＳＰ１８において当該プログラムを終了する。」（４頁左下欄３行〜５頁右上欄１７行）
　
　(K5.5)エ「（Ｇ３）チャンネル選局の処理
　つぎにユーザは、「番組」キー（第４図）を押下することによって記憶部１３に登録された特定チヤンネルリストの中より所望の番組を選局する。
　すなわちユーザによって「番組」キーが押下されると、制御部１１は第３図に示す番組選局プログラムＳＰ２０に入って、ＳＰ２１において、テレビジョン放送の受信をミュートし、記憶部１３から番組選局画面ＤＳＰ９（第１３図）を読み出して表示画面上に表示する。このとき番組選局画面ＤＳＰ９中においては、直前まで受信していた番組識別情報「ＦＮＮ」に対応するアドレス番号「３」が反転表示されている。
　ここでユーザが上述の番組登録手順によって登録した番組識別情報「ＡＢＣ」に対応するチャンネルのテレビジョン放送を選局しようとするときは、キーボード１２よりアドレス番号「２」を入力した後、「ＥＮＴＥＲ」キーを押下する。
　このとき制御部１１は、ステップＳＰ２２及びＳＰ２３を実行した後、続くステップＳＰ２４及びＳＰ２５において、アドレス番号「２」の番組識別情報「ＡＢＣ」に対応する衛星名（＝「Ｗ２」）及び衛星内のチャンネル番号（＝「１２」）を記憶部１３より読み出し、アンテナ制御信号ＣＮＴＡＮＴ及びチャンネル制御信号ＣＮＴＣＨをアンテナ制御部２Ｂ及び選局部３へ送出する。
これによりテレビジョン受像機１は、・・・（中略）・・・当該チャンネルのテレビジョン放送の受信を開始する。」（５頁右上欄１９行〜同頁右下欄１３行）
　
　(K5.6)オ「（Ｇ４）実施例の効果
　以上の構成によれば、通常のチヤンネル選局手段に加えて、ユーザが特定チヤンネル例えば視聴頻度の高いチヤンネルのテレビジヨン放送を予め選択して任意の番組識別情報と対応させて登録することにより、当該視聴頻度の高いチヤンネルのテレビジヨン放送に関しては、登録した任意の番組識別情報を利用して簡易な操作で選局し得ることにより、ユーザの使い勝手を格段的に向上し得る。」（６頁左上欄１行〜第１０行）
　
（６）
甲６号証（米国特許第４７０６１２１号明細書
　(K6.1)「This invention relates to an electronic system and a process for controlling a television set to present programs selected in advance from a schedule by a user. More particularly, it relates to such an electronic system and process which allows the user to make the broadcast program selection using selection criteria that can be combined in different ways. Most especially, the invention relates to such an electronic system and process which receives the schedule information in broadcast form and then processes the schedule information to make the selections. The invention further relates to a system that will enable a user to program a video cassette recorder (VCR) for unattended operation by making a simple selection from a menu.」（１欄１１行〜１欄２４行）
(訳：「本発明はユーザがスケジュールからあらかじめ選択した番組を呈示するよう、テレビ受像機を制御する電子システムと方法に関する。特に、本発明は様々な形で組み合わされる選択基準をユーザが使用して、放送番組の選択を行うことができるようにする電子システムと方法に関する。さらに詳しくは、本発明は放送形態のスケジュール情報を受信し、次にそのスケジュール情報を処理して選択を行う電子システムと方法に関する。本発明はさらに、ユーザがメニューからの簡単な選択を行うことにより、ビデオ・カセット・レコーダ（ＶＣＲ）を無人操作でプログラムできるようにするシステムに関する。」）
　
　(K6.2.)「It is still another object of the invention to provide such a system and process in which special program linking and theme information is broadcast in order to allow easier program selection by the user.」（４欄９行〜４欄１２行）
（訳：本発明のまた別の目的は、ユーザによるさらに容易な番組選択を可能にするために、専用番組リンク及びテ一々情報が放送される該システム及び方法を提供することである。）
　
　(K6.3)「The process of this invention includes the following steps. Program schedule information is supplied to a data processor. User program selection criteria are supplied to the data processor. The user selection criteria are used to select programs for viewing from the program schedule information in the data processor. The stored information is used to tune the television receiver to the selected programs.
　In a preferred form of a system and process in accordance with the invention, the schedule information is also broadcast, either during an otherwise unused portion of a conventional television broadcast, such as during a horizontal or vertical flyback interval, or as a separate broadcast, such as a frequency modulation (FM) broadcast.」（４欄５３行〜４欄６７行）
（訳：ア「本発明の方法には以下のステップが含まれる。番組スケジュール情報がデータ・プロセッサに供給される。ユーザ番組選択基準がデータ・プロセッサに供給される。ユーザ選択基準が使用され、データ・プロセッサ中の番組スケジュール情報から視聴する番組を選択する。記憶された情報が使用され、テレビ受信機を選択された番組に同調する。
　本発明によるシステム及び方法の好適な形態では、スケジュール情報は、水平または垂直帰線間隔といった従来のテレビ放送では使用されていない部分を使って放送されたり、周波数変調（ＦＭ）放送といった別個の放送としても放送されたりする。」）
　
　(K6.4)「FIG. 2 is a block diagram of a similar system 50 that is used to broadcast the television schedule information as part of an otherwise conventional television broadcast, using a normally unused portion of the TV frame, such as the horizontal or vertical flyback. The I/O port 24 of the microcomputer 22 is connected by line 52 to a buffer 54, which converts the digital schedule informaticn signals supplied by the microcomputer to a form suitable for FM modulation. 」（６欄６０行〜６欄６８行）
（訳：イ「図２は、水平または垂直帰線のような、ＴＶフレーム中で普通使用されない部分を使用して、従来のテレビ放送の一部としてテレビ・スケジュール情報を放送するために使用される、同様のシステム５０の構成図である。マイクロコンピュータ２２のＩ／Ｏポート２４は線路５２によってバッフア５４に接続され、そこでマイクロコンピュータによって供給されたデジタル・スケジュール情報信号はＦＭ変調に適した形式に変換される。」）
　
　(K6.5)「The CPU 110 supplies control outputs, based on user selections, to a programmable TV tuner 132 on line 134. Information identifying programs selected from the schedule information on the basis of the user selection criteria is stored in memory 111 by the CPU 110. 」（７欄６０行〜７欄６４行）
（訳：ウ「ＣＰＵ１１０は、ユーザ選択に基づいて、線路１３４上のプログラム可能ＴＶチューナ１３２に制御出力を供給する。ユーザ選択基準に基づいてスケジュール情報から選択された番組を識別する情報が、ＣＰＵ１１０によってメモリ１１１に記憶される。」）
　
　(K6.6)「FIG. 4 is a block diagram of another receiver system 160, which may be used with the transmitter system 50 shown in FIG. 2. Antenna 162 receives the TV broadcast signal from the transmitter system 50 and supplies it to a programmable TV tuner 164 on line 166. The tuner 164 supplies the broadcast signal to a program data timing controller 168 on line 170, to data demodulator 169 on line 171 and to a video switcher 172 on line 174. The output of controller 168 is supplied to the demodulator 169 on line 176. The demodulator 169 supplies the program schedule information signals, which have been stripped from the TV broadcast signals and digitized, to CPU 178 of system control unit 180 on line 182. A memory 179 is connected to the CPU 178 at 181 to receive selected program information and to supply the selected program information at the appropriate time for the CPU 178 to generate control signals for the programmable tuner 164. 」（８欄２３行〜８欄４０行）
（訳：エ「図４は、図２に示される送信機システム５０と共に使用される別の受信機システム１６０の構成図である。アンテナ１６２は送信機システム５０からＴＶ放送信号を受信し、それを線路１６６上のプログラム可能ＴＶチューナ１６４に供給する。チューナ１６４は放送信号を、線路１７０上の番組データ・タイミング制御装置１６８、線路１７１上のデータ復調器１６９及び線路１７４上のビデオ・スイッチャ１７２に供給する。制御装置１６８の出カは線路１７６上の復調器１６９に供給される。復調器１６９は、ＴＶ放送信号から分離されデジタル化された番組スケジュール情報信号を、線路１８２上のシステム制御ユニット１８０のＣＰＵ１７８に供給する。メモリ１７９は１８１でＣＰＵ１７８に接続され、選択された番組情報を受信し、これを適当な時間にプログラム可能チューナ１６４用の制御信号を生成するＣＰＵ１７８へ供給する。」）
　
　(K6.7)「2. Summary of Keyboard Operation
　FIG. 5 shows the layout of keyboard 220 used in the remote control transmitters 116 and 188 of FIGS. 3 and 4. The keys 222-244 have the following significance:
　MG 222: Master Guide for direct listing and immediate selection of program.
　PG 224: Program Guide for setting up stored features and accessing help information.
　TV 226: Selects conventional channel selection.
　SEL 228: Selects program from menu to be displayed on TV
　C 230: Cancels stored program in the PG mode; toggles channel restriction on and off in the MG mode.
　↑232: Moves pointer to top of listing; auto scrolls to previous page if pressed when pointer is on top line.
　↓234: Moves pointer to bottom of listing; auto scrolls to next page if pressed when pointer is on bottom line.
　→236: Moves to next page; pointer location unchanged. Wraps to start of week listing when last page is displayed.
　←238: Moves to previous page; pointer unchanged. Wraps to end of week if listing is already at start.
　P 240: If not preceded by a numeric key, P will restrict listing to prime time only. If entered after a numeric key, P indicates PM.
　A 242: If not preceded by a numeric key, A will restrict listing to selected themes only. If after a numeric key, A will indicate AM.
　244: Advances to the next day, hour unchanged. Wraps around by days of the week.」（９欄４７行〜１０欄１０行）
（訳：「２．キーボード操作の概要
　図５は図３及び図４の遠隔制御送信機１１６及び１８８で使用されるキーボード２２０の配置を示す。キー２２２〜２４４は以下の意味を有する。
　ＭＧ２２２：番組の直接一覧表示及び即時選択のためのマスタ・ガイド。
　ＰＧ２２４：記憶された機能を設定し、ヘルプ情報にアクセスするための番組ガイド。
　ＴＶ２２６：従来のチャンネル選択を選ぶ。
　ＳＥＬ２２８：ＴＶ上に表示されるメニューから番組を選択する。
　Ｃ２３０：ＰＧモードで記憶された番組を取り消す。ＭＧモードのチャンネル制限のオン、オフを行う。
　↑２３２：ポインタを一覧表示の一番上に移動する。ポインタが一番上の行にある時押すと前のページに自動スクロールする。
　↓２３４：ポインタを一覧表示の一番下に移動する。ポインタが一番下の行にある時押すと次のページに自動スクロールする。
　→２３６：次のページに移動する。ポインタの位置は変更されない。最後のページが表示されている場合１週間の一覧表示の始めに戻る。
　←２３８：前のページに移動する。ポインタは変更されない。一覧表示がすでに始めにある場合、１週間の一覧表示の終わりに戻る。
　Ｐ２４０：前に数字キーを押さない場合、Ｐは一覧表示をゴールデンアワーだけに制限する。数字キーの後に入力した場合、Ｐは午後を示す。
　Ａ２４０：前に数字キーを押さない場合、Ａはー覧表示を選択されたテーマだけに制限する。数字キーの後に入力した場合、Ａは午前を示す。
  ２４４：翌日に進み、時間は変更されない。１週間の曜日毎に移動する。」）
　
　(K6.8)「MG Master Guide Mode
　This mode allows direct selection of a program from the listing. For the average user, the Master Guide (MG) mode is the only mode used. To access the MG mode, press the MG key 222 once: to exit mode, press the MG key 222 a second time, or use the SEL key 228 if the pointer is positioned at the desired program.
　The keyboard 220 may be used as a conventional TV selector by pressing the digit keys only, when the TV scheduler 160 is in the manual mode after the TV key is pressed. When used as a manual channel selector, each time that a new channel is selected, a channel number will appear on the bottom line of the screen. If a service name is associated with a signal received on a particular channel, the channel name will be displayed, rather than the channel number. Thus, if channel 3 is HBO, HBO will be displayed. Each time a channel is selected, a channel number or channel name, the name of the program, how long the program has been on, and how long remains for the program will appear on the bottom lines of the screen. For example, when the user scans the channel, it will show:
―――――――――――――――――――――――――――――――――
　HBO　　　　Prizzi's Honor　　　　on for 55 minutes
 　　　　　　　　　　　　　　　　　end for 35 minutes 
―――――――――――――――――――――――――――――――――
Alternatively, the time that the show has been on and the time remaining could be shown graphically with, for example, a horizontal split bar graph. This approach can also be used when scanning program listings in the case of programs in progress at the time of the scanning.
　The following is a typical screen when the MG key 222 is pressed. Listing always starts at the nearest previous half-hour. Note that the pointer always is positioned at the last selection made (Wall Street Week, in this example.)
―――――――――――――――――――――――――――――――――
　　9:00　　　Hotel series　　　　　　　Ch7
　　　　　　　News　　　　　　　　　　　Ch2
　　　　　　　Wall Street Week　　　　　Ch17
　　　　　　　Movie　　　　　　　　　　F2,Ch20
　　9:15　　　Movie　　　　　　　　　　HBO
　　9:30　　　Streets og SF　　　　　　Ch2
　　Wed.Jun.30,Prime:6pm11pm,theme 2 on 
　　Time:9:23PM Channel group 2 on Time 
　　remaining:7min., Wall Street Week
―――――――――――――――――――――――――――――――――
　Note that screen will list 16 lines of program information not including the three status lines at the bottom of the screen. The time remaining could also be shown directly in the 16 lines of program information in the case of programs in progress. The designation F2 is a satellite name. As shown, Prime indicates that the listing is restricted to hours between 6 pm and 11 pm. Theme 2 on indicates that theme group 2 is selected. Up to 4 groups of theme selection are available to accommodate 4 viewers. Channel group 2 restricts listing to channels defined under group 2. Four different channel groups are provided to accommodate different viewers. Up to 5 characters are available to indicate a program service by name.
Keys most commonly used in the MG mode. A complete detailed explanation follows:」（１０欄１１行〜１１欄７行）
（訳：オカ「ＭＧマスタ・ガイド・モード
　このモードでは一覧表示から番組を直接選択できる。平均的なユーザにとって、マスタ・ガイド（ＭＧ）モードが使用する唯一のモードである。ＭＧモードにアクセスするには、ＭＧキー２２２を一度押す。ＭＧモードを出るにはＭＧキー２２２をもう一度押すか、ポインタが所望の番組の位置にある場合ＳＥＬキー２２８を押す。
　ＴＶキーが押された後、ＴＶスケジューラ１６０が手動モードにある場合、キーボード２２０は数字キーだけを押すことで従来のＴＶセレクタとして使用される。手動チャンネル・セレクタとして使用される場合、新しいチャンネルが選択される都度、チャンネル番号が画面の一番下の行に表示される。特定のチャンネル上で受信された信号にサービス名が関連する場合、チャンネル番号でなくチャンネル名が表示される。すなわち、チャンネル３がＨＢＯである場合、ＨＢＯが表示される。チャンネルが選択される都度、チャンネル番号またはチャンネル名、番組の名称、番組開始後の経過時間、及び番組の残り時間が画面の一番下の行に表示される。例えば、ユーザがそのチャンネルを走査すると、次のように表示される。
―――――――――――――――――――――――――――――――――
ＨＢＯ　　プライジーの名誉　　　　番組開始後の経過時間５５分
　　　　　　　　　　　　　　　　　番組終了まで野残り時間３５分
―――――――――――――――――――――――――――――――――
　また、番組の経過時間と残り時間を、例えば水平分割棒グラフによって図表で示すことも可能である。この方法は、番組進行中に、番組一覧表示を走査するときにも使用できる。
　以下はＭＧキー２２２が押された時の画面の一例である。一覧表示は常に直前３０分から開始される。ポインタは常に最後になされた選択（この例ではウォール・ストリート・ウィーク）に置かれることに注意されたい。
―――――――――――――――――――――――――――――――――
９：００　　ホテル・シリーズ　　　　　　　　　　チャンネル７
　　　　　　ニュース　　　　　　　　　　　　　　チャンネル２
　　　　　　ウォール・ストリート・ウィーク　　　チャンネル１７
　　　　　　映画　　　　　　　　　　　　　Ｆ２、チャンネル２０
９：１５　　映画　　　　　　　　　　　　　　　　ＨＢＯ
９：３０　　ＳＦ通り　　　　　　　　　　　　　　チャンネル２
水曜日、６月３０日、ゴールデンアワー：午後６時〜午後１１時、テーマ２、時刻：午後９時２３分、チャンネル・グループ２、
残り時間：７分、ウォール・ストリート・ウィーク
―――――――――――――――――――――――――――――――――
　画面一番下の３行のステータス行以外に、画面は１６行の番組情報を一覧表示することに注意されたい。番組が進行中の場合、残り時間も１６行の番組情報中に直接示される。「Ｆ２」という名称は衛星名である。図示されるように、「ゴールデンアワー」は、−覧表示が午後６時から午後１１時までの時間に制限されていることを示す。「テーマ２」は、テーマ・グループ２が選択されていることを示す。４グループまでのテーマが選択可能であり、４人の視聴者に対応する。チャンネル・グループ２は一覧表示をグループ２として一定義されたチャンネルに制限する。４つの異なるチャンネル・グループが提供され、様々な視聴者に対応する。名前で番組サービスを表示するため５文字までが使用できる。
　ＭＧモードで最も一般的に使用されるキー。全体の詳細な説明は以下の通りである。」）
　
　(K6.9)「3. Detailed Operation in the MG mode 　When the MG key 222 is pressed, the TV screen will display a listing of programs starting at the nearest full hour. For example, if the time is 2:17, the display will start at 2:00. If desired, the user can enter the hour when the listing will start. For example, if 5 is entered, the listing will start at 5. Note that there is no need to enter an explicit AM or PM if the current AM or PM is same as the desired listing time. At the bottom of the screen is a two line status display, showing the actual time and date, and whether any of the search restrictions (prime, theme, and channel) are activated. If the prime is on, the prime time will limit the program listing to the prime time (specified by the user in the PG mode). If the start time is set to 6 pm, when the MG key 222 is pressed, the listing will start at 6 pm if the current time is 6 pm or earlier. If the current time is 9:05 pm, and the prime start time is 6 pm, then the listing will start at 9 pm, since a listing starting at 6 pm is not particularly useful.
　Note that the user can override the prime time restriction by entering an hour digit at any time. The listing will immediately start at the override time. Also note that for the average user, the prime time need not be set. It is set to 6 pm to 11 pm by default when the Program Master is first used.
　The cursor keys 232-236 can be used to select a different program. The up/down cursor keys 232-234 will move the cursor one line up or one line down at a time. When the top or the bottom of the listing is reached, the up key 234 will cause the screen to automatically display a previous one page, while the down key will cause the screen to display the next page.
　To speed up listing, the left and right arrow page keys 238 and 236 may be used to go back or advance a page at a time, respectively. The cursor position is unchanged when the page keys 236-238 are used.
　Once a desired program is indicated by the cursor, pressing the SEL key 228 will automatically cause the Program Master to return to the TV broadcast with the channel tuned to the selected program. The MG key 222 may also be used to return to the TV program, prior to selection in the MG mode. If the TV key 226 is pressed, the TV will return to the last manually selected program. By toggling between the MG and the TV modes, it is possible to review two programs without having to remember the channel numbers.
Example of MG Mode
　To start listing at 2 pm, press the following keys:
　MG 222, 2 digit key 246, P 240, SEL 228
　The TV will immediately display the program next to the pointer when the SEL key 228 is pressed.
　Pressing the P key 240 is optional; if omitted, the listing will be the same as the current PM or AM.」（１１欄２６行〜１２欄１１行）
（訳：「３．MGモードでの詳細な操作
　ＭＧキー２２２が押されると、ＴＶ画面は直前の０分ちょうどの時刻に始まる番組の一覧を表示する。例えば、時刻が２：１７である場合、表示は２：００から始まる。必要であれば、ユーザは一覧表示が始まる時刻を入力することができる。例えば、５が入力されると、一覧表示は５時から始まる。現在の午前または午後が、所望一覧表示の時刻と同じである場合、午前または午後を明確に入力する必要はないことに注意されたい。画面の一番下には２行のステータス表示があり、実際の時刻と日付、及び何らかの検索制限（ゴールデンアワー、テーマ、及びチャンネル）が作動しているかを示す。ゴールデンアワーが作動している場合、番組一覧表示を（ＰＧモードでユーザによって指定された）ゴールデンアワーに制限する。開始時刻が午後６時に設定されている場合、ＭＧキー２２２が押されると、現在の時刻が午後６時以前であれば一覧表示は午後６時から始まる。現在の時刻が午後９：０５で、ゴールデンアワー開始時間が午後６時である場合、午後６時に始まる一覧表示は特に有用でないので一覧表示は午後９時から始まる。
　ユーザは、いつでも時刻の数字を入力することでゴールデンアワー制限を無効にすることができる。一覧表示は無効にする操作を行った時点ですぐ開始される。また、平均的なユーザの場合、ゴールデンアワーを設定する必要がないことにも注意されたい。番組マスタが最初に使用される時、デフォルトで午後６時から午後１１時に設定されている。
　カーソル・キー２３２〜２３６を使用して異なる番組を選択することができる。ＵＰ／ＤＯＷＮカーソル・キー２３２〜２３４はカーソルを一度に１行上または１行下に移動させる。一覧表示の一番上または一番下に到達すると、ＵＰキー２３４は１つ前のページを自動的に表示し、ＤＯＷＮキーは次のページを画面に表示させる。
　一覧の表示を速めるため、左及び右矢印ページ・キー２３８及び２３６が使用され、それぞれ一度に１ページずつ前及び後ろに移動する。ページ・キー２３６・２３８が使用される際は、カーソル位置は変更されない。
　所望の番組がカーソルによって指示されると、ＳＥＬキー２２８を押すことで番組マスタは自動的に、選択された番組に同調されたチャンネルを有するＴＶ放送に戻る。また、ＭＧキー２２２が使用され、ＭＧモードでの選択の前にＴＶ番組に戻ることもある。ＴＶキー２２６が押されると、ＴＶは最後に手動で選択した番組に戻る。ＭＧ及びＴＶモードを切り換えることで、チャンネル番号を記憶する必要なしに２つの番組を見直すことが可能である。
　ＭＧモードの例
　午後２時からー覧表示を始めるには、以下のキーを押す。
　ＭＧ２２２、２の数字キー２４６、Ｐ２４０、ＳＥＬ２２８
　ＴＶはすぐに、ＳＥＬキー２２８が押された時にポインタのそばに表示されていた番組を表示する。
　Ｐキー２４０を押すのは任意選択である。これを省略した場合、一覧表示は現在の午後または午前と同じになる。」）
　
　(K6.10)「4. Program Guide (PG) Modes
　For advanced users, the Program Master can be set up to list only the types of program (theme), only certain channels and only programs within a certain time, such as Prime Time. In addition, the Program Master can store weekly programs and special programs. The stored program can be used to trigger an alarm or enable a VCR without user intervention. The PG mode may be used for unattended recording of a series of programs by only menu selection, without the user having to set the VCR with channel, time, date, or length of program.
　Note that the Program Master can be used without setting up any of these features. However, much of the power of the Program Master is contained in these features The PG modes are infrequently used by the average user. For advanced users, the PG modes may be re-programmed daily.
　There are five sub-modes available when the PG key 224 is pressed. Each of these modes allows the user to customize the program listing. When the PG key 224 is first pressed, the following information is displayed at the bottom of the screen:
―――――――――――――――――――――――――――――――――
　　PG A selects theme setup mode
　　PG P selects the prime time hours setup mode 
　　PG C selects the restrict channel listing setup mode
　　PG + selects the weekly/special selection setup mode
―――――――――――――――――――――――――――――――――」（１２欄１２行〜１２欄４３行）
（訳：「４．番組ガイド（ＰＧ）モード
　高度なユーザの場合、番組マスタを設定して、ある種類の番組（テーマ）のみ、あるチャンネルのみ、及びゴールデンアワーのようなある時間内の番組のみを一覧表示することができる。さらに、番組マスタは毎週の番組と特別番組を記憶することができる。記憶された番組を使用して、ユーザの介入なしにアラームを起動またはＶＣＲを使用可能にすることができる。ＰＧモードはメニュー選択のみで一連の番組を無人録画するために使用され、ユーザはＶＣＲのチャンネル、時刻、日付または番組の長さを設定する必要はない。
　番組マスタはこうした機能を設定せずに使用できることに注意されたい。しかし、番組マスタの能力の多くはこうした機能に含まれる。ＰＧモードが平均的なユーザによって使用されることは少ない。高度のユーザの場合、ＰＧモードは毎日再プログラムされることがある。
　ＰＧキー２２４が押された時には、５つのサブモードが使用可能となる。こうした各モードによって、ユーザは番組一覧表示をカスタマイズできる。最初にＰＧキー２２４を押すと、以下の情報が画面の一番下に表示される。
―――――――――――――――――――――――――――――――――
ＰＧ　Ａ　テーマ設定モードを選択する。
ＰＧ　Ｐ　ゴールデンアワー設定モードを選択する。
ＰＧ　Ｃ　制限チャンネル一覧表示モードを選択する。　
ＰＧ　＋　毎週／特別番組選択設定モードを選択する。
―――――――――――――――――――――――――――――――−」）
　
　(K6.11)「PG A Theme Setup
　When the A key 242 is pressed, a list of themes appears on the screen. The Up/Down keys 232-234 may be used to position the selection cursor next to the theme to be added to the list. The SEL key 228 is used to add to the list while the C key 230 can be used to cancel a selected theme. As each theme is selected, the cursor is enhanced by a marker identifying the themes selected. There can be up to 31 themes displayed on two pages.
　Some themes, such as sports, have up to 15 sub-themes Whenever the cursor is placed alongside a theme with sub-categories, an expanded listing appears on the right of the screen. These sub-themes may be accessed using the two left/right arrow keys 238 and 236 (used for page selection in the MG mode). When the right arrow key 236 is pressed the cursor will reposition to the top of the sub-themes. One or more sub-themes can be selected using the SEL key 228 or eliminated using the C key 230. To return to the main themes, the left arrow key 238 is pressed. Alternatively, by pressing the MG key 222, the MG mode can be accessed directly. The selection made while in the PG A mode will be permanently stored.
The PG key 224 is generally ignored while in the PG mode. However, while in the sub-theme listing, the PG key 224 will return to the main theme listing. A typical theme listing is shown:
―――――――――――――――――――――――――――――――――
News　　　　　　　　　　Football
Movies　　　　　　　　　Baseball
Sports(2)　　　　　　　*Basketball
Childrens Show　　　　　Golf
Education and Science　　Tennis
Finanncial News　　　　　Bowling
*Special Series(4)　　　*Racing
Travel　　　　　　　　　Boating
Foreign Language　　　　Hunting
Game Show　　　　　　　　Special Events
*Re-runs(ALL)  
Music
Theme Group Total no. of theme:3
Total no of groups setup:3
――――――――――――――――――――――――――――――――」
（１２欄４４行〜１３欄１９行）
（訳：キ「ＰＧＡテーマ設定
　Ａキー２４２が押されると、画面上にテーマの一覧が表示される。ＵＰ／ＤＯＷＮキー２３２〜２３４が使用され、一覧表示に追加するテーマのそばに選択カーソルを置く。ＳＥＬキー２２８は選択されたテーマを一覧表示に追加するために使用され、Ｃキー２３０はそれを取り消すために使用される。各テーマが選択されると、カーソルはそのテーマが選択されたことを示すマーカによって強調される。２つのページに３１までのテーマを表示することができる。
　テーマの中には、スポーツのように、１５までのサブテーマを有するものがある。サブカテゴリーを有するテーマに沿ってカーソルが配置された時は常に、画面の右側に拡張一覧表示が表示される。こうしたサブテーマは２つの右／左矢印キー２３８及び２３６（ＭＧモードでページ選択に使用されるもの）を使用してアクセスされる。右矢印キー２３６が押されると、カーソルはサブテーマの一番上に移動する。１つかそれ以上のサブテーマを、ＳＥＬキー２２８を使用して選択することやＣキー２３０を使用して削除することができる。メインテーマに戻るには、左矢印キー２３８を押す。また、ＭＧキー２２２を押すことで、ＭＧモードに直接アクセスできる。ＰＧＡモードでなされた選択は永続的に記憶される。
　ＰＧキー２２４はＰＧモードでは一般に無視される。しかし、サブテーマ一覧表示では、ＰＧキー２２４を押すとメインテーマ一覧表示に戻る。通常のテーマ一覧表示を以下に示す。
―――――――――――――――――――――――――――――――――
ニュース　　　　　　　　　　　　フットボール
映画　　　　　　　　　　　　　　野球
スポーツ（２）＜　　　　　　　　※バスケットボール
子供ショー　　　　　　　　　　　ゴルフ
教育科学　　　　　　　　　　　　テニス
経済ニュース　　　　　　　　　　ボーリング
※特別シリーズ（４）　　　　　　※レーシング
旅行　　　　　　　　　　　　　　ボート
外国語　　　　　　　　　　　　　狩猟
ゲーム・ショー　　　　　　　　　特別イベント
※再放送（全テーマ）
音楽
テーマ・グループ２　テーマの合計数：３
グループ設定の合計数：３
――――――――――――――――――――――――――――――――」）
　
　(K6.12)「PG C Channel Restriction List Setup This feature allows the user to restrict listing to the channels of interest, and also the satellite if it is a satellite broadcast. As in the case of themes, up to four different channel groups can be set up to accommodate different viewers. Alternatively, one of the list can be set up for just one or two channels of interest. To create a simple list, enter PG C. The following screen will appear;
―――――――――――――――――――――――――――――――――
A.Enter channel or satelite name/symbol to be listed:
B.Enter channels or satelite name /symbol not to be listed:
Note that only one of the above is allowed.
Changing from one to another will automatically delete channels of the other list.
Current channels listed:2,4,5,6,7,8,9,12,22
Press MG, PG again, or TV to exit this mode.
Only MG will cause the changes to be updated.
―――――――――――――――――――――――――――――――――
　To enter channels, press the digit keys 246 and enter using the SEL key 228. All single digit channels must be preceded by O. A channel can be removed from the list by using the paging keys 236-238 to position a marker under the channel number to be deleted under the channel number or channel name to be deleted. Similarly, if satellite listing service is requested, satellite names will be listed. Satellites, as well as channels, can also be deleted from the listing using the C key 230. The C key 230 will activate the deletion. Each time a channel is deleted, the marker will advance to the next position to the right of the deleted channel.
　When the channel selections are completed, the MG key 222 must be entered to store the changes. When the PG C mode is accessed again, the current channel listing will reflect the new changes.」（１４欄３６行〜１５欄２行）
（訳：ク「ＰＧ　Ｃチャンネル制限一覧表示設定この機能によって、ユーザは一覧表示を関心のあるチャンネルに制限し、それが衛星放送である場合は衛星に制限することができる。テーマの場合と同様、異なった視聴者に対応するため、４つまでの異なったチャンネル・グループが設定できる。また、一覧表示の１つを関心のある１つか２つのチャンネルだけについて設定することができる。簡単な一覧表示を作成するには、ＰＧ　Ｃを入力する。以下の画面が表示される。
―――――――――――――――――――――――――――――――――
Ａ．一覧表示するチャンネルまたは衛星名／記号を入力する：＿
Ｂ．一覧表示しないチャンネルまたは衛星名／記号を入力する：
　なお、許可されるのは、上記の１つだけである。
　一方から他方に変更すると、他の一覧表示のチャンネルは自動的に削除される。
　現在一覧表示されているチャンネル：２、４、５、６、７、８、９、１２、２２
　このモードを出るにはＭＧ、ＰＧをもう一度押すか、ＴＶを押す。
　ＭＧだけを押すと変更が更新される。
―――――――――――――――――――――――――――――――――
　チャンネルを入力するには、数字キー２４６を押し、ＳＥＬキー２２８を使用して入力する。１桁数字のチャンネルは全て、前に０を付けなければならない。ページング・キー２３６〜２３８を使用して削除するチャンネル番号またはチャンネル名の下の削除するチャンネル番号の下にマーカを置くことでチャンネルを一覧表示から削除することができる。同様に、衛星一覧表示サービスが要求された場合、衛星名が一覧表示される。衛星も、チャンネルと同様、Ｃキー２３０を使用して一覧表示から削除することができる。Ｃキー２３０は削除を起動する。チャンネルが削除される度に、マーカは削除されたチャンネルの右側の次の位置に進む。
　チャンネル選択が完了したら、ＭＧキー２２２を押して変更を記憶しなければならない。ＰＧ　Ｃモードが再びアクセスされる時、現在のチャンネル一覧表示は新しい変更を反映している。」）
　
　(K6.13)「5. Flow Diagram Description
　The following is a description of the program sequences for the CPU 110 in FIG. 3 or the CPU 178 in FIG. 4.
　Received data from data demodulator 102, FIG. 3 or data demodulator 169, FIG. 4, is stored in temporary buffer 300 of FIG. 6. The buffer is enabled by the system clock 128, FIG. 3 or 194, FIG. 4 during down time of the broadcast. In another implementation, the buffer 300 is always enabled. The ID of the subscriber in ROM 112 of FIG. 3 or ROM 184 of FIG. 4 is compared with the received data, by decision block 301 of FIG. 6. If a match is found, the Program Master is ready to receive programming data. In another implementation, no ID match is required to receive the programming data.
　As each block of data is received, the data integrity is verified by error checking logic at 302. If no error exists, the received data is stored in the program list buffer 303, replacing the previous program list data. If an error exists and is determined to be correctable at 304, the block is corrected at 305 and then stored in the program list buffer 303. The block error analysis 302 is based on cyclic redundancy coding to correct errors that affect short burst errors in a known manner.
　If the error is determined to be uncorrectable, the number of the uncorrectable block is logged in an error log 306. The receiver is set by 307 in this case to wait for another complete transmission before terminating the program update. The microcomputer 22 of FIGS. 1 and 2 is programmed to repeat transmissions of the program list for a number of times to allow for correction of uncorrectable errors at the receiver 90 or 160 (FIGS. 3 and 4).
　When the last decision block 308 detects a last block command in the transmission, update of the program listing is terminated. The CPU passes control at 309 to the command string processor 310, FIG. 7.
　The command string 310 searches for closure of the MG key 222 (FIG. 5) at 320, the PG key 224 at 321, or the TV key 226 at 322. If any other keys are entered before one of these keys, the key is ignored. If the TV key 226 is entered, the manual TV channel select mode is set up at 323. The Program Guide then functions as a standard remote TV tuner.
　　　・・・（中略）・・・
　If the MG key 222 is entered, the MG mode is selected, FIG. 8. Upon entry, the system clock time and calendar is stored in the status line buffer 350. The set list pointer 351 is adjusted to the nearest hour based on the current time and date.
　A search of the program listing 352 is made. The search is dependent on the status of the channel buffer, the theme buffer, the prime time buffer, and the direction of search. If the page 356 is up, the search direction is forward starting from the list pointer. If the page is down 357, the search direction will be backward 358 from the current list pointer. When the search satisfies the above criteria, the program listing is placed into the screen buffer 353. The search continues until the screen buffer is full 354 in which case the search is terminated. The status lines information is passed to the screen buffer and displayed 355 by the TV.
　　　・・・（中略）・・・
　If a P, C or A key 240, 230 or 242 closure is detected at 373, the prime buffer, channel buffer and theme buffer are toggled off or on at 377. The screen buffer is cleared at 364, and a new search is commenced with one of the search criteria changed.」（１６欄４５行〜１８欄１５行）
（訳：「５．フローチャートの説明
　以下は図３のＣＰＵ１１０または図４のＣＰＵ１７８に関するプログラムシーケンスの説明である。
　データ復調器１０２、図３またはデータ復調器１６９、図４から受信されたデータは図６の一時バファ３００に記憶される。バファは、放送の休止時間中システム・クロック１２８、図３または１９４，図４によって有効になる。別の実現例では、バフア３００は常に有効である。図３のＲＯＭ１１２または図４のＲＯＭ１８４中の加入者のＩＤが、図６の決定ブロック３０１によって受信されたデータと比較される。一致が見られれば、番組マスタはプログラミング・データを受信する用意ができる。別の実現例では、プログラミング・データを受信するためＩＤの一致は必要ない。
　データの各ブロックが受信されると、３０２のエラー検査論理によってデータの完全性が検証される。エラーが存在しなければ、受信されたデータは番組一覧表示バファ３０３に記憶され、前の番組一覧表示データを置換する。エラーが存在し３０４で訂正可能と判定された場合、ブロックは３０５で訂正された後番組一覧表示バッフア３０３に記憶される。ブロックエラー分析３０２は巡回冗長コード化に基づいており、周知の方法で短いバーストエラーに影響を与えるエラーを訂正する。
　エラーが訂正不能であると判定された場合、訂正不能なブロックの番号がエラーログ３０６に記録される。この場合受信機は３０７によって、番組の更新を終了する前に別の完全な送信を待つよう設定される。図１及び図２のマイクロコンピュータ２２は、受信機９０または１６０ (図３及び図４）での訂正不能エラーの訂正を考慮して番組一覧表示を何回か送信するようプログラムされている。
　最終決定ブロック３０８が送信中の最終ブロック・コマンドを検出すると、番組一覧表示の更新が終了する。ＣＰＵは３０９で制御をコマンド列プロセッサ３１０、図７に渡す。   0
　コマンド３１０は、３２０でＭＧキー２２２（図５）、３２１でＰＧキー２２４、または３２２でＴＶキー２２６の閉鎖を検索する。これらのキーの１つの前に何らかの他のキーが入力された場合、そのキーは無視される。ＴＶキー２２６が入力された場合、３２３で手動ＴＶチャンネル選択モードが設定される。この時番組ガイドは標準遠隔ＴＶチューナとして機能する。
　　　・・・（中略）・・・
ＭＧキー２２２が入力されるとＭＧモードが選択される、図８。このモードに入る際、システム・クロック時間とカレンダがステータス行バファ３５０に記憶される。設定一覧表示ポインタ３５１が現在の時刻と日付に基づいて最も近い０分ちょうどの時刻に調整される。
　番組一覧表示の検索３５２がなされる。検索はチャンネル・バファ、テーマ・バファ、ゴールデンアワー・バファ、及び検索の方向の状態に依存する。ページ３５６が「上へ」の場合、検索は一覧表示ポインタから始まり前方に進む。ページが「下へ」の場合３５７、検索方向は現在の一覧表示ポインタから後方３５８に進む。検索が上記の基準を満足すると、番組一覧表示が画面バファ３５３に配置される。検索は画面バファが一杯になる３５４まで続き、一杯の場合検索は終了する。ステータス行情報は画面バファに送られＴＶによって表示３５５される。
　　　・・・（中略）・・・
　３７３でＰ、ＣまたはＡキー２４０、２３０または２４２の閉鎖が検出された場合、３７７でゴールデンアワー・バファ、チャンネル・バファ及びテ−マ・バファがオフまたはオンになる。３６４で画面バファは消去され、新しい検索が開始され検索基準の１つが変更される。」）
　
　(K6.14)「Referring to the flow diagram of FIG. 7, if closure of the PG key 224 is detected at 321, followed by closure of the A key 242 at 324, the theme mode is selected. Referring to FIG. 9, the theme buffer 400 is selected by the CPU 110 or 178 to output to the video generator 136 or 204 and displayed on the TV 126 or 200, as indicated at 401. The theme buffer data originates from the received program list data. The themes may change over time as new themes are presented. The status line information is also displayed on the TV 126 or 200, as indicated at 402. The status line indicates the current PG mode, theme, time, date and also shows the number of selected themes.」（１８欄２１行〜１８欄３３行）
（訳：ケ「図７のフローチャートを参照すると、３２１でＰＧキー２２４の閉鎖が検出され、それに３２４でＡキー２４２の閉鎖が続く場合、テーマ・モードが選択される。図９を参照すると、４０１で示されるように、ＣＰＵ１１０または１７８によってテーマ・バッフア４００が選択され、ビデオ生成器１３６または２０４に出力されＴＶ１２６または２００上に表示される。テーマ・バッフア・データは受信された番組一覧表示データから生成される。テーマは新しいテーマが提示されるに連れて徐々に変更されることがある。４０２で示されるように、ステータス行情報もＴＶ１２６または２００上に表示される。ステータス行は現在のＰＧモード、テーマ、時刻、日付を表示し、さらに選択されたテーマの数を示す。」）
　
　(K6.15)「Broadcast Format
Each program listing is framed with the following information;
―――――――――――――――――――――――――――――――――
Start time　　　　　　　　　　　　　　　　hour,minuite
Duration of program　　　　　　　　　　　hour,minutes
Channel number　　　　　　　　　　　　　two digits
Theme classification number　　　　　　　two digits
Theme subclssification number　　　　　　two digits 
Linking number (only for serial shows)　　three digits
Optional expanded listing 　　　　　　 　　text up to 300 characters
End of Program　　　　　　　　　　　　　　single character
Satelite symbol　　　　　　　　　　　　　two characters
Satelite name　　　　　　　　　　　　　　five characters
Encrypted and any special broadcast indicators　one character    
――――――――――――――――――――――――――――――――」）（２０欄６６行〜２１欄１５行）
（訳：コ「放送形式
各番組一覧表は以下の情報によって構成される。
―――――――――――――――――――――――――――――――――
開始時刻　　　　　　　　　　　　　　　　時間、分
番組の長さ　　　　　　　　　　　　　　　時間、分
チャンネル番号　　　　　　　　　　　　　２桁の数字
テーマ分類番号　　　　　　　　　　　　　２桁の数字
テーマ下位分類番号　　　　　　　　　　　２桁の数字
リンク番号（シリーズ番組の場合のみ）　　２桁の数字
オプション拡張一覧表示　　　　　　　　　３００文字までのテキスト
番組の終了　　　　　　　　　　　　　　　１つの文字
衛星記号　　　　　　　　　　　　　　　　２つの文字
衛星名　　　　　　　　　　　　　　　　　５つの文字
暗号化及び特殊放送標識　　　　　　　　　１つの文字
――――――――――――――――――――――――――――――――」）
　
（７）
甲７号証（特開平１−３０７９４４号公報
　〈目的〉
　(K7.1)「発明の目的
［産業上の利用分野］
　本発明は、録画予約を行なう録画予約制御装置に関する。
［従来の技術］
　ビデオ録画装置（いわゆるビデオテープレコーダ）の普及に伴い、予め設定した時間に自動的に録画を行なう装置が種々提案されている。こうした録画装置では、録画開始時刻や収録番組のチャンネルの設定や録画終了時刻等、設定内容が多岐に亘り、設定にはかなりの手間と慣れとを要する。
そこで、機械の操作に慣れない老人等でも簡易に録画予約の設定ができるよう、バーコードを使って録画開始時刻を読み込ませたり、一週間を単位として毎週同時刻に同じ番組を録画する機能を備えた録画装置も提案されている。
［発明が解決しようとする課題］
　しかしながら、こうした録画装置でも、バーコードといったいわば約束事を用いるため、操作が直感的ではなく、しかもその操作が煩雑であるという問題があった。特に、放映時間が連続する異なるチャンネルの番組を録画する場合や、同じ番組が週によって異なる時間帯に放映されるといった場合には、バーコードを使用してもその設定は極めて煩雑なものになってしまう。また、バーコードの場合、読み取りミスもあり得る。このため、所望の番組を簡単に録画予約する装置の改善が望まれていた。
　本発明は上記課題を解決し、録画予約の簡略化を図ることを目的とする。」(１頁左下欄２０行〜２頁左上欄９行)
　〈解決手段・作用概要〉
　
　(K7.2)ア「［課題を解決するための手段］
　本発明の録画予約制御装置は、第１図に例示するように、
　テレビの放映内容を録画するビデオ録画装置ＶＴＲに装置されて、その録画を制御する録画予約制御装置において、
　少なくともテレビ放送の内容と放映時間とを含む情報を予め記憶する記憶手段ＭＥと、　該記憶された情報をテレビ受像機ＴＶに出力し、該テレビ受像機ＴＶに表形式で表示させる表示制御手段ＤＣと、
　該表示された情報から所望の放送内容を選択する選択手段ＳＬと、
　該選択された情報に従って、その放映時間をビデオ録画装置ＶＴＲの録画予約手段ＴＭに設定する録画設定手段ＲＳと
　を備えたことを特徴とする。
［作用］
　上記構成を有する本発明の録画予約制御装置は、テレビの放映内容を録画するビデオ録画装置に装置されてその録画手段を以下のように制御する。
　録画予約制御装置は、その記憶手段ＭＥに予め記憶した少なくともテレビ放送の内容と放映時間とを含む情報を、表示制御手段ＤＣによりテレビ受像機ＴＶに出力し、テレビ受像機ＴＶに表形式で表示させる。従って、新聞や専門誌に掲載されるテレビ放送の番組表と同様の形式で、放送の内容と放映時間とを視認することができる。この状態で、選択手段ＳＬ、例えばカーソルの移動とこれに伴う表示の点滅や反転表示等により情報を選択し、この選択された情報に従って、録画設定手段ＲＳにより、選択した放映内容の放映時間をビデオ録画装置の録画予約手段ＴＭに設定する。
　従って、ビデオ録画装置ＶＴＲは、テレビ受像機ＴＶに表形式で表示された放送の内容に基づいて選択された番組の時間になると、録画予約手段ＴＭにより、録画を実行する。」(２頁左上欄１３行〜同頁左下欄９行)
　
　〈実施例〉
　(K7.3)イ「［実施例］
　以上説明した本発明の構成・作用を一層明らかにするために、以下本発明の録画予約制御装置の好適な実施例について説明する。第２図は、本発明の録画予約制御装置の一実施例としての録画予約カード１の外観をビデオデープレコーダ（ＶＴＲ）３とこれにケーブル４を介して接続されたテレビ受像機５と共に示す斜視図である。ＶＴＲ３は、図示するように、ビデオカセットテープを挿入するカセット挿入部７、現在時を表示する時刻表示部８、カード形状の録画予約カード１を上方からスライド挿入する接続部１０等を備える。
　録画予約カード１は、１週間ないし数週間のテレビ放送の番組の内容・時間等を予め記憶させたものであり、単体であるいは番組の内容を解説した週刊誌・月刊誌等と共に販売される。番組の内容等は、本実施例では、後述するように、ＲＯＭに記憶しているが、書換え可能なＰＲＯＭないしバッテリによりバックアップされたＲＡＭに記憶するものとして、自動販売機等で書き換えるものとしてもよい。この録画予約カード１は、ＶＴＲ３の接続部１０に装着して用いられる。録画予約カード１は、その表面には、「設定」「毎週」「連続」等の文字が刻印された制御キー１１，１２，１３と、上下左右の矢印が刻印されたカーソルキー２１，２２，２３，２４とが設けられている。尚、その最下端には、ＶＴＲ３内の接続部１０に接続されるコネクタ３０が設けられている。次に第３図に従って、録画予約カード１とＶＴＲ３の内部構成について説明する。図示するように、録画予約カード１の内部には、周知のＣＰＵ３１，ＲＯＭ３２，ＲＡＭ３３を中心に、これらとバス３４により相互に接続されたキー入力ポート３５，入出力ポート３８等が設けられている。
　ＲＯＭ３２には、制御プログラムと共に、１週間から４週間分程度の放映番組の簡単な内容と放映開始・終了時刻が記憶されている。また、キー入力ボート３５には、カード表面に設けられた各キー１１ないし１３，２１ないし２４が接続されており、各キーの操作状態を入力する。入出力ボート３８は、ＶＴＲ３内部の制御装置とデータ等をやり取りするためのボートであり、録画予約カード１がＶＴＲ３に装置されたとき、コネクタ３を介してその内部のバス４５に接続される。」（２頁左下欄１０行〜３頁左上欄１４行）
　
　(K7.4)「一方、ＶＴＲ３の内部には、バス４５により相互に接続された周知のＣＰＵ５１，ＲＯＭ５２，ＲＡＭ５３，タイマ５５のほか、アンテナ５７を介してテレビ放送電波を受け映像・音声信号を復調するチューナ６０，復調した信号をビデオテープに録画しあるいは再生する録画再生部６５，映像信号をテレビ５に出力する映像信号出力部７０等を備える。タイマ５５は、年月日を管理するカレンダ機能および２４時間の時計機能を備え、予め内部バス４５を介してＣＰＵ５１により設定された時刻なるとこれをＣＰＵ５１に割込として報知すると共に、時刻表示部８に現在時を表示する。
また、チューナ６０は、ＣＰＵ５１の指令を受けて復調するチャンネルを選択することができる。
選択されたチャンネルの復調された映像信号は、録画再生部６５に出力されるが、この録画再生部６５には、ＣＰＵ５１の制御信号も出力されており、録画再生部６５はこの信号を受けて、映像信号の録画・再生に応じて、図示しない録画再生用ヘッドの駆動、テープリール駆動用モータの制御等を行なう。更に、映像信号出力部７０は、チューナ６０により復調されたあるチャンネルの映像信号、録画再生部６５により再生された映像信号、ＣＰＵ５１がＲＡＭ５３に記憶した画像データを読み出して生成する映像信号のうちの何れかひとつの映像信号を選択し、これを−旦図示しない内部のビデオメモリに蓄えた後、テレビ受像機５に常時出力する。」(３頁左上欄１５行〜同頁左下欄２行)
　
　(K7.5)ウ「次に、第４図に示す番組表の説明図、第５図，第６図に示すフローチャートに従って、録画予約カード１およびＶＴＲ３の各ＣＰＵ３１，５１が実行する処理について説明する。録画予約カード１は、ＶＴＲ３に装着されて電源が投入されると、第５図に示すカード側処理ルーチンを開始し、まず、カーソル位置の初期化等の処理を行なう（ステップ１００）。カーソルの初期位置は、予め定めた原点であり、第４図に示す番組表では、最も小さな番号のチャンネルでかつ最も早い時間帯の番組（本実施例では
番組Ａ１
　
　(K7.6)エ「ステップ１３０の判断において入力キーが「設定」キー１１であると判別された場合には、現在のカーソル位置情報に応じた番組の開始時刻とそのチャンネル番号とをＲＯＭ３２から読み出し（ステップ１６０）、続けて録画開始時刻をＶＴＲ３のＣＰＵ５１に出力する処理を行なう（ステップ１７０）。例えば、カーソルが番組Ｃ３にある場合には、この番組の開始時刻８時４５分とチャンネルＣＨ５とが読み出され出力される。読いて、その番組の終了時刻を読み出して（ステップ１８０）、その時刻を出力する処理を行なう（ステップ１９０）。上述した例では、終了時刻９時３０分が読み出され出力されることになる。」(４頁左上欄９行〜同頁右上欄１行)
　
　(K7.7)オ「以上、録画予約カード１側の処理について説明したが、この処理に応じて、ＶＴＲ３側では次の処理が行なわれる。第６図に示すように、まず、録画予約カード１からデータの出力があるまで待ち（ステップ３００）、データ出力があった場合には、その内容を判別する（ステップ３１０）。
出力の内容がカーソルデータ（第５図ステップ１４０に対応）の場合には、ＣＰＵ５１は、映像信号出力部７０にデータを出力し、表示している番組の反転位置を更新する（ステップ３５０）。例えは、第４図に斜線を施した番組Ｃ３が反転表示されている場合、録画予約カード１から下向き矢印のカーソルキー２２が操作されたとの情報が送られたときには、番組Ｃ４を反転表示し番組Ｃ３を正常表示した映像信号の出力に切り換えるのである。
　一方、録画予約カード１からの出力の内容が番組表のデータである場合には、第５図のステップ１２０で出力されるデータに対応して、これを一旦ＲＡＭ５３に蓄えた後、テレビ受像機５に表示するデータとして映像信号出力部７０にセットする処理（ステップ３２０）と、録画予約カード１が出力するカーソル位置データを入力する処理とを行なう（ステップ３３０）。続いて、入力したカーソル位置のデータに基づいて反転表示する番組の位置を映像信号出力部７０に設定する処理を行なう（ステップ３４０）。」(４頁左下欄５行〜同頁右下欄１１行)
　
　(K7.8)カ「また、録画予約カード１からの出力の内容がカード側の処理、ステップ１７０、１９０に対応した設定時刻情報の場合には、この情報を一旦ＲＡＭ５３に記憶し（ステップ３６０）、記憶した複数の時刻情報のうちもっとも現在時に近い日付・時刻をタイマ５５にセットする処理を行う（ステップ３７０）。タイマ５５は、セットされた日付・時刻になるとＣＰＵ５１に割込をかけ、チューナ６０，録画再生部６５を駆動して記憶されたチャンネルの番組をビデオカセットテープに録画する処理を行なわせる。」(４頁右下欄１２行〜５頁左上欄２行)
　
　(K7.9)キ「以上説明した録画予約カード１側の処理およびＶＴＲ３側の処理により、使用者は、次のようにして録画予約の設定を行なう。
　（１）まず、ＶＴＲ３に録画予約カード１を装着し電源を投入すると、テレビ受像機５にその番組表の一部が、第４図に示すように、表形式で表示される。カーソルキー２１ないし２４を操作することにより、所望の番組を反転表示させることができ、現在表示されている領域の外に反転表示部を移動するようなカーソル操作がされた場合には、表示領域が更新される。尚、その日の番組表以外の番組表を表示させる処理は、特に説明しなかったが、専用のキーを設けてもよいし、カーソルキー２１、２２と他のキーとの組合せにより、前日もしくは翌日の番組表を表示するように構成することも好適である。
　（２）所望の番組を反転表示させた状態で録画予約カード１の「設定」キー１１を操作すると、その番組の日付を含む開始時刻とチャンネルおよび終了時刻が記憶され、ＶＴＲ３はその開始時刻がくると、録画を開始し、終了時刻がくると録画を終了する。」(５頁左上欄７行〜同頁右上欄８行)
　
（８）
甲８号証（特開平２−５６７９１号公報
　(K8.1)「（従来の技術）
　従来、ＶＴＲには、磁気テープ（以降単にテープと称する）に記録されている情報をいち早く取り出す手段として、テープ中の取り出したい情報の冒頭にＶＩＳＳやＶＡＳＳ等にみられるような頭出し信号を打ち込む方法がある。そこで、上記の如くテープに記録された情報を検索するために、上記頭出し信号を利用して対応するテープに記録された映像信号に係る情報の全てを取り出して、これをテープの冒頭にインデックス情報として記録するものがある。
　しかし、上記の従来の方法ではテープの冒頭にインデックス情報が記録されているため、インデックス情報を得るにはテープを冒頭まで巻き戻す必要があるし、誤ってインデックス情報を消去してしまう危険性があった。又、前記インデックス情報が映像情報であった場合には記録情報を把握しにくいという問題があった。
（発明が解決しようとする課題）
　上記の如く、テープに記録されている映像情報を検索するためのインデックス情報をテープの冒頭に記録する従来のＶＴＲでは、インデックス情報を得るためにテープを冒頭まで巻き戻す必要があり、インデックス情報を迅速に得られないという欠点があった。又、インデックス情報は消去可能なテープ上に記録されているため、インデックス情報を誤消去してしまう可能性があった。そこで本発明は上記の欠点を除去するもので、インデックス情報の誤消去を防止して迅速且つ正確にインデックス情報を得ることができるビデオテープレコーダを提供することを目的としている。」（１頁右下欄１７行〜２頁右上欄７行）
　
　(K8.2)「（作用）
　本発明のビデオテープレコーダにおいて、情報獲得手段はテープへの情報記録時にこの情報に関するインデックス情報を入力又は収集して、これを書き込み手段に渡す。書き込み手段は前記情報獲得手段にて獲得されたインデックス情報を前記頭出し信号に対応したアドレス及びカセット識別手段からのカセット識別情報によって区分けして不輝発性メモリに書き込む。読み出し手段は前記カセット識別手段からのカセット識別情報に基づいて前記不輝発性メモリから対応するインデックス情報を読み出し、これを信号処理手段に渡す。
信号処理手段は前記読み出し手段によって読み出されたインデックス情報を映像信号化してモニタに出力する。
アドレス指定手段は前記モニタに表示されたインデックス情報が示す頭出し信号に対応したアドレスを指定して、これを頭出し信号検出手段に与える。再生手段は前記頭出し信号検出手段にて前記頭出し信号が検出されると、この頭出し信号の後に入っている前記磁気テープ上の記録情報を再生して前記モニタに出力する。」（２頁左下欄１６行〜同頁右下欄１６行）
　
　(K8.3)ア「本例では個々のビデオテープを区別するために識別マークとしてバーコードをテープカセット１２の表面に表示（貼付）してある。先ず、インデックス情報の再生では、第１図に示したテープカセット１２を第２図に示したカセット挿入口１５に挿入すると、フロントローディング方式によってテープカセットには自動的に水平に移動した後、垂直に移動して定位置に格納される。従って、前記テープカセット１２が垂直に移動している間にバーコードリーダ２がテープカセット１２上に表示されているバーコード１２１を読み取り、その結果であるデータＳ１を第１図のマイクロコンピュータ１に出力する。マイクロコンピュータ１は入力されたデータＳ１に対応するインデックス情報をＥＡ−ＲＯＭ７から読み出し、読み出したインデックス情報Ｓ２をＣＲＴコントロール回路６に与える。ＣＲＴコントロール回路６は入力されたインデックス情報Ｓ２を映像信号に変換して、これをスイッチ８を介してビデオ回路９に出力する。この変換の際、前記インデックス情報は頭出し信号ＶＡＳＳのアドレス情報で区分けされる。スイッチ８が閉じている時は前記インデックス情報Ｓ２に対応する映像信号はビデオ回路９に入力されて処理された後、モニタ１５に出力されて表示される。ここで、上記インデックス情報はスイッチ８を開閉することによって表示するか否かが選択される。こうして、モニタ１３に表示されるインデックス情報、例えば記録日付、記録開始／終了時刻、選局番号、タイトル、ＶＡＳＳのアドレス等で、前記インデックス情報に対応する映像情報を検索する場合、ユーザはキー入力装置３によって頭出し信号ＶＡＳＳのアドレス情報をマイクロコンピュータ１に指定する。これを受けたマイクロコンピュータ１はテープ駆動回路１０を制御してテープを送る。この際、コントロールヘッド４は頭出し信号を再生し、これを頭出し信号発生、検出回路５に出力する。頭出し信号発生、検出回路５は検出データＳ３をマイクロコンピュータ１に出力する。マイクロコンピュータ１は入力されたデータＳ３が前記ユーザによって指定されたアドレスと一致すれば、ここでＶＴＲを再生モードする。これによって、前記頭出し信号以降に記録されている映像情報がビデオヘッド１１にて再生されてビデオ回路９に入力され、各種処理を受けた後モニタ１３に写し出される。」（３頁右上欄１３行〜右下欄１８行）
　
　(K8.4)イ「一方、インデックス情報を記録する場合は、ＶＴＲが映像信号を記録する動作を開始すると、マイクロコンピュータ１は頭出し信号ＶＡＳＳのアドレスの中で使用されていないアドレスを見つけ出し、このアドレスに対応する頭出し信号を頭出し信号発生、検出回路５にて生成し、これをコントロールヘッド４を介してテープのコントロールトラック上に自動的に記録する。これと同時に、マイクロコンピュータ１はテープに記録するＶＡＳＳデータと、映像記録開始の日付、時刻、選局番号等のインデックス情報を図示されないタイマ回路等から読み出して、これをＥＡ−ＲＯＭ７に書き込む。又、最後にマイクロコンピュータ１は前記映像の記録終了時に、その終了時刻を前記タイマ回路等から読み出してＥＡ−ＲＯＭ７に書き込む。なお、ユーザはキー入力装置３よりマイクロコンピュータ１をインデックス情報の書き込みモードとした後、同キー入力装置３からタイトル等のインデックス情報の追加、削除を行うことができる。」（３頁右下欄１９行〜第４頁左上欄１７行）
　
　(K8.5)ウ「本実施例によれば、インデックス情報をテープ上でなくＥＡ−ＲＯＭ７に記憶させるため、頭出し信号ＶＡＳＳのアドレスが指定されれば、テープを送ることなく、ＥＡ−ＲＯＭ７から対応するインデックス情報を読み出して、迅速且つ正確にモニタ１３に表示することができる。又、インデックス情報はＥＡ−ＲＯＭ７に書き込まれているため、インデックス情報の誤消去を回避することができる。」（４頁左上欄１８行〜右上欄６行）
　
（９）
甲９号証（特開平１−２１２９８６号公報
　〈特許請求の範囲〉
　(K9.1)「（１）テレビ受信機と、該テレビ受信機で受信した特定チャンネルの放送内容を所定時間記録可能な外部メモリとからなり、該外部メモリに上記放送内容をインデックスを付加して更新記録させるようにしたことを特徴とするテレビ放送記録装置。
（２）上記インデックスが、日付・時刻データであることを特徴とする特許請求の範囲第１項記載のテレビ放送記録装置。
（３）上記インデックスが、当該番組の内容を示すタイトルであることを特徴とする特許請求の範囲第１項記載のテレビ放送記録装置。」（特許請求の範囲）（１頁左下欄４行〜同頁左下欄１５行）
　
　〈発明が解決しようとする課題・課題を解決するための手段〉
　(K9.2)「・・・（前略）
　本発明の目的は、番組検索を極めて簡単にしたテレビ放送記録装置を提供することである。
〔課題を解決するための手段〕
　このために本発明は、テレビ受信機と、該テレビ受信機で受信した特定チャンネルの放送内容を所定時間記録可能な外部メモリとからなり、該外部メモリに上記放送内容をインデックスを付加して更新記録させるようにした。」（１頁右下欄１０行〜同頁右下欄１７行）
　
　〈実施例〉
　(K9.3)アイ「〔実施例〕
　以下、本発明の実施例について説明する。第１図はその一実施例のブロックを示す図である。１はテレビ受信機であり、アンテナ２から取り込んだテレビ放送の番組内容を再生する機能を持つ。
３は消去再記録可能でエンドレスに記録できる外部メモリである。この外部メモリとして、ＶＴＲ、垂直磁化ＶＴＲ、書き換え可能な光ディスクその他を利用できる。４は時計であり、外部メモリ３への記録画像データに日付・時刻データを付加するためのものである。５は日付・時刻設定部であり、検索部として働く。
　　・・・（中略）・・・
　再生する場合には、外部メモリ３を読み出しモードにセットした後に、例えば新聞等のテレビ番組欄等をみて日付・時刻設定部５から希望する番組が放送された日付・時刻のデータ（番組開始時点のデータ）を入力すると、当該日付・時刻のデータが検索コードとなって外部メモリ３に転送され、当該データに対応した部分から後の部分の読み出しが開始される。よって、これに基づいてテレビ受信機１で再生が行われる。
　・・・（中略）・・・
　また、上記では日付・時刻データを番組検索のインデックスとしたが、番組のタイトルがデータとして放送局から送られてくるような場合には、そのタイトルをインデックスとして記録しておき、再生時のそのタイトルを検索して希望の番組を再生させるようにすることできる。この場合には、新聞の番組欄等をみなくても、タイトルのみを集中再生させてメニュー方式により検索することができる。」（１頁左下欄１８行〜２頁左下欄９行）
　
（１０）
甲１０号証（特開平１−１６６６７８号公報
　(K10.1)ア「〔発明が解決しようとする問題点〕
　上記従来技術は、番組予約の簡易化の点について配慮がされておらず、非常に面倒なボタン操作が必要であった。
　本発明の目的は番組予約に必要な、現在の時刻、設定の自動化と予約番組の非常に簡単な設定を可能とするＶＴＲの番組予約装置を提供する事にある。
〔問題点を解決するための手段〕
　上記目的は、送信されるテレビ信号にタイマ予約に必要な情報を多重する事と、受身器側のＶＴＲにおいて、多重された情報によりタイマを設定する事で達成される。
　多重される信号は、以下の３種類である。
（１）　現在の時刻を示すコード
（２）　テレビ番組の一覧表（文字）
（３）　テレビ番組の一覧表に対応するコード
　　　　（開始時間・終了時間・番組名のコード）
　多重された信号はＶＴＲ内でコードと文字を復調される。そして、タイマの現在の時刻の自動設定を行い、さらにテレビ番組の一覧表をライトペンで指示するだけで、番組予約を可能にする番組予約装置により達成される。」（２頁左上欄１６行〜同頁右上欄１７行）
　
　(K10.2)イ「放送局からの電波はチューナ１、映像信号復調器２により映像信号に復調されるが、映像信号には現在の時刻、番組の一覧表とそのコードを示す特定の符号が多重されている。
　この符号の多重は、たとえば垂直帰線消去期間内の１水平走査期間を利用する」（第２頁右下欄１８行〜第３頁左上欄３行）
　
　(K10.3)ウ「番組の一覧表である文字情報を受信した場合には、重畳されている文字信号の水平走査期間毎にメモリ１３に記憶する。そして、１フィールド分の情報が蓄えられた時に、スイッチ回路１４が働らき、記録信号処理回路３，スイッチ回路５、ビデオヘッド６を介して１フィールド分の文字情報がビデオテープ上に記録される。文字情報に対応する番組名のコードや番組の開始時間・終了時間の符号の場合も、同様に１フィールド単位でテープに記録される。」（第３頁左上欄１３行〜右上欄２行）
　
　(K10.4)エ「第４図は別の一実施例を示すものである。第１図の実施例と異なる点は、フィールド単位で収集した文字情報とコード情報をビデオテープに記録するのではなく、大容量メモリ１９を使用していることである。
　テレビ番組の一覧表は、予約の必要量から数週間分にもおよぶ。したがって、メモリ１９は大容量となるざるを得ない。この方法では、テレビ番組の一覧表を記憶させるための磁気テープが必要でない。さらに半導体メモリを使用して、高速にランダムアクセスする事も可能である。」（第３頁右下欄３行〜１６行）
　
（１１）
甲１１号証（特開昭６３−１２４２９３号公報
　(K11.1)「〔発明が解決しようとする問題点〕
　ところで、このような見出しの記録位置は、一旦決まると変更することがない。通常、この見出しは磁気テープの巻き始めに記録される。一方、テープカセットが一度使用されると、磁気再生装置からイジェクトするときには、磁気テープは巻き始めまで巻き戻された状態にはなく、巻き取られた状態にあることが一般的である。このために、必要な記録番組を再生したい場合には、テープカセットを、磁気記録再生装置に装着後、一度巻き始めまで巻き戻してから見出しを再生し、この記録番組がこのテープカセットに記録されているか否かを知る必要があり、やはりテープカセットの記録内容を知るのに相当の時間が必要となる。
　本発明は、かかる問題点を解消し、テープカセットの記録内容を迅速に知ることができるようにしたヘリカルスキャン方式磁気記録再生装置を提供することにある。
〔問題点を解決するための手段〕
　上記目的を達成するために、本発明は、テープカセットの非使用時においては、該テープカセット内の磁気テープのキュートラックに該磁気テープ上の記録番組に対する見出しを表わすキュー信号が記録され、該テープカセットの磁気記録再生装置への装着に伴なって該キュー信号を再生してから消去し、再生された該キュー信号をメモリに記憶させるとともに見出しの画面表示を行ない、該テープカセットの使用完了に際しては、該メモリからキュー信号を読み出して該キュートラックに記録し、しかる後、該テープカセットをイジェクトする。
〔作用〕
　非使用時のテープカセットにおいては、磁気テープの供給リールと巻取リールとの間の部分あるいはその近くのキュートラック上にキュー信号が記録されている。このために、該テープカセットを磁気記録再生装置に装着したときには、磁気テープのわずかな走行でキュー信号を再生することができ、該テープカセットにどのよう番組がどの位置に記録されているかを該テープカセットの装着後即座に知ることができる。また、記録番組の書き換えや新たな番組の記録に際しては、メモリの記憶内容を修正することにより、常時見出しの内容と該テープカセット中の記録番組とを一対一に対応させることができる。」（２頁右上欄１０行〜同頁右下欄１４行）
　
　(K11.2)ア「磁気テープが走行開始した後、キューヘッド３７によってキュー信号が再生されると、このキュー信号は、記録再生アンプ５０で増幅されて復調器５１で復調された後、不揮発性メモリ５３に記憶される。キュー信号の再生が終了し、その全てが不揮発性メモリ５３に書き込まれると、不揮発性メモリ５３からキュー信号の読出しが開始される。このキュー信号はキャラクタジェネレータ５４で文字信号に変換され、モニタ５５に供給される。したがって、モニタ５５では、装着されたテープカセットに記録されている各記録番組の内容、記録開始位置（記録アドレス）、日付などを表わす見出しが表示される。」（５頁左下欄１０行〜右下欄２行）
　
　(K11.3)イ「キュー信号はディジタル信号で構成され、第６図（ａ）に示すように、先頭位置を示す同期用パルスと、記録番組内容を示すディジタルデータと、終端を示す終了信号とからなっている。また、このディジタルデータは、第６図（ｂ）に示すように、そのテープカセットにおける記録番組の記録順序を示す番号（Ｎｏ）、記録領域を示す先頭アドレスと終了アドレス、記録日時、放送局のチャンネルナンバー（ビデオカメラからなどの外部入力の場合には、その旨の表示）、記録番組の内容などを表わしている。ここで、記録番組の内容とは、それがスポーツ番組であるか、映画番組であるかなどを区別するものであり、夫々の内容に対するディジタルコードを予じめ定めておき、記録時に入力してやればよい。」（６頁左下欄１１行〜右下欄５行）
　
　(K11.4)ウ「記録番組のアドレスについては、磁気テープにアドレス専用トラックを設けてこれに予じめアドレス信号を記録しておき、記録再生時にこのアドレス信号を再生し、記録番組の記録位置、再生位置を判別すればよい。また、このアドレストラックは専用に設けず、たとえば、コントロールトラックを兼用し、これにアドレス信号をコントロールパルスと多重して記録するようにしてもよい。」（６頁右下欄７行〜同頁右下欄１５行）
　
　(K11.5)エ「キュー信号の利用方法としては、上記のように、メモリに記憶されたキュー信号のうちの番組内容に関するディジタルデータを読み出し、これをキャラクタジェネレータで文字信号に変換してモニタ上に見出しとして画面表示する。所望記録番組を再生したい場合には、そのナンバー（記録順序を示す番号）をテンキーなどの入力手段によって入力することにより、その記録番組の先頭アドレスまで磁気テープが送られ、そこから再生が開始されるようにすることができる。コントロールトラックにアドレス信号が多重記録されている場合には、第５図において、不揮発性メモリ５３に記憶された第６図（ｂ）の先頭アドレスとコントロールトラックから再生されたアドレス信号とがシステムコントロール回路５７で比較され、両者が一致するまで磁気テープを高速走行させればよい。
　また、上記のキュー信号によってモニタ上に見出しが表示されると、磁気テープ上の未記録個所、消去可能個所などが判定できるから、それらの個所での番組の記録を行なうことができる。アドレス信号を用いなくとも、たとえば、磁気テープを定速走行させるときのリール台の回転数などから、およそであるが、アドレスを検出することができる。」（６頁右下欄１６行〜７頁左上欄１９行）
　
　
【２】本件発明１，２の「テレビジョン番組リスト」の解釈
　
　本件発明１，２でいう「テレビジョン番組リスト」は、下記のように解釈される。
　　　　　記（「テレビジョン番組リスト」の解釈）　
　（テレビジョン番組表ではなく、テレビジョン番組表にリストされる
　　　項目としての番組を意味するもので）
　　『
個々の番組（コンテンツ）を指し示していう番組（項目）
　の意味に解される。　
　
　〈理由〉
　「リスト」とは、一般的には「一覧表」を意味するから、「テレビジョン番組リスト」とは、一般的には、個々のテレビジョン番組（コンテンツ）を示す項目が一覧表にリストされた「テレビジョン番組表」を意味するものと一応考えられるものの、
　そのように解釈（『番組表』と解釈）した場合の発明について、発明の詳細な説明には一切記載されていないし、また、そのように理解すると、本件発明１も２も、特許を受けようとする技術思想が不明となり、まとまりのある一つの技術的思想として全く把握できないものとなること、
　「テレビジョン番組リスト」なる記載自体、「テレビジョン番組表にリストされる番組項目」と解釈することが、上記一般的な意味である「テレビジョン番組表」からかけ離れた解釈でもなく当業者が困難なく理解し得る解釈であること、
　そのような解釈、すなわち、「テレビジョン番組表ではなく、テレビジョン番組表」にリストされる項目としての番組を意味するもので
個々の番組（コンテンツ）を指し示していう番組（項目）
　本件発明１も２も、「複数の『番組（項目）』が時間とチャンネルのグリッドガイド形式で表示された番組表からその１つを特定し、特定した１つの『番組（項目）』のチャンネルの単一チャンネルガイド形式の番組表表示に変更する技術思想」という、まとまりのある一つの技術的思想として当業者に良く把握でき理解できるものとなり、かつ、発明の詳細な説明には、そのような技術的思想について具体的に記載されており、そのような『番組（項目）』と解釈されることについての裏付けも発明の詳細な説明に記載されていること、
　以上のことは明らかであり（下記《詳細》参照）、したがって、本件発明１，２でいう「テレビジョン番組リスト」は、上記のように解釈される。
　
　《詳細（理由）》
　以下に、特許請求の範囲の記載、発明の詳細な説明に基づいて、上記理由の詳細について記す。
　
　ア　特許請求の範囲の記載
　ア-１『番組表』解釈
　「テレビジョン番組リスト」を「テレビジョン番組表」と解釈すると、
　・構成要件１Ｄ「時間とチャンネルのグリッドガイドをその目立たせたテレビジョン
番組リストのチャンネル
　　一般に「番組表」は複数のチャンネルの番組から構成されるのが普通であるから、「
目立たせた『番組表』のチャンネル
単一チャンネルガイド
　・構成要件１Ａ、１Ｂについてみれば、
　　そもそも、複数の『番組表』を表示することの技術的意味が理解できず、その技術的意味からみてもその特定事項が理解困難となる。
　・構成要件２Ａ「テレビジョン番組リストを複数のセル内に表示している時間とチャンネルのグリッドガイド形式で表示モニターに、RAMに記憶したテレビジョン番組リストを表示させる信号を発生し」についてみれば、
　　そもそも、時間とチャンネルのグリッドガイド形式における時間とチャンネルで区画される１つのセルは、同じ時間と同じチャンネルのものであるところ、そこに複数の異なる番組のタイトルが表のように並べられていて、同じ時間と同じチャンネルの複数の異なる番組が存在することになって理解不能となるし、
　　時間とチャンネルのグリッドガイド形式の各セル内に『番組表』を表示するようなことは、およそ技術常識からも考えられないことである。
　
　以上によれば、「テレビジョン番組リスト」を、『番組表』と解釈すると、本件発明１も２も、特許を受けようとする技術思想が不明となり、まとまりのある一つの技術的思想として全く把握できないものとなることは明らかである。
　
　ア-２　『番組（項目）』解釈
　「テレビジョン番組リスト」を上記のように『
個々の番組（コンテンツ）を指し示していう番組（項目
　請求項１、２記載の事項（１Ａ〜１Ｅ，２Ａ〜２Ｄ）から、
　　(1)「テレビジョン番組リスト」それぞれが、「タイトル、放送時間そしてチャンネル」を含んでいる（１Ａ）、
　　(2)「テレビジョン番組リスト」を表示する（１Ｃ，２Ａ）、
　　(3)表示された「テレビジョン番組リスト」（１Ｃ、２Ｂ）、
　　(4)「テレビジョン番組リスト」を目立たせる（１Ｃ，２Ｂ）、
　　(5)目立たせた「テレビジョン番組リスト」（１Ｄ，２Ｃ）、
　　(6)「テレビジョン番組リスト」のチャンネル（１Ｄ）、
　　(7)ＲＡＭに記憶した「テレビジョン番組リスト」を表示する（２Ａ）
　という記載により特定される事項が把握されなければならないところ、
　・上記(1)は、『番組（項目）』それぞれが、「タイトル、放送時間そしてチャンネル」を含んでいることを特定するものと自然かつ普通に把握し得（「テレビジョン番組リスト」が「テレビジョン番組表」ではなくて上記の『番組（項目）』と解釈することは、構成要件１Ａ「タイトル、放送時間そしてチャンネルをそれぞれが含んでいる複数のテレビジョン番組リスト」なる記載にまさに適合している。）、
　・上記(2)は、『番組（項目）』を表示すること、
　・上記(4)『番組（項目）』を目立たせること、
　・上記(6)は、『番組（項目）』のチャンネル、
　をそれぞれ特定するものと自然かつ普通に把握し得る。 
　・上記(3)、(5)は、表示された状態の『番組（項目）』、目立たせた状態の『番組（項目）』を特定するものと自然かつ普通に把握し得る。
　・上記(7)については、ＲＡＭに記憶した『番組（項目）』を表示する、とは、
そのデータが
　すなわち、ＲＡＭに記憶した『番組（項目）』とは、「そのデータが」を補って、「
そのデータが
　このことは、後記するように、発明の詳細な説明に「リストデータは、スケジュールメモリ２３２へ記憶される一方、」（段落0074）と記載されているように、記憶されるものについて「リスト
データ
　
　ア-３　以上によれば、「テレビジョン番組リスト」を『番組表』と解釈した場合のように技術思想が不明となることはなく、本件発明１も２の特定事項も自然かつ普通に理解し把握し得るものとなり、
　「複数の『番組（項目）』が時間とチャンネルのグリッドガイド形式で表示された番組表からその１つを特定し、特定した１つの『番組（項目）』のチャンネルの単一チャンネルガイド形式の番組表表示に変更する技術思想」という特許を受けようとする発明がまとまりのある一つの技術的思想として明確に把握できるものとなる。
　
　イ　発明の詳細な説明の記載
　イ-１　「テレビジョン番組リスト」 については、発明の詳細な説明中の段落0011〔発明の実施の形態〕以降において、「番組リスト」（段落0011、0031）や「ＴＶリスト」，「リスト」の語を用いて具体的に説明されている。
　また、本件発明１、２は、ともに、テレビジョン番組リストの表示を、時間とチャンネルのグリッド形式表示から単一チャンネル形式表示へ変更すること（本件発明１の構成要件１Ｄ，本件発明２の２Ｃ）をその
特徴
　この
特徴
　
　そこで、検討する。
　イ-１〈番組リスト〉
　上記段落0011（特に「
図１〜７を参照すると、
番組リストの幾つかは、長さのため、二つかそれ以上のコラム２８を重複して使用している。
　１つの「
番組リスト
使用している
　上記段落0017（特に「
一つの番組が記録のため選択されていると、そのリストセル２６が、４０で示されるように、アウトラインが強調されるか、赤でハイライトされる。
　このようなセルで示されている「
番組リスト
タイトルを選択する
　以上は明らかである。
　また、上記１つのセルを使用した「
番組リスト
　これらのことは、上記と同じ図１，２を用いて説明する段落0031〜0033の記載においても同様である。すなわち、時間とチャンネルの１つのグリッド２４（図１、図２）において、カーソル３２により選択される、１つのチャンネルの行と特定の時間の列で区画されるセルを用いた、個々の『「２チャンネル」行「１１：００ＡＭ」列に表示されている“判示（パート１）”』、『「２チャンネル」行「１１：３０ＡＭ」列に表示されている“判示（パート２）”』等の表示により、番組のタイトルとチャンネルと開始時間が特定でき、もって番組が特定されるのである。
　これらのことから、、「番組リスト」とは、「番組を選択するのに使用され、タイトル表示を伴う個々のセルであってアレー（番組配列表）の特定の位置（行位置，列位置）に表示される個々のセルを使用して示されるもの」であって「
個々の番組を指し示し特定するもの
　すなわち、発明の詳細な説明の〔実施の形態〕に記載されている「番組リスト」は、「個々の番組を特定するもの（番組の項目）」と普通に理解するのであり、この理解は、上記「記ａ」の解釈『「（テレビジョン番組表にリストされる項目としての番組を意味するもので）
個々の番組（コンテンツ）を指し示していう番組（項目）
　
  さらに、個々の番組を指し示していう番組（項目）と理解される「番組リスト」は、このように特定の位置の１つのセルを使用することから、
「タイトル」「チャンネル」「開始時間」（これらは「番組情報」、「番組データ」と理解される）
　また、「メモリに記憶されるもの」としての「テレビジョン番組リスト」についてみると、
　「リストデータは、スケジュールメモリ２３２へ記憶される一方、」（段落0074）、「ＴＶ内容確認要求に関して、スケジュールメモリ２３２に記憶されているリストが呼び出され、ＣＰＵ２２８で処理され、ビデオ表示発生器２２４へ出力される。・・・スケジュールデータがＴＶ／モニター２１０へ表示されると常にビデオ表示発生器２２４の出力を選択する。」（段落0076）、「番組のタイトル及びその記録パラメータ（チャンネル、開始時間及び長さ）は、スケジュールメモリ２３２から記録メモＲＡＭメモリ２３６へコピーされる。」（段落0077）によれば、
　これら「タイトル」「チャンネル」「開始時間」という番組データは、スケジュールメモリ２３２から呼び出され、ビデオ表示発生器２２４へ出力されて、「チャンネル」及び「開始時間」で決まるスクリーン上の位置に「タイトル」を伴う各番組リスト毎のセルとして表示されると理解される。すなわち、
スケジュールメモリ２３２には、番組リスト（番組項目）それぞれの番組データである「タイトル」「チャンネル」「開始時間」が取り出せるように記憶されていて
　したがって、〔発明の実施の形態〕の記載には、『
番組リスト（番組項目）それぞれに対応してタイトル、チャンネル、開始時間（番組データ）が存在すること
タイトル、チャンネル、開始時間
スケジ
　また、段落0074〜0077等から、本件発明２の構成要件２Ａ「テレビジョン番組リストを複数のセル内に表示している時間とチャンネルのグリッドガイド形式で表示モニターに、RAMに記憶したテレビジョン番組リストを表示させる信号を発生し、」も、〔発明の実施の形態〕に記載されていていると言うことができる。
　そうすると、上述のように理解される、〔発明の実施の形態〕に記載されにおける「番組リスト」は、請求項１、２の記載からも解釈される「テレビジョン番組リスト」であるところの上記『番組（項目）』解釈に対応しかつ合致するものであり、参照した段落等は、「テレビジョン番組リスト」がそのように解釈されることの説明・裏付けの部分と言うことができる。
　
　イ-２〈グリッド表示→単一チャンネル表示〉
　そして、上記『番組（項目）』との解釈を前提とする本件発明１，２の上記
特徴
　そこには、ＴＶ内容確認コマンドにより
１つの
１つの
　
　イ-３　これらによれば、発明の詳細な説明には、「テレビジョン番組リスト」を、上記のように『
個々の番組（コンテンツ）を指し示していう番組（項目）
　具体的に記載されており、そのような『番組（項目）』と解釈されることについての裏付けも発明の詳細な説明に記載されている。
　
　イ-４　これに対して、発明の詳細な説明には、「テレビジョン番組リスト」を、「テレビジョン番組表」と解釈した場合の本件発明１，２の少なくとも、構成要件１Ａ、１Ｂ、１Ｃ、２Ａ、２Ｂについて、これらを具体的に説明する記載は一切なく、また、「テレビジョン番組表」と解釈した場合の本件発明１，２を伺わせる記載も一切ない。
　
　イ-５　以上によれば、発明の詳細な説明からみても、「テレビジョン番組リスト」は、『個々の番組（コンテンツ）を指し示していう番組（項目）』と解釈される。
　
【３】本件各発明毎の検討
　
　以上のことを踏まえた上、以下、本件各発明の新規性・進歩性を検討する。
　
　本件発明１、２は、共に、概要、テレビジョン番組リストを表示する形式の遷移に関する発明であり、これらについての請求人の主張する無効理由は、甲１号証を主引例とする進歩性欠如である。
　したがって、以下の本件発明１、２についての検討において、本件発明１、２は、ともに、甲１号証記載の発明（以下、「甲１発明」ともいう。）と対比して検討する。
　
［１］本件発明１について（甲１〜甲４から容易）
　
　本件発明１（請求項１）は、前記のとおり以下のように分説される。
　
１Ａ　　タイトル、放送時間そしてチャンネルをそれぞれが含んでいる複数　　　　のテレビジョン番組リスト、
１Ｂ　　このテレビジョン番組リストの中の幾つかを表示する時間とチャン　　　　ネルのグリッドガイド、
１Ｃ　　このグリッドガイドに表示されたテレビジョン番組リストの一つを　　　　選択して目立たさせる可動カーソル、そして
１Ｄ　　時間とチャンネルのグリッドガイドをその目立たせたテレビジョン　　　　番組リストのチャンネルの単一チャンネルガイドに変える手段を備　　　　えている　
１Ｅ　　ことを特徴とする電子番組ガイド。
　
　（０）本件発明１の技術的意義
　
　本件発明１の特徴は、特にその要件１Ｄで特定されており、実質上、
　「時間とチャンネルのグリッドガイド」（テレビジョン番組リストの中の幾つかを表示する）に表示されたテレビジョン番組リストの一つを選択して目立たさせ、
　時間とチャンネルのグリッドガイドををその目立たせたテレビジョン番組リストのチャンネルの単一チャンネルガイドに変えること
　にあることは明らかであり、
　これは、
　(i)「時間とチャンネルのグリッドガイド」（テレビジョン番組リストの中の幾つかを表示する）を表示することとは別に、「単一チャンネルガイド」を表示すること、と、
　これを前提に、
　(ii)その「単一チャンネルガイド」の表示を、
　「時間とチャンネルのグリッドガイド」に表示されたテレビジョン番組リストの一つを選択して目立たさせておき、
　「時間とチャンネルのグリッドガイド」を、「時間とチャンネルのグリッドガイド」表示で目立たせたテレビジョン番組リストのチャンネルの「単一チャンネルガイド」の表示に変えること
　をいうものであり、
　
　その技術的意義は、発明の詳細な説明及び図面の記載に照らせば、
　テレビジョン表示部にグリッド形式の番組表を表示する場合、そのサイズ及び解像度がグリッドに表示されるテキストの量を制限するので、多数のチャンネルの利用が可能である場合においても、
テレビジョン表示部の制限の範囲内にて、テレビジョン番組リストをより見易い形で表示する方法を提供すること
　上記(i)とする技術的意義は、
　・
最大の情報を伝えるために、ユーザーにとって最も都合のよいように情報の表示を編成する
　上記(ii)とする技術的意義は、
　・その「単一チャンネルガイド」の表示に変える仕方を、
ユーザーに容易に理解されるやり方でする
　
　一般に、テレビジョン表示部に番組表を表示する際、当該表示部の大きさ・解像度の制約から、全てのチャンネル・時間帯の番組を同時に表示できず（構成要件１Ｂでも「幾つかを表示する」としている）、カーソル等の操作で画面をスクロールして、表示されていないチャンネルや時間帯の番組を見るようにされていることは常であるから、
　上記の技術的意義は、表示する番組表を、１つのチャンネルに絞れば、他のチャンネルを表示しない分だけ、当該１つのチャンネルの番組の表示に利用できるスペースが増加して表示できる番組の時間帯等も多くなること（このことは、後記する甲１号証にも記載されている。）をいうものと普通に理解されるところ、
　本件発明について、発明の詳細な説明及び図面の記載を参照すれば、
　上記(i)については、
　−図１等に示される「時間とチャンネルのグリッドガイド」と図７に示される「単一チャンネルガイド」を比較すれば明らかなように、「時間とチャンネルのグリッドガイド」（図１）では、同一チャンネルについては３つの時間帯（１．５時間分、11:00〜12:30）番組リストしか見ることができないことを、「単一チャンネルガイド」（図７）では（表示を１チャンネルに絞って）１３の時間帯（１６．５時間分、11:00〜7:30）の番組リストを見ることができるようにすることで、上記の技術的意義を達成するものと理解される。
　したがって、「単一チャンネルガイド」は、構成要件としては明記されていない｛「単一チャンネルガイド」と称することから、全てのチャンネル・時間帯の番組リスト（その中の幾つかは「時間とチャンネルのグリッドガイド」に表示されている）から単一のチャンネルの番組リストだけを集めたガイドをいうものであることは明らかではある。｝が、
　「
時間とチャンネルのグリッドガイド」より多くの時間帯が表示できる（したがって、「時間とチャンネルのグリッドガイド」の表示では表示されていない時間帯の「番組リスト」が表示できる）という意義を有するガイドであって、このことを前提に、構成要件１Ｄという構成としていると理解される
　
　上記(ii)については、
　−「時間とチャンネルのグリッドガイド」（図１）において、カーソルで番組リストを選択し、「ＴＶ内容確認」キー操作をすることで、「時間とチャンネルのグリッドガイド」の表示から、カーソルで選択したチャンネルの「単一チャンネルガイド」（図７）の表示へと変えることで、上記の技術的意義を達成するものと理解される。
　
　つまり、
　「時間とチャンネルのグリッドガイド」（図１）では表示されていない時間帯、例えば、２チャンネルの５：００あたりの番組リストを見たいと欲するときには、
　表示されている「時間とチャンネルのグリッドガイド」において、カーソルを、今見えている時間帯の番組リストであって、見たいと欲する２チャンネルの行の任意の「番組リスト」（例えば、「判示（パート２）」）まで移動させてこれを目立たせておき、
　（「ＴＶ内容確認」キー操作で）「判示（パート２）」のチャンネルである２チャンネルの「単一チャンネルガイド」（図７）の表示（
ユーザーにとって都合のよい情報の表示編成
ユーザーに容易に理解されるやり方
　ユーザーにとって最も都合のよい情報の表示が、ユーザーに容易に理解されるやり方でなされるという上記技術的意義が達成されるものである。
　さらに、「単一の
時間帯の
チャンネル
　番組表における単一の（チャンネル又は時間帯の）ガイドでは、単一の
チャンネルの
　　
　《根拠記載》
　根拠となる発明の詳細な説明の記載を以下に示す。
　
【０００６】「ＶＣＲの制御及びテレビジョンスケジュールシステムに関する技術は、開発し尽くされた技術である一方
、改良したユーザーインタフェースを組み込んだテレビジョンスケジュールシステム及び方法に対する必要性は、いぜんとして存在する。
このアレーがセルからセルに移動するカーソルで誘導されると、単一のカーソルコマンドが急激なスクリーン変化をもたらす。例えば、カーソル右のコマンドは、現在のページから数時間離れているセルへの急なジャンプを引き起こす。
【０００７】
「印刷されたグリッドテレビジョンスケジュールガイドは、よく番組のタイトル及び放送局名以外の付属情報を含む。そのようなグリッドはまた一般に、各番組の紹介、その番組が再放送かどうか、映画の人気及びその他の情報を含むより詳細な印刷スケジュールと組み合わせて提供される。
テレビジョンセットをスケジュールシステムの表示部として利用する場合、テレビジョン表示部のサイズ及び解像度がグリッドに表示されるテキストの量を制限する。テレビジョン表示部の制限の範囲内にてユーザーに容易に理解されるやり方で最大の情報を伝えるためには、改良した技術が要求される。視聴のための多数のチャンネルの利用が可能である場合、ユーザーにとって最も都合のよいように情報の表示を編成する必要がある。
【０００８】
〔発明が解決しようとする課題〕本発明の目的は、テレビジョン番組リストをより見易い形で表示する方法を提供することにある。本発明の他の目的は、より分かりやすい仕方で視聴又は記録するための番組を選択する方法を提供することにある。
【００３１】
図７は、グリッド２４とリスト５８との間でスイッチ選択するためのテープ内容確認コマンドをユーザーにさせることで発生する、単一チャンネルの番組リスト５８のスクリーン２２を示す。
リスト５８は、そのチャンネルの一連の番組リストの行６０とチャンネル情報フィールド６２を含む。
【００３２】
「
ＴＶ内容確認コマンドは、グリッドガイド２４と次のチャンネル確認行ガイド５８との間で交互に選択される。グリッドガイド２４を見ている間は、次のＴＶ内容確認コマンドは、グリッド２４を単一チャンネル行ガイド５８で置き換える。
【００３３】
「二つのガイド２４と５８との間のページ関係は、緊密に組み合わされている。単一のチャンネルガイドは、グリッド２４上のカーソル３２により選択されたチャンネルとスケジュール時間とに対して開かれる。単一チャンネルガイド５８を見ている間は、アップ／ダウンチャンネルコマンドは、リストアップされているチャンネルを変更するために使用される。単一のチャンネルガイド５８が存在し、グリッドガイド２４に返るとき、グリッドカーソル３２は、単一チャンネルガイド５８で選択されたチャンネルとスケジュール時間とを指し示すようになっている。」
　
　
　（１）本件発明１と甲１発明との対比（対応関係）
　
　ア　〔甲１発明〕
　甲１号証（前記【１】（１））には、実施例として「本発明をテレビ放送の録画予約の処理に適用したもの」が記載されており、これを本件発明１と対比する発明（甲１発明）とする。
　甲１発明は、以下の通りのものである。
　
　（ア）目的・概要
　前掲(K1.1)(K1.2)(K1.3)(K1.10)(K1.11)、特に、(K1.2)の「本発明の実施例は、本発明をテレビ放送の録画予約の処理に適用したものとして説明する。」，(K1.3)の「本発明が適用されたＶＴＲにおけるテレビ放送の録画予約の処理システムは、・・・」によれば、
　甲１発明は、キーボードから開始時刻と終了時刻を入力することにより行うＶＴＲにおける録画予約の処理を行う技術を従来技術とし、その入力作業が面倒であり間違えやすいという問題点を解決しようとするもので｛(K1.1)｝、
　概要、提供されるテレビ放送番組のスケジュールを画面上に表示しながら、表示画面上で所望する番組を選択するのみで、番組の録画予約を行うことができ、簡単な操作で、確実な録画予約を行うことができるようにしたＶＴＲにおけるテレビ放送の録画予約の処理システムとするもので｛(K1.2)(K1.3)(K1.10)｝、
　ＶＴＲ制御部３、予約制御部４、操作パネル５、ＦＤ装置６を有するＶＴＲ装置２と、デイスプレイ装置１とにより構成される｛(K1.3)｝。
　
　（イ）装置構成
　(K1.3)(K1.4)(K1.5)によれば、装置は、以下のとおりの、ＶＴＲ制御部３、予約制御部４、操作パネル５、ＦＤ装置６を有するＶＴＲ装置２と、デイスプレイ装置１とから構成される。
　（ａ）ＦＤ装置６、ＦＤ
　ＦＤには、番組を提供している全てのチャンネルについて、予め提供される１週間分の放送スケジュール放送スケジュールの内容を示すデータが、第２図の論理フォーマットで記録されている。
　その論理フォーマットは、まず、チャンネルフィールド９−１により１ＣＨの番組であることが示された後、このフィールドに引続いて、時間フィールド１０−１と番組フィールド１１−１との対のフィールドが、１日分の番組の数だけ設けられ、 次に、第２チヤンネルの１日分のスケジュールが、チャンネルフィールド９−２に引続き、時間フィールド１０−２と番組フィールド１１−２との組が１日分の番組の数だけ設けられる構成とされ、時間フィールド１０−１，１０−２には、対応する番組フィールド１１−１，１１−２で示される番組の開始及び終了時刻が記録されており、番組フィールド１１−１，１１−２には、一般的には番組名称と、必要に応じてその番組の概要が記録されている(K1.5)。
　（ｂ）デイスプレイ装置１
　デイスプレイ装置１は、テレビ信号ケーブル７とＲＧＢ信号ケーブル７′とによりＶＴＲ装置２と接続されており、ＶＴＲ装置２における画像再生時に、ＶＴＲ制御部３から出力される画像信号は、テレビ信号ケーブル７を通ってデイスプレイ装置１に送られて表示される(K1.3)。
　（ｃ）操作パネル５
　操作パネル５は、カーソル移動キー１６、モード切換スイッチ１７、設定スイッチ１８及びテンキー１９等を備えて構成されている(K1.3)。
　（ｄ）予約制御部４
　予約制御部４は、１週間分のテレビ放送のスケジュールが記録されたＦＤの内容をＦＤ装置６から読出して、その内容をＲＧＢ信号ケーブル７′を介してデイスプレイ装置１に表示する。操作者が、この表示を目視しながら操作パネル５の操作により録画したい番組を選択すると、予約制御部４は、その番組の録画開始、終了の夫々の日時と、そのチャンネル情報をＶＴＲ制御部３に登録する(K1.4)。
　（ｅ）ＶＴＲ制御部３
　ＶＴＲ制御部３は、ＶＴＲの基本機能である録画、再生機能、１週間分の番組の録画予約機能を含んでおり、録画開始、終了の日時と、そのチャンネル情報とは、予約制御部４からセットされる。
　
　（ウ）動作
　(K1.4)(K1.6)(K1.7)(K1.5)(K1.8)，，第３図によれば、以下のように、録画予約動作がされる。　
　（ｆ）デイスプレイ装置１に表示
　モード切換スイッチ１７を操作することにより、システムを予約モードとし、テンキー１９より「０９２０」と日付の入力を行う。これにより、デイスプレイ装置１には、９月２０日の番組表が表示される。この表示を目視しながらカーソル移動キー１６を操作し、カーソルをデイスプレイ装置１上の画面の最上端あるいは最下端に移動させると、時間スクロールが行われ、画面上には、異なる時間帯の番組が次々と表示され、また、カーソルを最左端あるいは最右端に移動させると、チャンネルスクロールが行われ、画面上には、他チャンネルの番組が表示される(K1.6)。
　１週間分のテレビ放送のスケジュールが記録されたＦＤの内容をＦＤ装置６から読出して、その内容をＲＧＢ信号ケーブル７′を介してデイスプレイ装置１に表示する(K1.4)。
　第３図に示されるように、ＦＤ内の
　日付フィールド８の情報「0920」、曜日フィールド８′の情報「日」は、日付エリア１２に表示され、
　チャンネルフィールド９−１の情報「1CH」（チャンネル），９−２の情報「2CH」は、チャンネルエリア１３−１，１３−２にそれぞれ表示され、
　時間フィールド１０−１の情報「19:00-20:00」（番組の開始及び終了時刻），１０−２「20:00-21:00」，・・・計４時間分が、時間エリアの対応位置にそれぞれ表示され、
　番組フィールド１１−１「ニュースＡ」（番組名称「ニュースＡ」を含む），１１−１の情報「ドラマＡ」，・・・は、番組エリア１５中のそれぞれのチャンネル、開始及び終了時刻に対応する位置にそれぞれ表示される｛(K1.6)，第３図｝。
　すなわち、デイスプレイ装置１に表示される番組表は、
　
チャンネルエリア
　
時間エリア
　これら『列をガイドする項目（横軸）欄』（チャンネルエリア）と『行をガイドする項目（縦軸）欄』（時間エリア）に囲まれた領域である
番組エリア
番組エリア
　ニュースＡ、ドラマＡ、ドラマＢ、ニュースＢ、・・等の２チャンネル分の各番組が、
番組エリア
　例えば、「ニュースＡ」という番組は、番組エリア内の、ニュースＡという番組のチャンネルである「１ＣＨ」の列とその時間帯である「１９：００〜２０：００」の行に位置する区画（セル）に「ニュースＡ」という番組名称が表示される。
　そして１画面に表示するチャンネルの数は、２つでもさらに多くてもよいし、例えば、１個のチャンネルのみとして、表示できる時間帯を多くしてもよい。（(K1.8)，第３図）。
　すなわち、デイスプレイ装置１には、一日分（９月２０日(日）の番組表が、１画面に複数チャンネル分（例えば、２チャンネル・４時間分、第３図）が表示され、画面に表示されていないチャンネル・時間帯はスクロールすることにより表示できるようにされているが、１画面に表示するチャンネルの数は、１個のチャンネルのみとして表示できる時間帯を多くしてもよいし、２個より多くしてもよい。
　（ｇ）番組選択操作
　操作者は、この表示画面の中に所望する番組を見付け出すと、カーソル移動キー１６を操作して、カーソルを所望の番組に移動させる。カーソルは、その番組を表示しているエリア全体の色を変える等により、その番組を選択していることを示すものであり（第３図では、カーソルは斜線で表わされている）を所望の番組に移動させ、例えば、ニュースＡが選択された状態で、設定スイッチ１８を操作すると、予約制御部４は、ニュースＡを録画するために必要な、ＦＤ内の日付フィールド８、曜日フィールド８′、チャンネルフィールド９−１、時間フィールド１０−１の情報をＶＴＲ制御部３内にセットし、ニュースＡの録画予約が完了する。次に、カーソル移動キー１６を操作してカーソルを第３図の映画Ａに移動し、設定スイッチ１８を操作すれば、前述と同様にして映画Ａの録画予約が完了する(K1.7)。
　（ｈ）番組記録
　上記（ｇ）の録画予約完了後、ＶＴＲ制御部３内にセットされた、番組を録画するために必要な、ＦＤ内の日付フィールド８、曜日フィールド８′、チャンネルフィールド９−１、時間フィールド１０−１の情報に基づいて、番組の記録が実行され、ビデオテープに番組が記録されることも明らかである。
　
　（エ）これらにより、提供されるテレビ放送番組のスケジュールを画面上に表示しながら、表示画面上で所望する番組を選択するのみで、番組の録画予約を行うことができる。
　
　イ　本件発明１と甲１発明との対応関係
　
　（
ア
　
　（
イ）構成要件１Ｂ
　
　（イ１）構成要件１Ｂは、『個々の番組（コンテンツ）を指し示していう番組（項目）』と解される「テレビジョン番組リスト」（上記【２】）の幾つかを表示する時間とチャンネルのグリッドガイドを特定する。
　そして、『
「テレビジョン番組リスト」を表示する「時間とチャンネルのグリッドガイド」
　『時間のコラム２８と、
　チャンネルのコラムと、
　これら時間のコラム２８とチャンネルのコラムとに囲まれ、各時間の列と各チャンネルの行で区画された各セルからなる領域と、
　からなるグリッド形式のガイドの表示であって、
　「
テレビジョン番組リスト」
を、それぞれの時間・チャンネルに該当する時間列・チャンネル行のセルに表示したもの
　を指すものと理解される。
　「中の幾つか」とは全てではなく、「その一部」をいうものと解される。　
　（イ２）
甲１発明の、ディスプレイ１に表示された第３図の番組表
　甲１発明の第３図の番組表は、システムを予約モードとし、テンキー１９より「０９２０」と日付の入力を行うことによりデイスプレイ装置１に表示されるもので、
　
１画面に複数チャンネル分表示する１日分の番組表（例えば、２チャンネル・４時間分）であり、表示されていないチャンネル、時間帯はスクロールにより表示するもの
甲１番組表（表示）、第３図
　であるところ｛（ｆ）、(K1.6)｝、
　
チャンネルエリア
　
時間エリア
　これら『列をガイドする項目（横軸）欄』（チャンネルエリア）と『行をガイドする項目（縦軸）欄』（時間エリア）に囲まれた領域である
番組エリア
番組エリア
　からなり、
　ニュースＡ、ドラマＡ、ドラマＢ、ニュースＢ、・・等の２チャンネル分の各“番組”を、
番組エリア
　デイスプレイ装置１に表示されたこの“番組表”の、
　・「
チャンネルエリア
チャンネルのコラム
　・「
時間エリア
時間のコラム
　・
番組エリア
　それぞれ相当すると言え、
　その「中の幾つかを表示」していることは明らかであり(K1.6)、
　したがって、甲１発明のデイスプレイ装置１に表示された『甲１番組表（表示）、第３図』も、「このテレビジョン番組リストの中の幾つかを表示する時間とチャンネルのグリッドガイド」といえる。すなわち、甲１発明も、上記要件１Ｂに相当する構成を備えている。
　
　（
ウ）構成要件１Ａ
　
　（ウ１）「テレビジョン番組リスト」が前記のとおりに解されるから、構成要件１Ａは、『個々の番組（コンテンツ）を指し示していう番組（項目）』は、それぞれ、「タイトル、放送時間そしてチャンネルを含んでいる」ものであって、これが複数あることを特定している。
　これについて、発明の詳細な説明を検討するに、段落0011以降の〔発明の実施の形態〕には、「テレビジョン番組リスト」が「タイトル、放送時間そしてチャンネルをそれぞれが含んでいる」ことについての
直接的記載
番組リスト（番組項目）毎に、これに対応してタイトル、チャンネル、開始時間（番組データ）が存在する
　もっとも、〔発明の実施の形態〕をみても、そこには、メモリにおける記憶の仕方、すなわち、メモリにおけるそれら３つの番組データの具体的な存在の態様についての記載はない。
　そうすると、構成要件１Ａの「タイトル、放送時間そしてチャンネルをそれぞれが含んでいる複数のテレビジョン番組リスト、」とは、その文言からすれば、それら「タイトル」「放送時間」「チャンネル」（のデータ）が、ひとかたまりのセットでまとまって存在する態様のものももちろん含むものの、それらがそのようにひとかたまりのセットでまとまって存在する態様でなくても、
　(i)「テレビジョン番組リスト（＝番組項目）」（の
データ
　(ii)これら３つ（のデータ）が「テレビジョン番組リスト（＝番組項目）」に対応して取り出せるように存在していること
　(iii)そのような「テレビジョン番組リスト（＝番組項目）」が複数あること
　を満たせばよい要件といえ、
　これら３つ（のデータ）がひとかたまりのセットでまとまって存在する態様であることまでの規定をしていないものと言うべきである。
　
　（ウ２）そこで、甲１発明をみると、甲１発明は、ＦＤに、「チャンネル」については複数の番組（番組項目）の共通のデータとして、個々の番組（番組項目）毎のデータである「番組名称とその番組の概要（必要に応じて）」と「時間（開始時刻及び終了時刻）」の前に配置する論理構造であって、「タイトル」「放送時間」「チャンネル」がひとかたまりのセットでまとまって記憶する態様ではないものの、
　(i)番組（番組項目）のデータとして、番組名称，時間（開始時刻及び終了時刻），チャンネルの３つのデータが存在すること、
　(ii)これら３つのデータは、各番組（番組項目）に対応して取り出せるようにＦＤに記憶（存在）しており、
　(iiii)そのような番組（番組項目）が複数ある、
　といい得るものである｛上記（イ）｝。
　すなわち、甲１発明も、本件発明１でいう「タイトル、放送時間そしてチャンネルをそれぞれが含んでいる複数のテレビジョン番組リスト、」を備えているといえ、構成要件１Ａに相当する構成を備えている、と言うことができる。
　
　（
エ）構成要件１Ｃ、１Ｄ
　
　（
エ１）構成要件１Ｃ
　
　構成要件１Ｃは、
　(i)選択して目立たさせる可動カーソルであること、
　(ii)可動カーソルにより選択して目立たさせられたものが、「このグリッドガイドに表示されたテレビジョン番組リストの一つ」であること
　を特定しているところ、
　上記(ii)の「このグリッドガイドに表示されたテレビジョン番組リストの一つ」とは、上記（イ１）での検討から、『時間とチャンネルのグリッドガイドに、その（各々の）
時間・チャンネルに該当する時間列・チャンネル行のセルに表示されたテレビジョン番組リスト
　
　甲１発明の上記『
甲１番組表（表示）、第３図
に表示された（各々の）“番組”
番組”の一つ
“番組”の一つ
番組表
番組”の一つ
可動カーソル
　甲１発明においても、その目立たさせられた“
番組”の一つ
　時間とチャンネルのグリッドガイドに、その（各々の）
時間帯とチャンネルに該当する時間列・チャンネル行に位置する区画（セル）に表示された“番組”の一つ
　したがって、甲１発明も、本件発明１でいう「このグリッドガイドに表示されたテレビジョン番組リストの一つを選択して目立たさせる可動カーソル、」を備えているといえ、構成要件１Ｃに相当する構成を備えている、と言うことができる。
　
　（
エ２）構成要件１Ｄ
　
　構成要件１Ｄの、
　・「単一チャンネルガイド」は、「時間とチャンネルのグリッドガイド」（番組表）から変更されるものであって、これと同様「ガイド」としていることからみて、また、発明の詳細な説明（段落0031〜0033，図１，図７）に照らしても明らかなように、「単一のチャンネルのテレビジョン番組リストだけを配列したガイド」を意味するものと解され、
　・「その目立たせたテレビジョン番組リスト」とは、「時間とチャンネルのグリッドガイドで目立たせた一つのテレビジョン番組リスト」であることは明らかである（構成要件１Ｂ，１Ｃ）から、
　構成要件１Ｄは、
　「時間とチャンネルのグリッドガイドを、
時間とチャンネルのグリッドガイドで
単一のチャンネルのテレビジョン番組リストだけを配列したガイド
　
　内容的にみれば、
　ガイドの表示を単一チャンネルガイドに変える要件（特定事項）と、単一チャンネルガイドのチャンネル指定についての要件（特定事項）とからなるもの｛以下での検討の便宜上、それぞれ、［Ｄa：直接遷移］、［Ｄｂ：番組リストによるＣＨ指定］と略していうこととする。｝で以下のとおりである。　
　(a)要件［
Ｄａ：直接遷移
　時間とチャンネルのグリッドガイドを単一チャンネルガイドに変えること、
　すなわち、時間とチャンネルのグリッドガイドの表示を単一チャンネルガイドの表示に変更すること（直接遷移させること）、
　
　(b)要件［
Ｄｂ：番組リストによるＣＨ指定
　時間とチャンネルのグリッドガイドを単一チャンネルガイドに変えるときの単一チャンネルガイドを、時間とチャンネルのグリッドガイドで目立たせた一つのテレビジョン番組リストのチャンネルの単一チャンネルガイドとすること、
　すなわち、表示変更後（遷移後）の単一チャンネルガイドのチャンネルが、時間とチャンネルのグリッドガイドで目立たせた一つのテレビジョン番組リストのチャンネルとすること
　
　これら要件について詳しくみれば、
　要件［
Ｄａ：直接遷移
　「時間とチャンネルのグリッドガイド」によるテレビジョン番組リストを表示（グリッドガイドによる番組表表示）することとは別に、これとは異なる、単一のチャンネルのテレビジョン番組リストだけを配列した「単一チャンネルガイド」によるテレビジョン番組リストを表示（単一チャンネルガイドによる番組表表示）することを前提に、
　「時間とチャンネルのグリッドガイド」の表示から「単一チャンネルガイド」の表示に変更（直接遷移）すること、
　をいうものである。
　
　要件［
Ｄｂ：番組リストによるＣＨ指定
　表示の変更（直接遷移）は、変更後の「単一チャンネルガイド」のチャンネルが、変更前の「時間とチャンネルのグリッドガイド」において目立たせた一つの「テレビジョン番組リスト」のチャンネルとなるように行うこと、
　つまり、実質的には、
　　
変更後の「単一チャンネルガイド」のチャンネル指定を、変更前の「時間とチャンネルのグリッドガイド」において一つの「テレビジョン番組リスト」を目立たせることにより行
　「単一チャンネルガイド」のチャンネルをその目立たせた「テレビジョン番組リスト」のチャンネルとすること
　を特定するものと認められる。
　
　〈甲１発明との対比〉
　そこで、甲１発明をみると、甲１発明には、上記［
Ｄａ：直接遷移］、［Ｄｂ：番組リストによるＣＨ指定
　
　甲１号証には、「１画面に表示するチャンネルの数は、２つでもさらに多くてもよいし、例えば、１個のチャンネルのみとして、表示できる時間帯を多くしてもよい。」(K1.8)との記載があり、
　当該記載でいう「１個のチャンネルのみとし」た番組表とは、１画面に表示するチャンネルの数が１つのみとした番組表表示であって、上記『
甲１番組表（表示）、第３図
甲１番組表（表示）、第３図
　すなわち、「
１画面に表示するチャンネルの数が１つのみとした番組表表示であって、上記『甲１番組表（表示）、第３図』より多くの時間帯を表示できるもので、画面に表示されない他のチャンネル・時間帯はスクロールにより表示するもの
甲１示唆１画面１チャンネル表示
　この『
甲１示唆１画面１チャンネル表示
　・
１画面に表示されたものについてみれば、
　・１画面に複数チャンネル分表示する『
甲１番組表（表示）、第３図
　番組表の表示形態を１画面に複数チャンネル分表示する『
甲１番組表（表示）、第３図
甲１示唆１画面１チャンネル表示
　したがって、甲１発明は、上記［
Ｄａ：直接遷移
Ｄｂ：番組リストによるＣＨ指定
　
　（
オ）構成要件１Ｅ
　甲１発明も「電子番組ガイド」のシステムと言えることは明らかである。　したがって、甲１発明も構成要件１Ｅを備えているといえ、この点においては、本件発明１と相違しない。
　
　（２）一致点、相違点
　以上の対比結果によれば、本件発明１と甲１発明との一致点、相違点は次のとおりということができる。
　
　［本件発明１との一致点］
　１Ａ　タイトル、放送時間そしてチャンネルをそれぞれが含んでいる複数　　　　のテレビジョン番組リスト、
　１Ｂ　このテレビジョン番組リストの中の幾つかを表示する時間とチャン　　　　ネルのグリッドガイド、
　１Ｃ　このグリッドガイドに表示されたテレビジョン番組リストの一つを　　　　選択して目立たさせる可動カーソル、
　　　　を備えている
　１Ｅ　ことを特徴とする電子番組ガイド。
　
　［本件発明１との相違点］
　　本件発明１が、
　１Ｄ　時間とチャンネルのグリッドガイドをその目立たせたテレビジョン　　　　番組リストのチャンネルの単一チャンネルガイドに変える手段を備　　　　えている　
　　とするのに対して、
　　甲１発明は、
　　上記構成要件１Ｄを備えていない点
　
　この構成要件Ｄは、上記のとおり、
　(a)要件［
Ｄａ：直接遷移
　時間とチャンネルのグリッドガイドを単一チャンネルガイドに変えること、
　すなわち、時間とチャンネルのグリッドガイドの表示を単一チャンネルガイドの表示に変更すること（直接遷移させること）、
　
　(b)要件［
Ｄｂ：番組リストによるＣＨ指定
　時間とチャンネルのグリッドガイドを単一チャンネルガイドに変えるときの単一チャンネルガイドを、時間とチャンネルのグリッドガイドで目立たせた一つのテレビジョン番組リストのチャンネルの単一チャンネルガイドとすること、
　すなわち、表示変更後（遷移後）の単一チャンネルガイドのチャンネルが、時間とチャンネルのグリッドガイドで目立たせた一つのテレビジョン番組リストのチャンネルとすること
　を特定するものといえ、
　
　これらは、以下のことをいうものと解釈される。
　
　要件［
Ｄａ：直接遷移
　「時間とチャンネルのグリッドガイド」によるテレビジョン番組リストを表示（グリッドガイドによる番組表表示）することとは別に、これとは異なる、単一のチャンネルのテレビジョン番組リストだけを配列した「単一チャンネルガイド」によるテレビジョン番組リストを表示（単一チャンネルガイドによる番組表表示）することを前提に、
　「時間とチャンネルのグリッドガイド」の表示から「単一チャンネルガイド」の表示に変更（直接遷移）すること
　
　要件［
Ｄｂ：番組リストによるＣＨ指定
　表示の変更（直接遷移）は、変更後の「単一チャンネルガイド」のチャンネルが、変更前の「時間とチャンネルのグリッドガイド」において目立たせた一つの「テレビジョン番組リスト」のチャンネルとなるように行うこと、
　つまり、実質的には、
　　
変更後の「単一チャンネルガイド」のチャンネル指定を、変更前の「時間とチャンネルのグリッドガイド」において一つの「テレビジョン番組リスト」を目立たせることにより行
　「単一チャンネルガイド」のチャンネルをその目立たせた「テレビジョン番組リスト」のチャンネルとすること
　
　（３）容易想到性についての判断
　
　（３.１）［本件発明１との相違点の克服］
　甲１発明に、
　　時間とチャンネルのグリッドガイドをその目立たせたテレビジョン番組リストのチャンネルの単一チャンネルガイドに変える手段（構成要件１Ｄ）、
　を付加することで、上記［本件発明１との相違点］は克服されて、本件発明１に到達する。
　
　構成要件１Ｄは、上述したように、上記［
Ｄａ：直接遷移
Ｄｂ：番組リストによるＣＨ指定
　甲１発明を出発点として、
　《
ステップ１
単一チャンネルガイドの付加
　甲１発明の、上記『甲１番組表（表示）、第３図』｛１日分の番組表（例えば、２チャンネル・４時間分）であり、表示されていないチャンネル、時間帯はスクロールにより表示するもの｝とは別に、
　単一チャンネルガイド（単一のチャンネルのテレビジョン番組リストだけを配列したガイド）を表示する機能を付加し、
　《
ステップ２
直接遷移
　「単一チャンネルガイド」を表示する機能を付加する際の、その表出手法を、『甲１番組表（表示）、第３図』を「単一チャンネルガイド」表示に変更（直接遷移）するようにすることで、上記［
Ｄａ：直接遷移
　《
ステップ３
チャンネル指定手法
　このとき、変更後の「単一チャンネルガイド」のチャンネル指定を、変更前の『甲１番組表（表示）、第３図』において一つの「テレビジョン番組リスト」を目立たせることにより行い、
　「単一チャンネルガイド」のチャンネルをその目立たせた「テレビジョン番組リスト」のチャンネルとすることで、上記［
Ｄｂ：番組リストによるＣＨ指定
　本件発明１に到達する。
　
　（３.２）［本件発明１との相違点の克服］の容易想到性
　
　【結論】
　　甲２，３号証、甲４号証の１〜３記載の発明、周知技術を勘案しても、甲１発明に上記構成要件１Ｄを付加することは、当業者が容易に想到し得ることである、とはいえず、上記［本件発明１との相違点の克服］は困難である。
　
　甲２，３号証、甲４号証の１〜３記載の発明、周知技術を勘案しても、
　甲１発明を出発点として、上記《ステップ１》（単一チャンネルガイドの付加）、《ステップ２》（直接遷移）として上記［
Ｄａ：直接遷移
　上記《
ステップ３
チャンネル指定手法
Ｄｂ：番組リストによるＣＨ指定
　
　【理由】
　
　
ア　構成要件１Ｄの技術的意義
　１Ｄ：時間とチャンネルのグリッドガイドをその目立たせたテレビジョン　　　　番組リストのチャンネルの単一チャンネルガイドに変える手段を備　　　　えている　
　上記構成要件１Ｄは、本件発明１の特徴を規定する中心的構成であり、
　これにより、前述したように、
　「時間とチャンネルのグリッドガイド」では表示されていない（見たいと欲する）時間帯の番組リストが、
　表示されている「時間とチャンネルのグリッドガイド」において、今見えている時間帯の番組リストであって、見たいと欲するチャンネルの「番組リスト」を目立たせておいて、「時間とチャンネルのグリッドガイド」を、その目立たせた「番組リスト」のチャンネルの「単一チャンネルガイド」に変えることで、
　見ることができるようになって、
　ユーザーにとって最も都合のよい情報の表示が、ユーザーに容易に理解されるやり方でなされるという技術的意義が達成されるものである。
　すなわち、
　「時間とチャンネルのグリッドガイド」では表示されていない（見たいと欲する）時間帯の「番組リスト」を表示するために、
　表示されている「時間とチャンネルのグリッドガイド」において、今見えている時間帯の「番組リスト」であって、見たいと欲するチャンネルの「番組リスト」を目立たせておいて、「時間とチャンネルのグリッドガイド」を、その目立たせた「番組リスト」のチャンネルの「単一チャンネルガイド」に変える、とするものである。
　
　
イ　甲２〜甲４号証記載の技術（発明
　
　《甲２号証》
　前記【１】（２）(K2.1)〜(K2.14)によれば、甲２号証には、以下の技術事項（以下、〔甲２記載技術〕という）が記載されている。
　〔
甲２記載技術（甲２発明
　予め番組メモリに記憶した番組情報をサーチして指定した種類の番組表をテレビ画面に表示し得ると共に、上記番組メモリに対する番組情報のサーチを効率良く行ない得るようにするため｛(K2.1)(K2.14)｝、
　〔１〕文字図形情報システム（ビデオテックス）のテレソフトを利用してテレビ番組情報、例えば、１か月分のテレビ番組情報を番組メモリに記憶すること。
　番組情報は、日付、チャンネル、曜日、開始時刻、終了時刻、番組の種類、番組が放送中であることを示すフラグＦ１、番組が終了したことを示すフラグＦ２、番組名等が設定され、これらの番組情報は、各番組毎に１か月分の番組情報を記憶する番組メモリに記憶すること｛(K2.2)〜(K2.5)，第３図等｝。
　〔２〕番組メモリに記憶した番組表をＣＲＴ表示部３に表示する場合、以下のようなキーボードのキー操作により６種類の番組表を選択的に表示させることができる（第１０図）こと。すなわち、
　○１：「番組表」キーのみの単独操作Ｄをすれば、
　　　今後放送される全ての番組表（例えば、１か月分のうち）、
　○２：「日付」の入力と「番組表」キーの組合わせ操作Ｅをすれば、
　　　その指定した1日分の番組表、
　○３：番組の「種類」指定と「番組表」キーの組合わせ操作Ｆをすれば、　　　指定ジャンル（種類）の今後放送される番組の一覧表、
　○４：「チャンネル」の指定と「番組表」キーの組合わせ操作Ｇをすれば、　　　指定チャンネルの今後放送される番組の一覧表、
　○５：「曜日」指定と「番組表」キーの組合わせ操作Ｈをすれば、
　　　指定曜日（間近の躍日）の１日分の番組表、
　○６：「放送中」キーの単独操作Ｉをすれば、今、放送中の番組表、
　　　を表示させること｛(K2.6)〜(K2.13)，第７図，第１０図等｝。
　
　《甲３号証》
　前記【１】（３）(K3.1)〜(K3.5)によれば、甲３号証には、以下の技術事項（以下、〔甲３記載技術〕という）が記載されている。
　〔
甲３記載技術（甲３発明
　１週間の予定を表示させたり、その１週間の予定の内、特定の曜日又は日を指定することで、その日の時間スケジュール（ディリイー情報）を表示するスケジュール管理装置（電子手帳）において、
　カレンダー表示機能で、第６図（ａ）のカレンダー表示、すなわち、日曜（Ｓ）から土曜（Ｓ）までの曜日からなる横軸欄を第１行に表示し、その下に日にちが横書きで５行にわたって表示された通常のカレンダー表示をすること、
　カレンダー表示は、第６図（ａ）では日曜日を週の始まりとして表示しているが、第６図（ｂ）のように月曜日を週の始まりとして表示することもでき、その表示切り換えは、表示切り換えモードにおいて文字入カキ−のＳキー（日曜日を週の最初の曜日とする場合）又はＭキー（月曜日を週の最初の曜日とする場合）の入力で選択できること｛(K3.4)｝、
　このカレンダー表示状態において、カレンダーキー１６５を操作すると、カーソルで指示されている１１日（第６図（ａ）の「１１日（月曜日）」）から始まる１週間のスケジュール内容（週間情報）が第５図（ａ）に示すようにその週の各日（例えば、「１１」）及び曜日の表示（例えば、「Ｍ」）に合わせて、スケジュール内容（例えば、「ＢＲＥＡＫＦＡＳＴ　ＭＥ」）を表示するもので、「１１Ｍ：ＢＲＥＡＫＦＡＳＴ、１２Ｔ：・・・、１７Ｓ：・・・」のように、日にちと曜日（頭文字）と１１日（月曜日）から１７日（日曜日）までのスケジュール内容を先頭より決められた文字数を表示すること｛(K3.3)(K3.5)｝、
　この週間情報の表示は、カーソルで指示されている日から１週間の情報を表示するか、その日を含む日曜日から始まる週を表示する（図示はない）かは、システムのプログラムによって決まることで本発明には直接関係ないこと｛(K3.5)｝、
　また、この週間表示の状態で、カーソルで指定される日にち移動させたければ、カーソルキーを操作することで、自在に移動させることができる（ステップＵ２２，Ｕ２３）ようになっていること｛(K3.5)｝。
　
　《甲４号証の１〜３》
　請求人は、甲第４号証については、甲第４号証の１についてのみ具体的に記載箇所を摘示して指摘するに止まり、甲４号証の２，甲４号証の３については具体的に記載箇所を何ら摘示していない。
　甲４号証の２，甲４号証の３の記載についても検討したが、いずれも、甲４号証の１以上の技術事項を開示するものではないので、甲４号証の１で代表させ、〔甲４記載技術〕ということとする。
　前記【１】（４）(K4.1)〜(K4.13)によれば、甲４号証の１〜３には、以下の技術事項（以下、〔甲４記載技術〕という）が記載されている。
　〔
甲４記載技術（甲４の１発明
　従来、スケジュール記憶表示装置においては、スケジュールデータはすべて日付に対応して記憶され表示されるものであり、曜日や週間に対応したスケジュールを記憶させ表示させることができないという課題認識のもと、
　日々のほかに、特定の曜日（例えば、１月の毎週水曜日）を指定することにより、または、特定の週間（例えば、１月の第１週（１ｓｔ））を指定することにより、該当するスケジュールデータを記憶させ、その後表示させることのできる小型電子計算機を兼用したスケジュール記憶表示装置において｛(K4.1)〜(K4.8)｝、
　表示作成部３５で作成された表示データは表示バッファ３６に送られ、この表示データに従って第４図（２）に示すようにカレンダ表示、すなわち、日曜（ＳＵ）から土曜（ＳＡ）までの曜日からなる各曜日を示す横軸欄を第１行に表示すると共に、第１週から第５週を示すマーク「■（スケジュール設定週）「＋（スケジュール未設定週）」「＋」「＋」「＋」「＋」からなる各週を示す縦軸欄を第１列（左端列）に表示し、その右側にこれらの曜日に対応するように日にちが横書きで５行にわたって表示されたカレンダ表示がなされること。
　このようにカレンダ表示が行なわれている状態にあって、
　その各週を示す縦軸欄の１つのマークの位置をタブレット入力部１２によって押圧すると、そのマークが示す週の週間スケジュールデータが、その週の日付と共に第４図（３）のように表示され（例えば、第１週を示すマーク「■」の位置をタブレット入力部１２によって押圧すると、第「１」週の週間データである「←−−−−−→」と第「１」週の日付データ「２９」〜「４」が第４図（３）のように表示され）｛(K4.4)｝、
　その各曜日を示す横軸欄の１つ「曜日」の位置をタブレット入力部１２によって押圧すると、そのマークが示す曜日の曜日スケジュールデータが、その曜日の各日付と共に第４図（５）のように表示され（例えば、水曜日を示す「ＷＥ」の位置をタブレット入力部１２によって押圧すると、水曜日の曜日データである「ヨイコノテレビ」「トクベツバングミ」「ダイ５カイ」「ダイ６カイ」「ダイ７カイ」「ダイ８カイ」と各水曜日の日付データ「１」「８」「１５」「２２」「２９」が第４図（３）のように表示され）｛(K4.6)｝、
　その日付の位置をタブレット入力部１２によって押圧すると、その日付のの日々スケジュールデータが、その日付の年月日曜日と共に第４図（４）のように表示されること｛(K4.5)｝。
　〔
甲４記載技術〕と本件発明１との対応
　〔甲４記載技術〕は、その表示内容は本件発明１と全く異なるものの、項目を表示する形式についてみれば、本件発明１との類似（項目を縦横方向に配した形式の表示から縦方向にのみ項目を配した形式の表示に直接遷移させる）が認められる。
　同技術は、本件発明１との対応でみれば、
　各曜日を示す横軸欄、すなわち『列をガイドする項目（横軸）欄』と、各週を示す縦軸欄、すなわち、『行をガイドする項目（縦軸）欄』と、これら列をガイドする項目（横軸）欄と行をガイドする項目（縦軸）欄に囲まれ、列と行で区画された各区画（セル）からなる領域（日付領域）と、からなるのカレンダ表示（“グリッド形式”に対応）において、
　『列をガイドする項目（横軸）欄』、『行をガイドする項目（縦軸）欄』及び列と行で区画された各区画（セル）上をカーソルが移動可能とし、
　『列をガイドする項目（横軸）欄』の１つの項目（曜日）をカーソルで選択し（目立たせ）、（
“グリッド”形式の）ガイド表示であるカレンダ表示から、選択した１つの項目（曜日）に属する単一列のセル（日）の曜日スケジュールデータの表示に変更
　『行をガイドする項目（縦軸）欄』の１つの項目（週、■＋等）をカーソルで選択し（目立たせ）、（
“グリッド”形式の）ガイド表示であるカレンダ表示から、選択した１つの項目（週）に属する単一行のセル（日）の週間スケジュールデータの表示に変更する
　
　
ウ　上記《ステップ１》（単一チャンネルガイドの付加）の容易想到性
　
　〔甲２記載技術〕に接した当業者であれば、〔甲２記載技術〕に基づいて、甲１発明にも、『
甲１番組表（表示）、第３図
　上記《
ステップ１》（単一チャンネルガイドの付加）
　甲１発明の、上記『甲１番組表（表示）、第３図』｛１日分の番組表（例えば、２チャンネル・４時間分）であり、表示されていないチャンネル、時間帯はスクロールにより表示するもの｝とは別に、
　単一チャンネルガイド（単一のチャンネルのテレビジョン番組リストだけを配列したガイド）を表示する機能を付加すること
　は、〔甲２記載技術〕に基づいて当業者が容易に想起することである、と言うことができる。
　
　〈
理由（ステップ１の容易性
　甲１号証の「１画面に表示するチャンネルの数は、２つでもさらに多くてもよいし、例えば、１個のチャンネルのみとして、表示できる時間帯を多くしてもよい。」(K1.8)で示唆される上記『
甲１示唆１画面１チャンネル表示
　・
１画面に表示されたものについてみれば、
　・１画面に複数チャンネル分表示する『
甲１番組表（表示）、第３図
　同記載のみから、「時間とチャンネルのグリッドガイド」の表示に加え、これとは別に「単一チャンネルガイド」を表示する技術思想までは読み取ることはできないことは前記の通りであるものの、
　そこに、
１画面に１個のチャンネルのみ表示すること、そのようにすれば表示できる時間帯が多くなることは示唆されている
　すなわち、「単一チャンネルガイド」では、「時間とチャンネルのグリッドガイド」の１画面では表示されていない時間帯の番組リストまで、同時に見ることができるようになるというメリットは認識されている。
　
　《
甲２号証
　そして、甲２号証には、キーボードのキー操作により６種類の番組表を選択的に表示させることができる〔甲２記載技術〕が記載されていて、このうち、
　○１：「番組表」キーのみの単独操作Ｄをすれば、
　　　今後放送される全ての番組表（例えば、１か月分のうち）、
　○２：「日付」の入力と「番組表」キーの組合わせ操作Ｅをすれば、
　　　その指定した1日分の番組表、
　○４：「チャンネル」の指定と「番組表」キーの組合わせ操作Ｇをすれば、　　　指定チャンネルの今後放送される番組の一覧表、
　を表示することが記載されており、
　上記「
○２：指定した1日分の番組表
複数のチャンネルと時間帯を含む１日分の番組表
１日分の番組表
甲１番組表（表示）、第３図
　上記○４の：
指定チャンネルの
番組の一覧表
　かかる〔甲２記載技術〕に接すれば、
　当業者は、甲１発明の１画面に複数チャンネル分表示する『
甲１番組表（表示）、第３図
　これによって上記甲１号証で示唆されているように、「時間とチャンネルのグリッドガイド」より多くの時間帯の番組を同時に確認でき便利であり、これら両者を選択的に利用できることとなって、ユーザの利便性向上に寄与すると普通に想起し得、
　甲１発明にも、『
甲１番組表（表示）、第３図
ユーザにチャンネルを指定させ、指定されたチャンネルの「単一チャンネルガイド」を表示する機能を付加することに容易に想到すると言える
　よって、上記《
ステップ１
単一チャンネルガイドの付加）
　
　
エ　上記《ステップ２》（直接遷移）の容易想到性
　
　上記のとおり、甲１発明に、〔甲２記載技術〕に基づいて、ユーザにチャンネルを指定させ、指定されたチャンネルの「単一チャンネルガイド」を表示する機能を付加することは当業者容易想到と言えるところ、
　同機能を付加する際、
　当業者であれば、周知技術に基づいて、『甲１番組表（表示）、第３図』表示状態において、「チャンネル」の指定と「番組表」キーの組合わせ操作Ｇを受け付けることができるようにして『甲１番組表（表示）、第３図』を「単一チャンネルガイド」表示に直接変更する（遷移させる）との考えに困難なく至ると言えることから、
　上記《
ステップ２
Ｄａ：直接遷移
　
　〈
理由（ステップ２（直接遷移）の容易性
　
　
エ-１《周知技術
　一般に、ユーザインターフェースとして、上位メニューの下位にある異なる２つのメニュー／ガイド画面が存在するとき、
画面遷移の時間短縮を図り
上位メニュー表示に戻ることなく下位の別のメニュー／ガイド画面に直接遷移し得るようにすること
　
　
エ-２　甲１発明に、〔甲２記載技術〕の「単一チャンネルガイド」を表示する機能を付加する際の、その表出手法
　〔甲２記載技術〕では、
　○２：キーボードの操作で「日付」の入力と「番組表」キーの組合わせ操作Ｅをを行って「○２：指定した1日分の番組表」を表示することと、
　○４：キーボードの操作で「チャンネル」の指定と「番組表」キーの組合わせ操作Ｇを行って「○４：指定チャンネルの番組表」を表示することが、［番組表出力］（第１０図）という表示する番組表の種類を特定する上位の状態から遷移する下位の状態として同列に扱われていて、「○２：指定した1日分の番組表」を表示している状態で、上記組合わせ操作Ｇを受け付けることができて直接「○４：指定チャンネルの番組表」を表示することができるとはしていない。
　しかし、当業者は上記《周知技術》をよく知っているといえ、〔甲２記載技術〕に接すれば、
　〔甲２記載技術〕において、特定の種類の番組表が表示されている状態においても、上記○１〜○６の操作を受け付けることができるようにして、当該特定種類の番組表表示から他の種類の番組表表示に直接遷移することも容易に想定し得るといえ、
　また、〔甲２記載技術〕を適用しようとする甲１発明の、上記『
甲１番組表（表示）、第３図
　当業者であれば、
　ユーザの便宜を図るため、甲１発明に、〔甲２記載技術〕に基づいて「単一チャンネルガイド」を表示する機能を付加する際、周知技術に基づいて、『甲１番組表（表示）、第３図』表示状態において、「チャンネル」の指定と「番組表」キーの組合わせ操作Ｇを受け付けることができるようにして『甲１番組表（表示）、第３図』を「単一チャンネルガイド」表示に直接変更する（遷移させる）との考えに困難なく至ると言える。
　 したがって、甲１発明に、ユーザにチャンネルを指定させ、指定されたチャンネルの「単一チャンネルガイド」を表示する機能を付加する際の、「単一チャンネルガイド」を表出させる手法について、
　、『甲１番組表（表示）、第３図』を「単一チャンネルガイド」表示に変更（直接遷移）するようにする手法を採ること、すなわち、上記《ステップ２》（上記［
Ｄａ：直接遷移
　
　
エ-３　被請求人の主張について
　被請求人は、甲第２号証における、「今後放送される全ての番組表」を表示することと、「指定されたチャンネルの今後放送される番組表」を表示することとは、それぞれ、異なるキー操作に対して行われる
独立した事象
に代えて
　上記エ-１、エ-２で示した通り、「グリッドガイド」の表示から直接「単一チャンネルガイド」の表示へと変更する手法を採ることは、周知技術に基づいて当業者が容易に想起し得ることであるから、この主張は採用しえない。
　なお、〔甲２記載技術〕は、番組表をＣＲＴ表示部３に表示する場合に、キーの組み合わせ操作に応じて指定した種類○１〜○６の番組表を表示するとしているが、一の種類の番組表が既に表示されている状態において、キーの組み合わせ操作により（異なる種類の）番組表を表示することを、排除しているものでもない。
  　
　
エ-４　甲３号証、甲４号証について
　甲１発明の「時間とチャンネルのグリッドガイド」を「単一チャンネルガイド」に直接遷移させること（上記［Ｄａ：直接遷移］）が、甲３号証又は甲４号証記載の技術から当業者が容易に想到し得るか、について検討しておく。
　
　〔甲３記載技術〕、〔甲４記載技術〕は、いずれも、「カレンダー表示」画面から、特定日（１日や、週間等）の「スケジュール内容の表示」画面に直接遷移させることを示している。
　しかし、いずれも、テレビジョン番組表についての技術ではなく、スケジュール管理をする装置（電子手帳、又は小型電子式計算機を兼用したもの）に関する技術であって、当該装置においては、「スケジュール内容」を表示することが重要かつ必要であって、「カレンダー表示」自体が有用な情報を表示するものではなく、この「カレンダー表示」をするだけでは「スケジュール内容」を表示するという目的は達成されず意味がないものであり、遷移前の「カレンダー表示」と遷移後の「スケジュール内容の表示」は同種の情報を表示するものではない。
　そこでの「カレンダー表示」は、あくまで「スケジュール内容」を表示する日付を選択し特定するための“メニュー画面”として使用されるものであって、
その後に「スケジュール内容」を表示することが必ず予定されているのである
　これに対し、テレビジョン番組表は、そもそも、それ自体で有用な目的とする番組情報（タイトル、放送時間、チャンネル等）を表示しているものであり、「単一チャンネルガイド」の表示が必ず必要なものではなく、同表示を予定しているものでもない。
　すなわち、テレビジョン番組表、及び、本件発明１の「時間とチャンネルのグリッドガイド」→「単一チャンネルガイド」の表示形態の遷移は、「カレンダー表示」→「スケジュール内容の表示」の遷移とはその対象が異なることのみならず、その技術的意義（目的・課題意識）も全く異なるものである。
　したがって、上記［Ｄａ：直接遷移］の容易想到性については、テレビジョン番組表の表示として、また、その表示形態の遷移としての技術的意義や課題等の観点から論じられるべきであり、
　単に、スケジュール管理をする装置である甲３、４号証に、「カレンダー表示」画面から特定日（１日や、週間等）の「スケジュール内容の表示」画面に直接遷移させる技術が記載されているからといって、そのことのみを理由に、甲１発明の「時間とチャンネルのグリッドガイド」を「単一チャンネルガイド」に変えること（上記［Ｄａ：直接遷移］）が、当業者が容易に想到し得る、と言えるものではない。
　
　
オ　上記《ステップ３》（上記［Ｄｂ：番組リストによるＣＨ指定］）の容易想到性
　
　甲１発明を出発点として、〔甲２記載技術〕に基づいて、ユーザにチャンネルを指定させ、指定されたチャンネルの「単一チャンネルガイド」を表示する機能を付加し、同機能を付加する際の、「単一チャンネルガイド」を表出させるのに、周知技術に基づいて、『甲１番組表（表示）、第３図』表示状態において、「チャンネル」の指定と「番組表」キーの組合わせ操作Ｇを受け付けることができるようにすることで、
　『甲１番組表（表示）、第３図』を「単一チャンネルガイド」表示に直接変更する（遷移させる）との考えに困難なく至ると言えることから、
　上記《
ステップ２
Ｄａ：直接遷移
　
　『甲１番組表（表示）、第３図』を「単一チャンネルガイド」表示に直接変更する（遷移させる）のに、上記のように、『甲１番組表（表示）、第３図』表示状態において、「チャンネル」の指定と「番組表」キーの組合わせ操作Ｇを受け付けるようにするのではなく、
　上記《
ステップ３
Ｄｂ：番組リストによるＣＨ指定
　変更後の「単一チャンネルガイド」のチャンネル指定を、変更前の『甲１番組表（表示）、第３図』において一つの「テレビジョン番組リスト」を目立たせることにより行い、
　「単一チャンネルガイド」のチャンネルをその目立たせた「テレビジョン番組リスト」のチャンネルとすること（上記［
Ｄｂ：番組リストによるＣＨ指定
　
　甲２号証、甲３号証、甲４号証の１〜３の何れにも記載されておらず、
　また、これら各甲号証のいずれにも、上記《
ステップ３
Ｄｂ：番組リストによるＣＨ指定
　上記《
ステップ３
Ｄｂ：番組リストによるＣＨ指定
　
　〈
理由（ステップ３
Ｄｂ：番組リストによるＣＨ指定
の容易性
　
　オ-０　［
Ｄｂ：番組リストによるＣＨ指定
　
上記《ステップ３》
Ｄｂ：番組リストによるＣＨ指定
　「時間とチャンネルのグリッドガイド」では表示されていない（見たいと欲する）時間帯の「番組リスト」を表示するためであり、
　そのために、表示されている「時間とチャンネルのグリッドガイド」において、今見えている時間帯の「番組リスト」であって、見たいと欲するチャンネルの「番組リスト」を目立たせておいて、「時間とチャンネルのグリッドガイド」を、その目立たせた「番組リスト」のチャンネルの「単一チャンネルガイド」に変える、とするものである。
　
　
ここでの（変えるときの）、今見えている時間帯の「番組リスト」を目立たせることの技術的意義
　
今見えている時間帯の「番組リスト」を目立たせる操作
　その目立たせた「番組リスト」自体を選択特定するために用いるのが通常であるところを、そうではなく、
　
目立たせた「番組リスト」のチャンネルと同じチャンネルの「番組リスト」を、「時間とチャンネルのグリッドガイド」では表示されていない時間帯の「番組リスト」も含めて、そのすべての「番組リスト」を選択し特定するために用いることにある
　そして、これによりその選択特定した番組リストを、「時間とチャンネルのグリッドガイド」では表示されていない時間帯のものを含めて表示できることを前提に「単一チャンネルガイド」として表示するのである。
　
　つまり、「時間とチャンネルのグリッドガイド」に表示されている「番組リスト」を目立たせる操作により、個々の「番組リスト」及びそれがもつ属性としての「チャンネル」・「時間帯」が特定されるのは当然のこととして、その個々の「番組リスト」に限らない共通の「チャンネル」をもつ他の「番組リスト」のすべてについても選択特定されたと扱い、これら選択特定された「番組リスト」群を「単一チャンネルガイド」形式として表示する、とするものである。
　
　このことを踏まえ、
上記《ステップ３
Ｄｂ：番組リストによるＣＨ指定
の容易想到性
　
　
オ-１　チャンネル指定をカーソルによるＧＵＩとすることについて
　
　甲１発明に、〔甲２記載技術〕に基づいて、ユーザにチャンネルを指定させ、指定されたチャンネルの「単一チャンネルガイド」を表示する機能を付加することは当業者容易想到と言え、
　同機能を付加する際の、「単一チャンネルガイド」を表出させるのに、周知技術に基づいて、『甲１番組表（表示）、第３図』表示状態において、「チャンネル」の指定と「番組表」キーの組合わせ操作Ｇを受け付けることができるようにして『甲１番組表（表示）、第３図』を「単一チャンネルガイド」表示に直接変更する（遷移させる）との考えに困難なく至ると言えることから、上記《
ステップ２
Ｄａ：直接遷移
　ここで、『甲１番組表（表示）、第３図』表示状態において、「チャンネル」の指定と「番組表」キーの組合わせ操作Ｇを受け付けることができるようにすれば、
表示されているチャンネルだけでなく表示されていないチャンネルを含めて直接チャンネルが指定でき、表示されていない時間帯を表示できる「単一チャンネルガイド」に直接迅速に画面遷移できるというメリットがあるものである。
　とはいえ、甲１発明では、『甲１番組表（表示）、第３図』を表示して、表示されている番組リストの１つをユーザにカーソルで選択し目立たせて、処理対象とする１つの「番組リスト」を特定するのに、カーソルを用いたグラフィカルユーザインターフェース（ＧＵＩ）を採っていることからみて、　また、処理対象とする１つの「番組リスト」を特定するのにカーソルを用いたそのようなＧＵＩとすることは普通のことであることからみて、
、当業者は、キーによる操作Ｇに代えてカーソルを用いたＧＵＩを採用することも代替案として格別困難なく考え得ると言うべきである。
　
　このとき、カーソルを用いたＧＵＩである以上、カーソルを用いて、上記キー操作Ｇに対応する操作ができるように、画面上に、カーソルで選択指定する対象となる何らかの「□表示」（表示形態は「□」に限らないが、ここでは、画面に表示される選択指定用の表示を「□表示」とした。）が必ず必要であり、
　『甲１番組表（表示）、第３図』から直接遷移させることから、『甲１番組表（表示）、第３図』を（消去することなく）表示している画面上に、同時に、カーソルで選択指定できる「チャンネル選択指定用□表示」や「番組表キー用□表示」を表示することとなる。
　（なお、上記周知技術は、下位メニュー／ガイド画面に、（飛びたい）別の下位のメニュー／ガイド画面への選択肢が次画面の選択肢としてそこに表示されていない場合についての、下位メニュー／ガイド画面→別の下位メニュー／ガイド画面への直接遷移技術であるが、
　そのように選択肢としてそこに表示されていない場合においても下位メニュー／ガイド画面→別の下位メニュー／ガイド画面へ直接遷移することがよく知られているのであるから、下位メニュー／ガイド画面に、（飛びたい）別の下位のメニュー／ガイド画面への選択肢が次画面の選択肢としてそこに表示されている場合であっては、なおさら、下位メニュー／ガイド画面→別の下位メニュー／ガイド画面への直接遷移技術はごく普通の技術であるといえる。）
　このうち、チャンネル指定に必要な「チャンネル選択指定用□表示」は、　・チャンネルを選択するキー操作に代えてＧＵＩとするためのものであって、番組表をガイドすることを本来の目的とする上記『甲１番組表（表示）、第３図』とは異なるものであり、
　・また、番組表ガイドを、番組表ガイド自体をこれとは異なる「単一チャンネルガイド」への遷移のためのメニューＧＵＩとして流用することが周知とか普通であるならばともかく、そうではないのであるから、
　『甲１番組表（表示）、第３図』とは別の表示として表示（同時表示としなければいけないが）するのが普通である。
　すなわち、チャンネル指定をキー操作ではなくＧＵＩとするのであれば、そのための「チャンネル選択指定用□表示」は、通常は、番組表表示（『甲１番組表（表示）、第３図』を表示したまま、これとは別の表示として表示することが想定されるのである。
　
　とはいえ、選択指定すべき「チャンネル」は、『甲１番組表（表示）、第３図』の、チャンネル軸である「チャンネルエリア」に、既にそこに表示され用意されているのであり、
　さらに、その「チャンネルエリア」に表示される「１ＣＨ」「２ＣＨ」等の「チャンネル表示」は、
その列に配置されるすべての番組リスト
表示されていない時間帯のものも含めて）に共通する属性を示す表示で
列全体の「番組リスト」群を代表するもの
　に、当業者であれば容易に気づくものといえ、
　このチャンネルエリアを「チャンネル選択指定用□表示」に流用しようという発想にも、特別困難なく至るというべきである。
　
　しかしながら、そのようにしたものが、上記［
Ｄｂ：番組リストによるＣＨ指定
　
　以上、〔甲２記載技術〕のキーによる組み合わせ操作Ｇに代えて、『甲１番組表（表示）、第３図』表示状態でカーソルでチャンネル指定をさせるようにすることを想起したとしても、
　・「チャンネル選択指定用□表示」を、上記『甲１番組表（表示）、第３図』とは別の表示として同時表示するか、
　・せいぜい、『甲１番組表（表示）、第３図』のチャンネルエリアに表示されている「チャンネル」をカーソルで選択して目立たせ、「単一チャンネルガイド」表示のためのチャンネルを指定し得るようにする
　考えに至ると言うべきであって、
　「時間とチャンネルのグリッドガイド」表示において、既にそこに軸情報であって列全体の「番組リスト」群を代表するものとして表示されている「チャンネル」を避け、あえて「セル」上の「テレビジョン番組リスト」を目立たせるとする上記《
ステップ３
Ｄｂ：番組リストによるＣＨ指定
　
　
オ-２　甲２号証、甲３号証、甲４号証の１〜３
　
　（
ア）甲２号証
　
　甲２号証には、キーによる組み合わせ操作Ｇによるチャンネル指定が記載されているにすぎず、上記オ-１でみたように、甲２号証から上記《
ステップ３
Ｄｂ：番組リストによるＣＨ指定
　上記《
ステップ３
Ｄｂ：番組リストによるＣＨ指定
　
　（
イ）甲４号証の１〜３
　
　〔甲４記載技術〕は、上記エ-４のとおり、テレビジョン番組表についての技術ではなく、スケジュール管理をする装置（小型電子式計算機を兼用した）に関する技術であり、
　そこでの「カレンダー表示」は、目的とする「スケジュール内容」を表示するものではなく、あくまで「スケジュール内容」を表示する日付を選択し特定するための“メニュー画面”として使用されるものであって、その後に「スケジュール内容」を表示することが必ず予定されているのであるのに対して、
　テレビジョン番組表は、それ自体で既に有用な目的とする番組情報を表示しているものであり、「単一チャンネルガイド」の表示が必ず必要なものではなく、同表示を予定しているものでもない。
　すなわち、テレビジョン番組表、及びその表示形態の遷移は、「カレンダー表示」→「スケジュール内容の表示」の遷移とはその対象が異なることのみならず、その目的・課題意識も異なるものである。
　
　とは言え、〔甲４記載技術〕は、画面の表示形式についてみれば、本件発明１との類似（項目を縦横方向に配した形式の表示から縦方向にのみ項目を配した形式の表示に直接遷移させる）が認められ、前記《〔甲４記載技術〕と本件発明１との対応》での考察から明らかなように、
　本件発明１と同様、『列をガイドする項目（横軸）欄』と『行をガイドする項目（縦軸）欄』とこれらに囲まれた列と行で区画された各区画（セル）からなる領域とからなる「グリッドガイド」表示から、単一の項目に属する単一列または行のセルの情報を表示する形式のガイドに遷移させる技術といえるものであるが、
　この遷移は、
カーソルを、『列をガイドする項目（横軸）欄』または『行をガイドする項目（縦軸）欄』の１つの項目に位置させ、目立たせた場合に行われるものであって
　
「テレビジョン番組リストの一つ」を目立たせる、すなわち、「セル」を目立たせるとする本件発明１とは異なる
　
　〔甲４記載技術〕では、本件発明１のように「セル」にカーソルを位置させた場合には、第４図（４）の画面に遷移するものであって、同図の画面は本件発明１でいう「単一チャンネルガイド」ではない。
　〔甲４記載技術〕が適用できたとしても、本件発明１には至らない。
　
　したがって、甲４号証の１〜３には、上記《
ステップ３
Ｄｂ：番組リストによるＣＨ指定
　上記《
ステップ３
Ｄｂ：番組リストによるＣＨ指定
　
　（
ウ）甲３号証
　
　〔甲３記載技術〕は、スケジュール管理をする装置（電子手帳）に関する技術であるが、本件発明１の上記［
Ｄｂ：番組リストによるＣＨ指定
　カレンダー表示状態において、カレンダーキー１６５を操作すると、週間情報の表示（週間表示）に遷移する技術が示されていて、縦横方向に項目を配した画面から縦方向にのみ項目を配した画面に直接遷移するという点では、本件発明１の上記［
Ｄｂ：番組リストによるＣＨ指定
　
　以下、当該技術について、本件発明１と対応して検討する。
　
　（
ウ１
そもそも、本件発明１の「グリッドガイド」の表示とは異なる
遷移後のガイドにおいても、両者は異なる
　〔
甲３記載技術〕の「カレンダー表示」は、２つの識別軸情報表示を伴う行列形式ではなく、かつ表示しない項目がないものであって、　そもそも、２つの識別軸情報表示を伴い、かつ表示しない項目がある、本件発明１でいう「グリッドガイド」の表示とは異なる
　「カレンダー表示」と、「テレビジョン番組表」（「グリッドガイド」）の表示とは、内容だけでなく、その形式も異なる。
　
　〔甲３記載技術〕のカレンダー表示は、縦横方向に項目（日にち）を配した画面表示である限りにおいては、本件発明１の「時間とチャンネルのグリッドガイド」の表示と共通するものの、
　そのカレンダー表示における、第６図（ａ）の日曜（Ｓ）から土曜（Ｓ）までの曜日からなる横軸欄の第１行は『列をガイドする項目（横軸）欄』といえるものの、『行をガイドする項目（縦軸）欄』の表示がなく、第何週であるかを示す「週」を「曜日」と同様に重要な識別軸と捉えるものではなく、第６図（ａ）のカレンダー表示の表示形式は、そもそも、２つの軸情報表示を伴うガイドではない。
　
　「テレビジョン番組表」は、本件発明１の「時間とチャンネルのグリッドガイド」を含め、
　一般に、個々の「番組リスト」が「時間」と「チャンネル」を重要な属性としてもつものであって、これらにより明確に識別され特定されるものであることに着目して、これら２つの重要な情報を２つの識別軸として同列に扱うもので、これら２つの識別軸情報を伴うもので各セルに番組リストを配した「時間とチャンネルのグリッド」（行列）形式のものであり、
　これを表示した「テレビジョン番組表」（「時間とチャンネルのグリッドガイド」）の表示には、
すべての「番組リスト」が表示されているのではなくその中には表示されていない「番組リスト」も存在し、その各１行（又は列）には、表示されていない「番組リスト」を含めて同じチャンネル（又は同じ時間帯）のものだけが配されているものである
　
　これに対して、「カレンダー」は、そもそも、時間軸という１軸に沿って連続する“日にち”を配列するにあたり、「曜日」を横軸とし
７日を単位に折り返して複数行に並べたものであって
第何週であるかの「週」軸情報は伴わないのが普通であり
１行の右端の日の翌日は、折り返されて次行の左端にくるものであり
　
甲３発明の「カレンダー表示」も同様であって、第何週であるかを示す「週」の表示はなく、第何週であるかを示す「週」は
常に表示行（の７日）と１：１に対応させているものでもない
　また、
同「カレンダー表示」には、すべての「日にち」が表示され、表示されていない「日にち」はない
　したがって、〔甲３記載技術〕の「カレンダー表示」は、２つの識別軸情報表示を伴う行列形式ではなく、かつ表示しない項目がないものであって、
　そもそも、時間とチャンネルという２つの識別軸情報表示を伴い、かつ表示しない項目がある、本件発明１でいう「グリッドガイド」の表示とは異なるものである。
　
　また、表示しない項目の有無の相違は、遷移後のガイドに相違を来す。
　すなわち、〔甲３記載技術〕の遷移後の「週間スケジュール内容の表示」には、遷移前の「カレンダー表示」に表示されていた７日のスケジュール内容だけが表示され、遷移前の「カレンダー表示」に表示されていなかったものを表示することのないガイド表示となるのに対して、
　本件発明１の「単一チャンネルガイド」には、遷移前の「グリッドガイド」の表示には表示されていなかった「番組リスト」も含まれるのである。
　
遷移後のガイドにおいても、両者は異なる。
　
　（
ウ２）〔甲３記載技術〕の遷移の仕方は、本件発明１の遷移の仕方についての技術思想とは異なる
　〔
甲３記載技術〕の「カレンダー表示」→「週間スケジュール内容の表示」は、遷移後の表示を、遷移前にカーソルで選択し「目立たせた項目」の属する行の項目だけのガイドの表示とさせる技術思想と捉え得るものではない
　カレンダー表示状態において、カレンダーキー１６５を操作すると、週間情報の表示（週間表示）に遷移することが示されている。
　このとき、
カレンダー表示状態
　また、
週間表示
　第５図（ａ）のようにカーソルで指示されている日から始まる１週間のスケジュール内容を表示するするか、カーソルで指示されている日を含む日曜日から始まる週のスケジュール内容を表示する（これに対応する図示はない）かは、システムのプログラムによって決まることで本発明には直接関係ないとされている｛(K3.5)｝。
　これらのことからすれば、
遷移後の週間表示
システムのプログラムによってカーソルで指示されている日を含む日曜日から始まる週のスケジュール内容を表示するようにされているものであって
カレンダー表示状態
ーザが日曜日を週の始まりとして表示すると設定している場合においては
遷移後の週間表示
１行である７日分のスケジュール内容の表示となる
　しかしながら、そうでない場合には、
遷移後の週間表示
１行である７日分のスケジュール内容の表示とはならない
　
　甲３号証では、「週間」といっても、「日曜日から始まる７日間」の場合もあるし「月曜日から始まる７日間」の場合もあるし（それらをどうするかはユーザに任されている）、「特定日（カーソルで指示された日）から７日間」の場合もあり、「週間」は固定的に捉えられていないし、
　「週」を「カレンダー表示」で表示されている１行の７日と決めている訳でもない。
　（月の）第何週であるかが「日」のもつ重要な属性として明確に区別しなければならないものと認識されているものでもなく、（月の）第何週であるかと第何行に表示するかとが固定的に決めらている訳でもなく、
　遷移後の
週間表示
行
常に「目立たせた項目」の属する行の項目だけのガイドの表示となるものではない
　これらのことからすれば、そこに、
遷移前にカーソルで選択し「目立たせた項目」の属する行の項目だけのガイドの表示とさせる技術思想が存在するとまで言うことはできない
　すなわち、〔
甲３記載技術〕は
　遷移後の表示を、遷移前にカーソルで選択し「目立たせた項目」の属する行の項目だけのガイドの表示とさせる技術思想と捉え得るものではなく、
　あくまで、『遷移前にカーソルで選択し「目立たせた項目」である「日」に着目し、その「日」から７日間か、その「日」を含む前後の７日間を、「日曜日」からもしくは「月曜日」から、週間表示としてスケジュール内容を表示する遷移の仕方』（『甲３の遷移の仕方』）を示すものである。（なお、これとは異なり〔甲４記載技術〕のカレンダ表示は、「週間」を「表示行」と１：１対応させて明確にかつ固定的に捉えている。）　
　
  これに対して、本件発明１の［
Ｄｂ：番組リストによるＣＨ指定
２つの識別情報軸表示を伴う２軸の表示形式からなる「グリッドガイド」を前提に、これを、「目立たせた項目」の１軸情報に着目して、「グリッドガイド」に表示されていなかったものも表示することがある（表示に含めることを前提とする）、その１軸情報をもつものだけの単一の行形式（又は列形式）のガイドの表示に変更する技術思想
甲３の遷移の仕方についての技術思想
　　
　（
ウ３
　〔甲３記載技術〕の「カレンダー表示」→「週間スケジュール内容の表示」は、本件発明１と同様、項目を縦横方向に配した形式の表示から縦方向にのみ項目を配した形式の表示に直接遷移させる技術であるとはいっても、
　
遷移前の表示についてみても
　「カレンダー表示」は、２つの識別軸情報表示を伴う行列形式ではなく、かつ表示しない項目がないものであるのに対して、
　本件発明１の「グリッドガイド」の表示は、２つの識別軸情報表示を伴いかつ表示しない項目がある点で、そもそも異なり、
　
遷移の仕方についての技術思想についてみても
　『遷移前にカーソルで選択し「目立たせた項目」である「日」に着目し、その「日」から７日間か、その「日」を含む前後の７日間を、「日曜日」からもしくは「月曜日」から、週間表示としてスケジュール内容を表示する仕方』を示すに止まり、
　遷移後の表示を、遷移前にカーソルで選択し「目立たせた項目」の属する行の項目だけのガイドの表示とさせる技術思想と捉え得るものではなく、
　本件発明１の［
Ｄｂ：番組リストによるＣＨ指定
　　
遷移後の表示についてみても
　「週間スケジュール内容の表示」は、遷移前にカーソルで選択し「目立たせた項目」の属する行の項目だけのガイドの表示とはいえず、また、遷移前の「カレンダー表示」に表示されていた項目だけを表示するものであって、遷移前の「カレンダー表示」に表示されていなかったものを表示することのないガイド表示となるのに対して、
　本件発明１の「単一チャンネルガイド」の表示は、遷移前にカーソルで選択し「目立たせた項目」の属する行（又は列）の項目だけのガイドの表示とするもので、遷移前の「グリッドガイド」の表示に表示されていなかった項目も表示することがある（表示に含めることを前提とする）ガイドの表示である点で、異なる。　
　
　すなわち、
甲３発明〔甲３記載技術〕は、前提となる遷移前の表示も、遷移の仕方についての技術思想も、遷移後の表示も本件発明１と異なる。
　
　（
ウ４
　　「カレンダー表示」と「テレビジョン番組表の表示」とは、そもそも、その技術的意義も課題も異なる。
　
　〔甲３記載技術〕のカレンダー表示は、スケジュール管理をする装置の「カレンダー表示」であって、上記エ-４でも述べたように、「スケジュール内容」を表示することが重要かつ必要であって、「カレンダー表示」自体が有用な情報を表示するものではなく、この表示をするだけではその目的は達成されず意味がないものであり、遷移前の「カレンダー表示」と遷移後の「週間スケジュール内容の表示」は、同じ意義をもつ同種の情報を表示するものではない。
　そこでの「カレンダー表示」は、「スケジュール内容」を表示するものではなく、
その後本来の目的である「スケジュール内容」を表示することを必ず予定して表示する、日付を選択し特定するために必要な前段階画面である“メニュー画面”としての意義をもつもの
　そのために１か月にわたるすべての日（１日〜３１日）が表示されているのであり、各行に表示される項目は７個（７日）に限られかつそのすべてが常に表示されているのである。
　そこには、遷移前画面に表示されていない項目情報を表示するために、別の画面（「単一チャンネルガイド」）に遷移させるという［
Ｄｂ：番組リストによるＣＨ指定
　仮に、「カレンダー表示」が
“メニュー画面”
　
　（ウ
５）まとめ
　〔甲３記載技術〕の「カレンダー表示」→「週間スケジュール内容の表示」は、
　項目を縦横方向に配した形式の表示から縦方向にのみ項目を配した形式の表示に直接遷移させる技術であるとはいっても、スケジュール管理をする装置（電子手帳）における、「カレンダー表示」画面から「スケジュール内容の表示」画面に遷移させる表示技術であって、　
　・
その「カレンダー表示
　「スケジュール内容」を表示するための日付を選択し特定するために必須の前段階画面（“メニュー画面”）としての意義をもつものであって、そのために１日〜３１日のすべての日にちを７日を単位に折り返して複数行に並べて表示するもので、あくまでカレンダーの表示技術と捉えられるべきもので、
　そもそも、「テレビジョン番組表」の表示とは、その技術的意義・課題は全く異なり（ウ４）、それ自体で目的とする有用な情報を表示する２つの識別情報軸表示を伴う行列形式の「グリッドガイド」でもなく、また、すべての項目を表示しない「グリッドガイド」でもなく（ウ１）、　
　・
その遷移の仕方についての技術思想
　　
遷移後の表示を、遷移前にカーソルで選択し「目立たせた項目」の属する行の項目だけのガイドの表示とさせる技術思想と捉え得るものでもなく
Ｄｂ：番組リストによるＣＨ指定
遷移の仕方についての技術思想
　・
その遷移後の表示
　遷移前にカーソルで選択し「目立たせた項目」の属する行の項目だけのガイドの表示とはいえず、また、遷移前の「カレンダー表示」に表示されていた項目だけを表示するものであって、遷移前に表示されていなかったものを表示することのないものである（ウ３）。
　
　すなわち、〔甲３記載技術〕、そもそも、「テレビジョン番組表」の表示技術である甲１発明や本件発明１とは意義も課題認識も前提も異にする『
カレンダー表示→スケジュール内容の表示技術
　そこには、遷移前画面に表示されていない項目情報を表示するために、別の画面（「単一チャンネルガイド」）に遷移させるという［
Ｄｂ：番組リストによるＣＨ指定
　
　甲３号証は、以上のような〔甲３記載技術〕を示すに止まるものである以上、そこに、上記《
ステップ３
Ｄｂ：番組リストによるＣＨ指定
　すなわち、甲３号証は、
　甲１発明に、〔甲２記載技術〕に基づいて「単一チャンネルガイド」を表示する手段を付加する際に、周知技術に基づいて「時間とチャンネルのグリッドガイド」表示から直接「単一チャンネルガイド」表示に変更する手法を採ろうとするときにおいて、
　〔甲２記載技術〕のキーの組み合わせ操作Ｇに代えてカーソルによるＧＵＩで「チャンネル」を指定させることとしたときに採る手法として、
　普通、当業者が発想するであろう「チャンネル選択指定用□表示」を上記『甲１番組表（表示）、第３図』とは別の表示として同時表示する手法でも、『甲１番組表（表示）、第３図』上のチャンネルエリアを利用する手法でもなく、
　上記《
ステップ３
Ｄｂ：番組リストによるＣＨ指定
　変更後の「単一チャンネルガイド」のチャンネル指定を、変更前の『甲１番組表（表示）、第３図』において一つの「テレビジョン番組リスト」を目立たせることにより行い、
　「単一チャンネルガイド」のチャンネルをその目立たせた「テレビジョン番組リスト」のチャンネルとする
　手法を採る構成に至る動機付けとなるに足りる技術的課題・技術思想を示すものとはいえない。
　
　上記［
Ｄｂ：番組リストによるＣＨ指定
時間とチャンネルのグリッドガイド」では表示されていない時間帯の「番組リスト」も含めて、そのすべての「番組リスト」を選択し特定するために用いるとする
　これによりその選択特定した番組リストを、「時間とチャンネルのグリッドガイド」では表示されていない時間帯のものを含めて表示できることを前提に「単一チャンネルガイド」として表示することをいうものであるところ、　「テレビジョン番組表」表示において、本件の優先権主張日（平成２年９月１０日）当時、
カーソル使用上、
個々の番組リストを表示するセルの□
々の番組リスト選択指定用
　上記［
Ｄｂ：番組リストによるＣＨ指定
個々の番組リストを表示するセルの□
　
　したがって、上記《
ステップ３
Ｄｂ：番組リストによるＣＨ指定
　
　オ-３　請求人の主張について
　
　請求人は、上記［Ｄｂ：番組リストによるＣＨ指定］とすることは、甲３号証、甲４号証の１〜３に基づいて当業者が容易に想到し得ることである、と主張しており、その骨子は、以下の２点である。
　
主張(i)
　
　
主張（ii)
　
　しかしながら、
　
上記主張（i）
　甲４号証の１〜３については、上記オ-２（イ）のとおりであり、甲３号証については、上記オ-２（ウ）のとおりであるから、この点の請求人の主張は採用できない。
　
上記主張（ii）
　甲１発明において、カーソルによって、特定の番組名称を有する番組の１つを選択して目立たせると（記載カ）、特定の番組名称を有する番組のチャンネル及び放送時間も実質的に特定することができることは当然である。
　しかし、そうであるからといって、「グリッドガイド」（形式の）表示から「単一チャンネルガイド」（形式の）表示に変えるのに、上記構成要件１Ｄとする必然性はないし、それだけで、上記構成要件１Ｄ（特に、上記［
Ｄｂ：番組リストによるＣＨ指定
　したがって、この点の請求人の主張も採用できない。
　
　カ　まとめ（［本件発明１との相違点の克服］の容易想到性）
　以上のとおりであるから、甲２，３号証、甲４号証の１〜３記載の発明、周知技術を勘案しても、甲１発明に上記構成要件１Ｄを付加することは、当業者が容易に想到し得ることである、とはいえず、上記［本件発明１との相違点の克服］は困難である。
　
　《甲５号証〜甲１１号証について》
　なお、念のため、他の各甲号証（甲５号証〜甲１１号証）についてみておく。
　甲５号証〜甲１１号証には、それぞれ、下記の事項が記載されていると認められるが、甲５号証〜甲１１号証のいずれにも、上記構成要件１Ｄは記載も示唆もされておらず、これら各甲号証に基づいても、上記の克服（甲１発明に上記構成要件１Ｄの手段を付加すること）が当業者容易想到である、とはいえない。
　よって、甲２号証〜甲１１号証に基づいて上記の克服（甲１発明に上記構成要件１Ｄの手段を付加すること）が当業者容易想到である、とはいえない。
　
　　　　　記（甲５号証〜甲１１号証記載事項）
　
　《甲５号証》　
前記【１】（５）(K5.1)〜(K5.6)によれば、甲５号証には、以下の技術〔甲５記載技術（甲５発明）〕が記載されている。
　
　〔甲５記載技術（甲５発明）〕
　・従来のチャンネル選局操作の煩しさを一挙に解決し得るテレビジョン受像機を提案しようとするものである｛(K5.1)｝。
　・受信し得る１００チヤンネル分の放送波を受信し得るテレビジョン受像機において、特に当該受信可能チヤンネルのうちユーザの好みに合った「特定チヤンネル」（例えば選局使用頻度が大きい例えば１０チヤンネル分）については選局情報として予め登録しておき、登録された１０チヤンネル分の番組識別情報及びチヤンネル情報の一覧表（特定チヤンネルリスト）をユーザの指示によりアドレス番号を付して画面上に表示し、表示されたアドレス番号のうち１つを選択指定することにより、テレビジヨン放送を選局し得るようにする｛(K5.2)(K5.3)｝。
　・「特定チヤンネル」の登録・選局は、以下(i)から(iv)のようにされる。例示として、番組登録画面（第６図、ＤＳＰ２）のアドレス番号「２」に示す番組識別情報［ＴＳＮ］を新たな番組識別情報［ＡＢＣ］に変更するときを示す。｛(K5.4)｝。
　(i)「ＴＯＰ１０」に付された１〜１０の順に表示される任意のアドレス番号、例えば「２」を反転表示させて選ぶ（ＤＳＰ３、ステップＳＰ２〜５。なお、特定チヤンネルリストに含まれる番組識別情報は、工場出荷時に初期登録されている。）。
　(ii)そのアドレス番号「２」に示す番組識別情報、例えば［ＴＳＮ］を、新たな番組識別情報、例えば［ＡＢＣ］にキーボードで入力して変更する（ステップＳＰ６〜７、第７〜８図）。
　(iii)ユーザが入力した番組識別情報「ＡＢＣ」に対応させたい衛星、例えば「Ｗ２」を指定し、次にその衛星「Ｗ２」内のチャンネル番号、例えば「１２」を入力し、番組登録の処理の終了を示す「ＳＴＯＲＥ」キーを押下する。
　これにより、２番目に表示されるアドレス「２」の位置に、ＡＢＣが表示され、その［ＡＢＣ］には、衛星「Ｗ２」と衛星内チャンネル「１２」が登録される（ステップＳＰ８〜１８、第９〜１２図）。
　(iv)チャンネル選局は、ユーザによって「番組」キーが押下されると番組選局画面ＤＳＰ９（第１３図）を読み出して表示画面上に表示され、こここでユーザが登録した番組識別情報「ＡＢＣ」に対応するチャンネルのテレビジョン放送を選局しようとするときは、キーボード１２よりアドレス番号「２」を入力した後、「ＥＮＴＥＲ」キーを押下すると、アドレス番号「２」の番組識別情報「ＡＢＣ」に対応する衛星名（＝「Ｗ２」）及び衛星内のチャンネル番号（＝「１２」）を記憶部１３より読み出し、アンテナ制御信号及びチャンネル制御信号をアンテナ制御部２Ｂ及び選局部３へ送出し、これによりテレビジョン受像機１は当該チャンネルのテレビジョン放送の受信を開始する｛(K5.5)｝。
　そして、これらのことから、甲５号証に接した当業者は、甲５号証に記載されている技術として、以下の技術も把握するものである。
　多数のチャンネルから所望のチャンネルを選択する選局操作を簡単化するために、選局操作用の画面（ＤＳＰ９）として１〜１０の順序づけられた画面上の位置に対応して選局用の１０個の特定チャンネルリストを表示するもの（第１３図）において、
　多数のチャンネルのうちから、ユーザが任意に選んだユーザの好みに合った１０個のチャンネルを、選局操作用の画面と同様な番組登録画面（ＤＳＰ９）上の１〜１０の順序づけられた任意の位置に任意のチャンネルを配置できるようにして登録できるようにし、この登録情報を選局操作用の画面に反映し、選局操作用の画面に、番組登録画面で登録したのと同じ１〜１０の順序づけられた画面上の位置に対応して選局用の１０個の特定チャンネルリストを表示する技術。
　
　《甲６号証》
　前記【１】（６）(K6.1)〜(K6.15)によれば、甲６号証には、以下のことが記載されている。
　様々な形で組み合わされる選択基準をユーザが使用して、放送番組の選択を行うことができるようにでき、本発明は放送形態のスケジュール情報を受信し、次にそのスケジュール情報を処理して選択を行う電子システムと方法に関する。
　水平または垂直帰線のような、ＴＶフレーム中で普通使用されない部分を使用して、従来のテレビ放送の一部としてテレビスケジュール情報が放送され、ＴＶ放送信号から分離されデジタル化された番組スケジュール情報信号をＣＰＵ１７８に供給し、メモリ１７９は、選択された番組情報を受信し記憶する｛(K6.4)(K6.6)｝。
　番組スケジュール情報から視聴する番組を選択すること｛(K6.3)｝、番組マスタによる番組を選択するための一覧表示には、それぞれの番組に関する、番組の開始時間、番組の名称及びチャンネル番号が表示される｛(K6.8)｝。
　そして、番組マスタによる一覧表示するチャンネル及び一覧表示しないチャンネルを、一覧表示するチャンネルまたは衛星名／記号を入力し、または、一覧表示しないチャンネルまたは衛星名／記号を入力して「現在一覧表示されているチャンネル：２、４、５、６、７、８、９、１２、２２」を指定できるようにすることにより、ある種類の番組（テーマ）のみ、あるチャンネルのみ、及びゴールデンアワーのようなある時間内の番組のみを一覧表示できるよう番組マスタを設定して、一覧表示するチャンネルを関心のあるチャンネルに制限できるようにしている｛(K6.8)〜(K6.12)｝。
　
　《甲７号証》
　ア　〔甲７発明〕
　甲７号証には、前記【１】（７）に掲げた記載(K7.1)〜(K7.9)がある。
　前掲(K7.1)に「番組の内容等は、本実施例では、後述するように、ＲＯＭに記憶しているが、書換え可能なＰＲＯＭないしバッテリによりバックアップされたＲＡＭに記憶するものとして、自動販売機等で書き換えるものとしてもよい。」とあることから、
　録画予約カード１の、１週間ないし数週間のテレビ放送の番組の内容・時間等を予め記憶させたものを、「ＲＯＭ３２又はバッテリによりバックアップされた自動販売機等で書き換え可能なＲＡＭ」とする。　
　
　甲７号証に記載された発明（甲７発明）として、
　「テレビ受像機ＴＶ」と、「テレビの放映内容を録画するビデオ録画装置ＶＴＲ」と、「テレビの放映内容を録画するビデオ録画装置ＶＴＲに装置されて、その録画を制御する録画予約制御装置」を備える録画予約システムの発明
　を認定することができ、以下の目的・概要・詳細の発明である。
　
　（ア）目的
　テレビ放送される番組から所望の番組を簡単に録画予約すること
　
　（イ）概要（構成・作用）　
　テレビ受像機ＴＶと、テレビの放映内容を録画するビデオ録画装置ＶＴＲと、テレビの放映内容を録画するビデオ録画装置ＶＴＲに装置されて、その録画を制御する録画予約制御装置を備える録画予約システムであって、
　録画予約制御装置は、
　少なくともテレビ放送の内容と放映時間とを含む情報を予め記憶する記憶手段ＭＥと、
　該記憶された情報をテレビ受像機ＴＶに出力し、該テレビ受像機ＴＶに表形式で表示させる表示制御手段ＤＣと、
　該表示された情報から所望の放送内容を選択する選択手段ＳＬと、
　該選択された情報に従って、その放映時間をビデオ録画装置ＶＴＲの録画予約手段ＴＭに設定する録画設定手段ＲＳとを備え、
　録画予約制御装置は、その記憶手段ＭＥに予め記憶した少なくともテレビ放送の内容と放映時間とを含む情報を、表示制御手段ＤＣによりテレビ受像機ＴＶに出力し、テレビ受像機ＴＶに表形式で表示させ、新聞や専門誌に掲載されるテレビ放送の番組表と同様の形式で、放送の内容と放映時間とを視認することを可能とし、
　この状態で、選択手段ＳＬ、例えばカーソルの移動とこれに伴う表示の点滅や反転表示等により情報を選択し、この選択された情報に従って、録画設定手段ＲＳにより、選択した放映内容の放映時間をビデオ録画装置の録画予約手段ＴＭに設定し、
　ビデオ録画装置ＶＴＲは、テレビ受像機ＴＶに表形式で表示された放送の内容に基づいて選択された番組の時間になると、録画予約手段ＴＭにより、録画を実行する、ように動作する録画予約システム。｛(K7.2)｝
　
　（ウ）詳細（構成・動作・作用）　
　
（ａ）
　録画予約制御装置は、録画予約カード１であり、この録画予約カード１は、ＶＴＲ３の接続部１０に装着して用いられ、録画予約カード１の内部には、ＣＰＵ３１，ＲＯＭ３２，ＲＡＭ３３を中心に、これらとバス３４により相互に接続されたキー入力ポート３５，入出力ポート３８等が設けられている。　《記憶手段ＭＥ、ＲＯＭ３２（又はＲＡＭ）》
　ＲＯＭ３２（又はバッテリによりバックアップされた自動販売機等で書き換え可能なＲＡＭ）には、制御プログラムと共に、１週間から４週間分程度の放映番組の簡単な内容と放映開始・終了時刻が記憶されている。また、キー入力ボート３５には、カード表面に設けられた各キー１１ないし１３，２１ないし２４が接続されており、各キーの操作状態を入力する。入出力ボート３８は、ＶＴＲ３内部の制御装置とデータ等をやり取りするためのボートであり、録画予約カード１がＶＴＲ３に装置されたとき、コネクタ３を介してその内部のバス４５に接続される。｛(K7.3)｝
　そして、(K7.5)(K7.7)(K7.9)，第４図によれば、ＶＴＲ３に録画予約カード１を装着し電源を投入すると、テレビ受像機５にその番組表の一部が、第４図に示す表形式、すなわち、横軸欄：チャンネルＣＨ１〜ＣＨ７，縦軸欄：時間７時〜０時で、チャンネルと時間の交差する位置のマスに各番組Ａ１〜番組Ｄ６が配置される表形式で表示されるのであるから、ＲＯＭ３２（又はバッテリによりバックアップされた自動販売機等で書き換え可能なＲＡＭ）には、各番組「Ａ１」〜「Ｄ６」のそれぞれに対応する「番組の簡単な内容」，「放映開始・終了時刻」，「チャンネル」が記憶されている。
　
（ｂ）
　ＶＴＲ３の内部には、バス４５により相互に接続された周知のＣＰＵ５１，ＲＯＭ５２，ＲＡＭ５３，タイマ５５のほか、アンテナ５７を介してテレビ放送電波を受け映像・音声信号を復調するチューナ６０，復調した信号をビデオテープに録画しあるいは再生する録画再生部６５，映像信号をテレビ５に出力する映像信号出力部７０等を備える。タイマ５５は、年月日を管理するカレンダー機能および２４時間の時計機能を備え、予め内部バス４５を介してＣＰＵ５１により設定された時刻なるとこれをＣＰＵ５１に割込として報知すると共に、時刻表示部８に現在時を表示する。
また、チューナ６０は、ＣＰＵ５１の指令を受けて復調するチャンネルを選択することができる。
選択されたチャンネルの復調された映像信号は、録画再生部６５に出力されるが、この録画再生部６５には、ＣＰＵ５１の制御信号も出力されており、録画再生部６５はこの信号を受けて、映像信号の録画・再生に応じて、図示しない録画再生用ヘッドの駆動、テープリール駆動用モータの制御等を行なう。更に、映像信号出力部７０は、チューナ６０により復調されたあるチャンネルの映像信号、録画再生部６５により再生された映像信号、ＣＰＵ５１がＲＡＭ５３に記憶した画像データを読み出して生成する映像信号のうちの何れかひとつの映像信号を選択し、これを−旦図示しない内部のビデオメモリに蓄えた後、テレビ受像機５に常時出力する。｛(K7.4)｝
　
　《動作》
　
（ｃ）
　まず、ＶＴＲ３に録画予約カード１を装着し電源を投入すると、テレビ受像機５にその番組表の一部が、第４図に示す表形式、すなわち、横軸欄：チャンネルＣＨ１〜ＣＨ７，縦軸欄：時間７時〜０時で、チャンネルと時間の交差する位置のマスに各番組Ａ１〜番組Ｄ６が配置される表形式で表示される。｛第４図、(K7.9)｝
　具体的には、第５図カード側処理のステップ１００〜１２０まで、第６図ＶＴＲ側処理３２０〜３４０，３５０が行われる。
　
録画予約カード１側
　録画予約カード１は、ＶＴＲ３に装着されて電源が投入されると、第５図に示すカード側処理ルーチンを開始し、まず、カーソル位置の初期化等の処理を行なう（ステップ１００）。カーソルの初期位置は、予め定めた原点であり、第４図に示す番組表では、最も小さな番号のチャンネルでかつ最も早い時間帯の番組（本実施例では
番組Ａ１
　その後、ＲＯＭ３２（又はバッテリによりバックアップされた自動販売機等で書き換え可能なＲＡＭ）から番組表を読み出し（ステップ１１０）、このうちカーソル位置に応じた領域の番組データおよびカーソル位置のデータを入出力ポート３８を介してＶＴＲ３に出力する処理を行なう（ステップ１２０）。即ち、テレビ受像機５には、番組表の全てを一度に表示することができないので、カーソルの位置を中心に一画面分の番組データを出力するのである。出力された番組データは、コネクタ３０を介して一旦ＲＡＭ５３に記憶され、後でＣＰＵ５１の制御により映像信号出力部７０に送られ、ここで映像信号に変換された後、テレビ受像機５に出力される。｛(K7.5)｝
　
ＶＴＲ３側
　録画予約カード１からの出力の内容が番組表のデータである場合には、第５図のステップ１２０で出力されるデータに対応して、これを一旦ＲＡＭ５３に蓄えた後、テレビ受像機５に表示するデータとして映像信号出力部７０にセットする処理（ステップ３２０）と、録画予約カード１が出力するカーソル位置データを入力する処理とを行なう（ステップ３３０）。続いて、入力したカーソル位置のデータに基づいて反転表示する番組の位置を映像信号出力部７０に設定する処理を行なう（ステップ３４０）。｛(K7.7)｝
 
（ｄ）
　カーソルキー２１ないし２４を操作することにより、所望の番組を反転表示させることができ、所望の番組を反転表示させた状態で録画予約カード１の「設定」キー１１を操作すると、その番組の日付を含む開始時刻とチャンネルおよび終了時刻が記憶される。｛(K7.9)｝
　
録画予約カード１側
　ステップ１３０の判断において入力キーが「設定」キー１１であると判別された場合には、現在のカーソル位置情報に応じた番組の開始時刻とそのチャンネル番号とをＲＯＭ３２（又はバッテリによりバックアップされた自動販売機等で書き換え可能なＲＡＭ）から読み出し（ステップ１６０）、続けて録画開始時刻をＶＴＲ３のＣＰＵ５１に出力する処理を行なう（ステップ１７０）。例えば、カーソルが番組Ｃ３にある場合には、この番組の開始時刻８時４５分とチャンネルＣＨ５とが読み出され出力される。読いて、その番組の終了時刻を読み出して（ステップ１８０）、その時刻を出力する処理を行なう（ステップ１９０）。上述した例では、終了時刻９時３０分が読み出され出力されることになる。｛(K7.6)｝
　
ＶＴＲ３側
　《カーソル移動》録画予約カード１からの出力の内容がカーソルデータ（第５図ステップ１４０に対応）の場合には、ＣＰＵ５１は、映像信号出力部７０にデータを出力し、表示している番組の反転位置を更新する（ステップ３５０）。例えは、第４図に斜線を施した番組Ｃ３が反転表示されている場合、録画予約カード１から下向き矢印のカーソルキー２２が操作されたとの情報が送られたときには、番組Ｃ４を反転表示し番組Ｃ３を正常表示した映像信号の出力に切り換えるのである。続いて、入力したカーソル位置のデータに基づいて反転表示する番組の位置を映像信号出力部７０に設定する処理を行なう（ステップ３４０）。｛(K7.7)｝
　《タイマセット》また、録画予約カード１からの出力の内容がカード側の処理、ステップ１７０、１９０に対応した設定時刻情報の場合には、この情報を一旦ＲＡＭ５３に記憶し（ステップ３６０）、記憶した複数の時刻情報のうちもっとも現在時に近い日付・時刻をタイマ５５にセットする処理を行う（ステップ３７０）。このセットは、セットされた日付・時刻になるとＣＰＵ５１に割込をかけ、チューナ６０，録画再生部６５を駆動して記憶されたチャンネルの番組をビデオカセットテープに録画する処理を行なわせるためのセットである。｛(K7.8)｝
　
（ｅ）
　甲７号証に明記はされていないが、番組の録画開始前に、カセット挿入部７にビデオカセットテープが挿入されることは明らかである。
　
（ｆ）
　ＶＴＲ３はその開始時刻がくると、録画を開始し、終了時刻がくると録画を終了する。具体的には、タイマ５５は、セットされた日付・時刻になるとＣＰＵ５１に割込をかけ、チューナ６０，録画再生部６５を駆動して記憶されたチャンネルの番組をビデオカセットテープに録画する処理を行なわせる。｛(K7.8)(K7.9)｝
　
（ｇ）
　上記（ｃ）（ｄ）（ｆ）の動作のうち、
録画予約カード１側
ＶＴＲ３側
　
　《甲８号証》
　前記【１】（８）(K8.1)〜(K8.5)によれば、甲８号証には、以下の技術事項（以下、〔甲８記載技術〕という）が記載されている。
　
　〔
甲８記載技術（甲８発明
　（目的・課題）｛(K8.1)｝。
　従来のテープの冒頭にインデックス情報を記録するものでは、インデックス情報を得るにはテープを冒頭まで巻き戻す必要があるし、誤ってインデックス情報を消去してしまう危険性があった。インデックス情報の誤消去を防止して迅速且つ正確にインデックス情報を得ることができるビデオテープレコーダを提供することを目的とする
　（課題解決手段−インデックス情報の記録）｛(K8.2(K8.4))｝。
　ＶＡＳＳデータと、映像記録開始の日付、時刻、選局番号等からなるインデックス情報は、以下のように不輝発性メモリＥＡ−ＲＯＭ７およびのテープのコントロールトラック上に自動的に記録される。
　ＶＴＲが映像信号を記録する動作を開始すると、マイクロコンピュータ１は頭出し信号ＶＡＳＳのアドレスの中で使用されていないアドレスを見つけ出し、このアドレスに対応する頭出し信号を頭出し信号発生、検出回路５にて生成し、これをコントロールヘッド４を介してテープのコントロールトラック上に自動的に記録し、同時に、マイクロコンピュータ１はテープに記録するＶＡＳＳデータと、映像記録開始の日付、時刻、選局番号等のインデックス情報を、カセット識別手段からのカセット識別情報によって区分けしてＥＡ−ＲＯＭ７に書き込む。また、マイクロコンピュータ１は前記映像の記録終了時に、その終了時刻をＥＡ−ＲＯＭ７に書き込む。
　ユーザはキー入力装置３よりマイクロコンピュータ１をインデックス情報の書き込みモードとした後、同キー入力装置３からタイトル等のインデックス情報の追加、削除を行うことができる。
　（課題解決手段−インデックス情報の再生）｛(K8.2)(K8.3)｝。
テープカセット１２を第２図に示したカセット挿入口１５に挿入すると、
テープカセット１２上のバーコード１２１を読み取りそのデータＳ１（カセット識別情報）がマイクロコンピュータ１に入力され、マイクロコンピュータ１は入力されたデータＳ１（カセット識別情報）に対応するインデックス情報をＥＡ−ＲＯＭ７から読み出し、読み出したインデックス情報Ｓ２を映像信号に変換し頭出し信号ＶＡＳＳのアドレス情報で区分けしてモニタ１５に表示し、表示されるインデックス情報、例えば記録日付、記録開始／終了時刻、選局番号、タイトル、ＶＡＳＳのアドレス等で、前記インデックス情報に対応する映像情報を検索する場合、ユーザはキー入力装置３によって頭出し信号ＶＡＳＳのアドレス情報を指定することにより、前記頭出し信号以降に記録されている記録映像情報が再生される。
　（効果）｛(K8.5)｝。
　インデックス情報をテープ上でなくＥＡ−ＲＯＭ７に記憶させるため、頭出し信号ＶＡＳＳのアドレスが指定されれば、テープを送ることなく、ＥＡ−ＲＯＭ７から対応するインデックス情報を読み出して、迅速且つ正確にモニタ１３に表示することができる。
　
　《甲９号証》
　前記【１】（９）(K9.1)〜(K9.3)によれば、甲９号証には、以下の技術事項（以下、〔甲９記載技術〕という）が記載されている。
　〔甲９記載技術（甲９発明）〕
　（目的・課題）｛(K9.2)｝。
　番組検索を極めて簡単にしたテレビ放送記録装置を提供すること。
　（課題解決手段−インデックスの記録、検索）(K9.1)(K9.3)
テレビ受信機と、該テレビ受信機で受信した特定チャンネルの放送内容を所定時間記録可能な外部メモリ３（ＶＴＲ、垂直磁化ＶＴＲ、書き換え可能な光ディスク等の消去再記録可能でエンドレスに記録できる）とからなり、該外部メモリ３に上記放送内容を番組検索のインデックスを付加して更新記録させるようにしたテレビ放送記録装置において、
　インデックスを日付・時刻データとし、再生時、日付・時刻のデータ（番組開始時点のデータ）を入力すると、当該日付・時刻のデータが検索コードとなって外部メモリ３に転送され、当該データに対応した部分から後の部分の読み出しが開始されること、
　番組のタイトルがデータとして放送局から送られてくるような場合には、そのタイトルをインデックスとして記録しておき、再生時のそのタイトルを検索して希望の番組を再生させるようにすること。
　
　《甲１０号証》
　甲１０号証には、ビデオ番組を搬送するテレビジョン信号の垂直帰線消去期間（ＶＢＩ）から、テレビジョン番組の番組情報（タイトル，チャンネル、開始時間）をダウンロードすること等｛(K10.1)〜(K10.4)等｝が記載されている。
　
　《甲１１号証》
　甲１０号証には、ビデオ記録媒体に記録された番組を検索（インデックス）するのに必要な、「ビデオ記録媒体の記録位置」を、測定することにより取得して番組の記録位置や再生位置を判別すること｛(K11.4)｝等が記載されている。
　
　（４）まとめ｛［１］本件発明１について（甲１〜甲４から容易）｝
　以上のとおりであるから、本件発明１は、甲１号証記載の発明、甲２号証記載の発明、甲３号証記載の発明、甲４号証の１〜３記載の各発明及び周知技術に基づいて当業者が容易に発明をすることができたものである、とすることはできない。
　
［２］本件発明２について（甲１〜甲３から容易）
　
　本件発明２（請求項２）は、前記のとおり以下のように分説される。
　
２Ａ　テレビジョン番組リストを複数のセル内に表示している時間とチャ　　　　ンネルのグリッドガイド形式で表示モニターに、RAMに記憶した　　　　　テレビジョン番組リストを表示させる信号を発生し、
２Ｂ　その表示されたテレビジョン番組リストの一つを目立たさせる信号　　　　を発生し、そして     　
２Ｃ　グリッドガイド形式の代わりに単一チャンネル形式でその目立たさ　　　　れたテレビジョン番組リストを表示する信号を発生する
２Ｄ　ようプログラムされていることを特徴としたマイクロプロセッサ。
　
　（１）本件発明２と本件発明１との比較
　
　発明全体として、本件発明２は構成要件２Ｄで「プログラムされていることを特徴としたマイクロプロセッサ」の発明であるとしているのに対して、本件発明１は構成要件２Ｅで「電子番組ガイド」の発明である点で異なり、　
　他の個別構成要件として、実質的には、
　
　
構成要件２Ａ
　テレビジョン番組リストを「ＲＡＭに記憶した」点を付加したものに相当している。
　
構成要件２Ａ
  　
　
構成要件２Ｂ
　
　
構成要件２Ｃ
ガイド形式
　「グリッド
ガイド形式の代わりに
形式
形式
形式
　また、発明の詳細な説明に照らせば、これが、「そのような選択された１つの番組リストを単に表示する」ことをいうのではなく、単一のチャンネルのテレビジョン番組リストを複数配列した「単一チャンネル」ガイド「の形式」を意味すると解されるものである。
　すなわち、本件発明２の「単一チャンネル形式」とは、本件発明１でいう「単一チャンネルガイド」の形式をいうものと解される。
　また、本件発明２でいう「グリッドガイド形式」も、本件発明１でいう「グリッドガイド」の形式をいうものであることも明らかである。
　
　そして、本件発明１の構成要件１Ｄでは「単一チャンネルガイド」は、「目立たせたテレビジョン番組リストのチャンネルの」という限定を付すのに対して、
　
本件発明２の構成要件２Ｃ
　すなわち、「時間とチャンネルのグリッドガイド形式で（表示モニターに）表示した「テレビジョン番組リストの一つ」であって、「目立たされたテレビジョン番組リスト」を、単一チャンネル（ガイド）の形式で表示する、とするのであるから、
　本件発明２では、単一チャンネル形式で表示される「単一チャンネルガイド」に、（時間とチャンネルのグリッドガイド形式で表示した「テレビジョン番組リストの一つ」であって、）「目立たされたテレビジョン番組リスト」が
含まれることを
　
　したがって、構成要件２Ｃは、実質的には、
　構成要件１Ｄと同じく、「時間とチャンネルのグリッドガイドを、
時間とチャンネルのグリッドガイドで目立たせた一つのテレビジョン番組リストのチャンネルの
　さらに、その「単一チャンネルガイド」に、目立たされたテレビジョン番組リストも表示することを追加特定するものと解釈される。
　
　そうすると、
構成要件２Ｃ
　上記［
Ｄａ：直接遷移
Ｄｂ：番組リストによるＣＨ指定
　「単一チャンネルガイド」に目立たされたテレビジョン番組リストも表示することを追加特定するものと解釈される。
　
　（２）本件発明２と甲１発明との対比、一致点、相違点
　上記［１］での本件発明１と甲１発明との対比を踏まえ、本件発明２と甲１発明を対比する。
　構成要件２Ｄについてみるに、甲１発明は、構成要件２Ｄ「ようプログラムされていることを特徴としたマイクロプロセッサ」とはしておらず、この点本件発明２と相違する。
　構成要件２Ａについてみるに、甲１発明では、「テレビジョン番組リスト」は、ＦＤに記憶されているから「ＲＡＭに記憶した」とする点においては、本件発明２とは相違する
　構成要件２Ｂについては、甲１発明もこれを備えている。
　構成要件２Ｃについては、甲１発明はこれを備えていない。
　
　以上によれば、本件発明２と甲１発明との一致点、相違点は次のとおりということができる。
　
　［本件発明２との一致点］
２Ａ’テレビジョン番組リストを複数のセル内に表示している時間とチャ　　　　ンネルのグリッドガイド形式で表示モニターに、
記憶媒体
２Ｂ　その表示されたテレビジョン番組リストの一つを目立たさせる信号　　　　を発生する、     　
２Ｄ’ようにされているもの。
  　
　［本件発明２との相違点］
　
　［本件発明２との相違点１］
　本件発明２では、
記憶媒体
  甲１発明では、
記憶媒体
　
　［本件発明２との相違点２］
　　本件発明２が、
２Ｃ　グリッドガイド形式の代わりに単一チャンネル形式でその目立たさ　　　　れたテレビジョン番組リストを表示する信号を発生する
　　とするのに対して、
　　甲１発明は、構成要件２Ｃのようにしていない点
　
　［本件発明２との相違点３］
　本件発明２が、
　　構成要件２Ａ２Ｂ２Ｃの信号を発生するようにプログラム
　　されているマイクロプロセッサ、とするのに対して
　甲１発明は、そのようにするとはしていない点
　
　（３）［本件発明２との相違点］の容易想到性
　
　（３.１）上記［本件発明２との相違点２］について
　
　この［本件発明２との相違点２］は、構成要件２Ｃのようにするかしないかの相違であるところ、
　上述したように、構成要件２Ｃは、実質的には、
　本件発明１の構成要件１Ｄ「時間とチャンネルのグリッドガイドを、
時間とチャンネルのグリッドガイドで目立たせた一つのテレビジョン番組リストのチャンネルの
　さらに、その「単一チャンネルガイド」に目立たされたテレビジョン番組リストも表示することを追加特定するもの、
　すなわち、
　上記［
Ｄａ：直接遷移
Ｄｂ：番組リストによるＣＨ指定
　「単一チャンネルガイド」に目立たされたテレビジョン番組リストも表示すること、を特定するものと解釈されることから、
　上
記［本件発明２との相違点２］は、上記［１］における［本件発明１との相違点］を実質的に含んでいるものである
　
　そうすると、前記［
本件発明１
本件発明１
　すなわち、甲２，３号証、周知技術を勘案しても、上記［本件発明２との相違点２］を克服することは、当業者が容易に想到し得ることである、とはいえない。
　
　〈請求人の主張について〉
　請求人は、構成要件２Ｃについて、「その目立たされたテレビジョン番組リスト」は１つのテレビジョン番組リストであり、この１つのテレビジョン番組リストを表示することが規定されている。よって、本件発明２は、目立たされたチャンネルに対応するテレビジョン番組リストを表示するものでも、また、目立たされたテレビジョン番組リストに対応するチャンネルのテレビジョン番組リストを表示するものでもなく、単に、１つの目立たされたテレビジョン番組リストを表示するに過ぎず、選択された１つの番組を表示することは、即、単一チャンネル形式で表示することに他ならず、構成要件８Ｃは、そのような選択された１つの番組リストを単に表示することも含まれる旨、主張している。
　しかしながら、「単一チャンネル形式」とは、「そのような選択された１つの番組リストを単に表示する」ことを特定するものではなく、実質的に、単一のチャンネルの複数のテレビジョン番組リストを表示する「ガイド」の「形式」を意味するものであることは、前記のとおりであるから、上記請求人の主張は採用できない。
　
　なお、甲４号証の１〜３，甲５号証〜甲１１号証についても検討したが、これら甲各号証のいずれに基づいても、上記の［本件発明２との相違点２］を克服することは困難である。
　
　（３.２）まとめ（［本件発明２との相違点］の容易想到性）
　　上記［本件発明２との相違点２］を克服することが当業者が容易想到といえない以上、残る上記［［本件発明２と相違点１］［［本件発明２と相違点３］について検討するまでもなく、上記［本件発明２と相違点］の克服は困難である。
　
　（４）まとめ｛［２］本件発明２について（甲１〜甲３から容易）｝
　以上の通りであるから、本件発明２は、甲１号証記載の発明、甲２号証記載の発明、甲３号証記載の発明及び周知技術に基づいて当業者が容易に発明をすることができたものである、とすることはできない。
　
【まとめ（無効理由１：（新規性違反、特許法第２９条第１項３号、
　　　　　　　　　・進歩性違反、特許法第２９条第２項）について）】
　
　本件発明１（本件訂正後の請求項１記載の発明）は、甲第１号証に記載された発明、甲第２号証に記載された発明、甲第３号証に記載された発明及び甲第４号証の１〜３に記載された発明に基づいて当業者が容易に発明をすることができたものであるから特許法第２９条第２項の規定により特許を受けることができない、とすることはできない。
　本件発明２（本件訂正後の請求項２記載の発明）は、甲第１号証に記載された発明、甲第２号証に記載された発明、甲第３号証に記載された発明に基づいて当業者が容易に発明をすることができたものであるから特許法第２９条第２項の規定により特許を受けることができない、とすることはできない。
　
　（なお、本件発明１，２（本件訂正後の請求項１，２記載の発明）は、いずれも、甲１〜
甲１１号
　
　〈無効判断〉
　本件発明１，２に係る特許は、いずれも、特許法第２９条第２項の規定に違反してなされたものであるから同法第１２３条第１項第２号に該当し無効とすべきものである、とすることはできない。　
　
【第８】むすび 
　
　以上のとおりであるから、
  請求人の主張及び証拠方法によっては、訂正後の請求項１及び２に係る発明に係る特許は、いずれも、特許法第１２３条第１項第２号に該当し無効とすべきものである、とすることはできない。
　
　審判に関する費用については、請求人の訂正請求による削除された請求項を考慮し、特許法第１６９条第２項の規定で準用する民事訴訟法第６１条及び第６２条の規定により、その６３分の１０を請求人の負担とし、６３分の５３を被請求人の負担とする。
　
　よって、結論のとおり審決する。